(57)【要約】【課題】ソケットに対する電子部品の装着状態を好適に管理することができる遊技機を提供する。【解決手段】パチンコ機の報知・演出制御装置は、配線パターンが付与された回路基板１６８と、スピーカから音を出力するための音データが記憶された共通用ＲＯＭ１４７とを有している。共通用ＲＯＭ１４７は、パッケージ及び複数のパッケージ端子を有しており、これらパッケージ端子はパッケージの板面に沿って並べられている。回路基板１６８には、ソケット１７４が取り付けられており、共通用ＲＯＭ１４７はソケット１７４に装着されていることで回路基板１６８に表面実装されている。報知・演出制御装置は、共通用ＲＯＭ１４７はソケット１７４に対して適正に装着されていない場合に、そのことを検出する検出回路を有している。【選択図】      図１２
2020138062.tif 000002
【特許請求の範囲】
【請求項１】
パッケージを有する電子部品が、回路基板に取り付けられたソケットに装着されていることで該回路基板に実装されており、
前記ソケットのソケット端子と、該ソケット端子に通電可能に接触している前記パッケージのパッケージ端子とが複数組設けられ、前記パッケージ端子が前記パッケージの板面に沿って複数並べられた遊技機であって、
一組の前記ソケット端子と前記パッケージ端子とを１つの構成部として構成されており、前記構成部が複数接続されていることで形成され、各前記構成部において前記ソケット端子と前記パッケージ端子とが接触している場合に通電され、少なくとも１つの前記構成部において前記ソケット端子と前記パッケージ端子とが接触していない場合に通電が遮断される構成であり、前記通電の状態により前記ソケットに対する前記電子部品の装着状態の異常を検知可能な手段を備え、
前記電子部品において音出力手段から出力される音に関する情報を記憶した記憶手段と、
前記異常が検知され、前記音出力手段からの音の出力が行われている場合に、異常報知を実行し、前記異常が検知され、前記音出力手段からの音の出力が行われていない場合に、前記異常報知とは異なる態様の異常報知を実行する報知手段と、
を備え、
前記異なる態様の異常報知は、前記音出力手段からの音の出力を行わず、表示手段の表示により実行されることを特徴とする遊技機。
【発明の詳細な説明】
【技術分野】
【０００１】
本発明は、遊技機に関するものである。
【背景技術】
【０００２】
パチンコ機等の遊技機には、遊技を統括管理する主制御装置や、主制御装置からの信号に基づいて音の出力などを制御する副制御装置などが設けられている。これら制御装置は、所定の配線パターンが付与された回路基板を有しており、この回路基板には、ＣＰＵやＲＯＭ、ＲＡＭといった電子部品が表面実装等により搭載されている。電子部品が回路基板に対して表面実装された構成として、回路基板に取り付けられたソケットに電子部品が装着された構成がある（例えば特許文献１参照）。
【先行技術文献】
【特許文献】
【０００３】
【特許文献１】特開２００９−２６８５４８号公報
【発明の概要】
【発明が解決しようとする課題】
【０００４】
しかしながら、ソケットに対する電子部品の装着状態が適正でない場合には、電子部品が正常に動作しないことが懸念される。
【０００５】
本発明は、上記例示した事情等に鑑みてなされたものであり、ソケットに対する電子部品の装着状態を好適に管理することができる遊技機を提供することを目的とするものである。
【課題を解決するための手段】
【０００６】
本発明は、
パッケージを有する電子部品が、回路基板に取り付けられたソケットに装着されていることで該回路基板に実装されており、
前記ソケットのソケット端子と、該ソケット端子に通電可能に接触している前記パッケージのパッケージ端子とが複数組設けられ、前記パッケージ端子が前記パッケージの板面に沿って複数並べられた遊技機であって、
一組の前記ソケット端子と前記パッケージ端子とを１つの構成部として構成されており、前記構成部が複数接続されていることで形成され、各前記構成部において前記ソケット端子と前記パッケージ端子とが接触している場合に通電され、少なくとも１つの前記構成部において前記ソケット端子と前記パッケージ端子とが接触していない場合に通電が遮断される構成であり、前記通電の状態により前記ソケットに対する前記電子部品の装着状態の異常を検知可能な手段を備え、
前記電子部品において音出力手段から出力される音に関する情報を記憶した記憶手段と、
前記異常が検知され、前記音出力手段からの音の出力が行われている場合に、異常報知を実行し、前記異常が検知され、前記音出力手段からの音の出力が行われていない場合に、前記異常報知とは異なる態様の異常報知を実行する報知手段と、
を備え、
前記異なる態様の異常報知は、前記音出力手段からの音の出力を行わず、表示手段の表示により実行されることを特徴とする。
【発明の効果】
【０００７】
本発明によれば、ソケットに対する電子部品の装着状態を好適に管理することができる。
【図面の簡単な説明】
【０００８】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】遊技盤の構成を示す正面図である。
【図５】（ａ），（ｂ）図柄表示装置の表示面における表示内容を説明するための説明図である。
【図６】パチンコ機の電気的構成を示すブロック図である。
【図７】当否抽選などに用いられる各種カウンタの内容を説明するための説明図である。
【図８】メインＭＰＵにて実行されるメイン処理を示すフローチャートである。
【図９】メインＭＰＵにて実行されるタイマ割込み処理を示すフローチャートである。
【図１０】演出の実行制御に係る電気的構成を示すブロック図である。
【図１１】（ａ）は直接用ＲＯＭのデータ構成を説明するための説明図、（ｂ）は共通用ＲＯＭのデータ構成を説明するための説明図である。
【図１２】共通用ＲＯＭ周辺の斜視図である。
【図１３】共通用ＲＯＭ及びソケットを示す図である。
【図１４】第１検出回路及び第２検出回路を示す図である。
【図１５】第１検出回路及び第２検出回路について共通用ＲＯＭ及び回路基板の各回路を示す図である。
【図１６】共通用ＲＯＭが適正位置にある場合の図である。
【図１７】共通用ＲＯＭが第１離脱位置にある場合の図である。
【図１８】共通用ＲＯＭが第２離脱位置にある場合の図である。
【図１９】サブＭＰＵにて実行される演出制御処理を示すフローチャートである。
【図２０】音出力ＬＳＩに設けられた音データ処理部における動作を示すフローチャートである。
【図２１】サブＭＰＵにて実行されるＲＯＭ位置ずれ対応処理を示すフローチャートである。
【図２２】第２の実施形態における共通用ＲＯＭ及びソケットを示す図である。
【図２３】第３検出回路及び第４検出回路を示す図である。
【図２４】第３検出回路及び第４検出回路について回路基板の回路を示す図である。
【図２５】共通用ＲＯＭが適正位置にある場合の図である。
【図２６】共通用ＲＯＭが許容位置にある場合の図である。
【図２７】共通用ＲＯＭが非許容位置にある場合の図である。
【図２８】不正ＲＯＭがソケットに無理やり装着された場合の図である。
【図２９】不正ＲＯＭがソケットに無理やり装着された場合の図である。
【図３０】サブＭＰＵにて実行されるＲＯＭ位置ずれ対応処理を示すフローチャートである。
【図３１】第３の実施形態における共通用ＲＯＭ及びソケットを示す図である。
【図３２】第５検出回路について共通用ＲＯＭ及び回路基板の各回路を示す図である。
【図３３】共通用ＲＯＭが適正位置にある場合の図である。
【図３４】共通用ＲＯＭが第３離脱位置にある場合の図である。
【図３５】第４の実施形態における共通用ＲＯＭ及びソケットを示す図である。
【図３６】第６検出回路について共通用ＲＯＭ及び回路基板の各回路を示す図である。
【図３７】共通用ＲＯＭが適正位置にある場合の図である。
【図３８】共通用ＲＯＭが許容位置にある場合の図である。
【図３９】不正ＲＯＭがソケットに無理やり装着された場合の図である。
【発明を実施するための形態】
【０００９】
＜第１の実施形態＞
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１１】
遊技機本体１２は、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１２】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１３】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１４】
次に、遊技機本体１２の前面側の構成について説明する。
【００１５】
内枠１３は、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１６】
ここで、遊技盤２４の構成を図４に基づいて説明する。図４は遊技盤２４の正面図である。
【００１７】
遊技盤２４には、ルータ加工が施されることによって前後方向に貫通する大小複数の開口部が形成されている。各開口部には一般入賞口３１，可変入賞装置３２，上作動口３３，下作動口３４，スルーゲート３５、可変表示ユニット３６、メイン表示部４３及び役物用表示部４４等がそれぞれ設けられている。
【００１８】
一般入賞口３１、可変入賞装置３２、上作動口３３及び下作動口３４への入球が発生すると、それが遊技盤２４の背面側に配設された検知センサ（図示略）により検知され、その検知結果に基づいて所定数の賞球の払い出しが実行される。この場合、上作動口３３への入球が発生した場合及び下作動口３４への入球が発生した場合には３個の賞球の払い出しが実行され、一般入賞口３１への入球が発生した場合には１０個の賞球の払い出しが実行され、可変入賞装置３２への入球が発生した場合には１５個の賞球の払い出しが実行される。但し、これら賞球の個数は任意であり、例えば上作動口３３に係る賞球個数よりも下作動口３４に係る賞球個数が多いといったように、両作動口３３，３４の賞球個数が相違していてもよい。また、可変入賞装置３２に係る賞球個数が他の賞球個数に比べて多い構成に限定されることはなく、例えば一般入賞口３１に係る賞球個数よりも少ない構成としてもよい。
【００１９】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材が配設されている。
【００２０】
ここで、入球とは、所定の開口部を遊技球が通過することを意味し、開口部を通過した後に遊技領域から排出される態様だけでなく、開口部を通過した後に遊技領域から排出されない態様も含まれる。但し、以下の説明では、アウト口３７への遊技球の入球と明確に区別するために、一般入賞口３１、可変入賞装置３２、上作動口３３、下作動口３４又はスルーゲート３５への遊技球の入球を、入賞とも表現する。
【００２１】
上作動口３３及び下作動口３４は、作動口装置としてユニット化されて遊技盤２４に設置されている。上作動口３３及び下作動口３４は共に上向きに開放されている。また、上作動口３３が上方となるようにして両作動口３３，３４は鉛直方向に並んでいる。下作動口３４には、左右一対の可動片よりなるガイド片としての電動役物３４ａが設けられている。
【００２２】
電動役物３４ａは遊技盤２４の背面側に搭載された電動役物駆動部３４ｂに連結されており、当該電動役物駆動部３４ｂにより駆動されて閉鎖状態及び開放状態のいずれかに配置される。電動役物３４ａの閉鎖状態では遊技球が下作動口３４に入賞できず、電動役物３４ａが開放状態となることで下作動口３４への入賞が可能となる。
【００２３】
なお、これに限定されず、下作動口３４への遊技球の入賞が発生し易い状態と、入賞が不可ではないが上記入賞が発生し易い状態よりも入賞が発生しづらい状態とに、電動役物３４ａが切り換えられる構成としてもよい。また、電動役物３４ａを不具備とし、入賞が発生し易い状態とそれよりも入賞が発生しづらい状態との間の切り換えが、下作動口３４自身の変位により行われる構成としてもよい。
【００２４】
可変入賞装置３２は、遊技盤２４の背面側へと通じる図示しない大入賞口を備えているとともに、当該大入賞口を開閉する開閉扉３２ａを備えている。開閉扉３２ａは可変入賞装置３２として一体的に設けられた可変入賞駆動部３２ｂに連結されており、当該可変入賞駆動部３２ｂにより駆動されて、閉鎖状態及び開放状態のいずれかに配置される。具体的には、通常は遊技球が入賞できない閉鎖状態になっており、内部抽選において開閉実行モードへの移行に当選した場合に遊技球が入賞可能な開放状態に切り換えられるようになっている。ちなみに、開閉実行モードとは、大当たり当選又は特別外れとなった場合に移行することとなるモードである。なお、閉鎖状態では入賞が不可ではないが開放状態よりも入賞が発生しづらい状態となる構成としてもよい。
【００２５】
メイン表示部４３では、上作動口３３又は下作動口３４への入賞をトリガとして絵柄の変動表示が行われ、その変動表示の停止結果として、上作動口３３又は下作動口３４への入賞に基づいて行われた内部抽選の結果が表示によって明示される。つまり、本パチンコ機１０では、上作動口３３への入賞と下作動口３４への入賞とが内部抽選において区別されておらず、上作動口３３又は下作動口３４への入賞に基づいて行われた内部抽選の結果が共通の表示領域であるメイン表示部４３にて明示される。そして、上作動口３３又は下作動口３４への入賞に基づく内部抽選の結果が開閉実行モードへの移行に対応した当選結果であった場合には、メイン表示部４３にて所定の停止結果が表示されて変動表示が停止された後に、開閉実行モードへ移行する。
【００２６】
なお、メイン表示部４３は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部４３にて変動表示される絵柄としては、複数種の文字が変動表示される構成、複数種の記号が変動表示される構成、複数種のキャラクタが変動表示される構成又は複数種の色が切り換え表示される構成などが考えられる。
【００２７】
役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下作動口３４に設けられた電動役物３４ａが所定の態様で開放状態となる。
【００２８】
可変表示ユニット３６には、絵柄の一種である図柄を変動表示する図柄表示装置４１が設けられているとともに、図柄表示装置４１を囲むようにしてセンターフレーム４２が配設されている。図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００２９】
図柄表示装置４１では、上作動口３３又は下作動口３４への入賞に基づいて図柄の変動表示が開始される。すなわち、メイン表示部４３において変動表示が行われる場合には、それに合わせて図柄表示装置４１において変動表示が行われる。
【００３０】
図柄表示装置４１の表示内容について、図５を参照して詳細に説明する。図５は図柄表示装置４１の表示面Ｇを示す図である。
【００３１】
図示は省略するが、絵柄の一種である図柄は、「１」〜「９」の数字が各々付された９種類の主図柄と、貝形状の絵図柄からなる副図柄とにより構成されている。より詳しくは、タコ等の９種類のキャラクタ図柄に「１」〜「９」の数字がそれぞれ付されて主図柄が構成されている。
【００３２】
図５（ａ）に示すように、図柄表示装置４１の表示面Ｇには、複数の表示領域として、上段・中段・下段の３つの図柄列Ｚ１，Ｚ２，Ｚ３が設定されている。各図柄列Ｚ１〜Ｚ３は、主図柄と副図柄が所定の順序で配列されて構成されている。詳細には、上図柄列Ｚ１には、「１」〜「９」の９種類の主図柄が数字の降順に配列されると共に、各主図柄の間に副図柄が１つずつ配されている。下図柄列Ｚ３には、「１」〜「９」の９種類の主図柄が数字の昇順に配列されると共に、各主図柄の間に副図柄が１つずつ配されている。
【００３３】
つまり、上図柄列Ｚ１と下図柄列Ｚ３は１８個の図柄により構成されている。これに対し、中図柄列Ｚ２には、数字の昇順に「１」〜「９」の９種類の主図柄が配列された上で「９」の主図柄と「１」の主図柄との間に「４」の主図柄が付加的に配列され、これら各主図柄の間に副図柄が１つずつ配されている。つまり、中図柄列Ｚ２に限っては、１０個の主図柄が配されて２０個の図柄により構成されている。
【００３４】
図５（ｂ）に示すように、表示面Ｇは、図柄列毎に３個の図柄が停止表示されるようになっており、結果として３×３の計９個の図柄が停止表示されるようになっている。また、表示面Ｇには、５つの有効ライン、すなわち左ラインＬ１、中ラインＬ２、右ラインＬ３、右下がりラインＬ４、右上がりラインＬ５が設定されている。
【００３５】
上作動口３３又は下作動口３４への入賞に基づいて表示面Ｇにおいて遊技回用の演出が行われる場合には、各図柄列Ｚ１〜Ｚ３の図柄が周期性をもって所定の向きにスクロールするように変動表示が開始される。そして、上図柄列Ｚ１→下図柄列Ｚ３→中図柄列Ｚ２の順に変動表示から待機表示に切り換えられ、最終的に各図柄列Ｚ１〜Ｚ３にて所定の図柄を静止表示した状態で遊技回用の演出が終了される。
【００３６】
また、遊技回用の演出が終了する場合、後述する高確大当たり結果の発生に対応した遊技回であれば、いずれかの有効ラインに同一の奇数の数字が付された図柄の組み合わせが形成され、後述する低確大当たり結果の発生に対応した遊技回であれば、いずれかの有効ラインに同一の偶数の数字が付された図柄の組み合わせが形成される。各大当たり結果の内容については、後に説明する。
【００３７】
なお、いずれかの作動口３３，３４への入賞に基づいて、メイン表示部４３及び図柄表示装置４１にて変動表示が開始され、所定の停止結果を表示し上記変動表示が停止されるまでが遊技回の１回に相当する。
【００３８】
また、図柄表示装置４１における図柄の変動表示の態様は上記のものに限定されることはなく任意であり、図柄列の数、図柄列における図柄の変動表示の方向、各図柄列の図柄数などは適宜変更可能である。また、図柄表示装置４１にて変動表示される絵柄は上記のような図柄に限定されることはなく、例えば絵柄として数字のみが変動表示される構成としてもよい。
【００３９】
センターフレーム４２の前面側における左上部分には、図４に示すように、メイン表示部４３及び図柄表示装置４１に対応した第１保留発光部（第１保留ランプ部）４５が設けられている。遊技球が上作動口３３又は下作動口３４に入賞した個数は最大４個まで保留され、第１保留発光部４５の点灯によってその保留個数が表示されるようになっている。
【００４０】
センターフレーム４２の右上部分には、役物用表示部４４に対応した第２保留発光部（第２保留ランプ部）４６が設けられている。遊技球がスルーゲート３５を通過した回数は最大４回まで保留され、第２保留発光部４６の点灯によってその保留個数が表示されるようになっている。なお、各保留発光部４５，４６の機能が図柄表示装置４１の一部の領域における表示により果たされる構成としてもよい。
【００４１】
遊技盤２４には、内レール部４８と外レール部４９とが取り付けられており、これら内レール部４８と外レール部４９とにより誘導レールが構成され、遊技球発射機構５１から発射された遊技球が遊技領域の上部に案内されるようになっている。遊技球発射機構５１は、図２に示すように、樹脂ベース２１における窓孔２３の下方に取り付けられており、誘導レールに向けて延びる発射レール５２と、後述する上皿６１ａに貯留されている遊技球を発射レール５２上に供給する球送り装置５３と、発射レール５２上に供給された遊技球を誘導レールに向けて発射させる電動アクチュエータであるソレノイド５４と、を備えている。前扉枠１４に設けられた発射ハンドル５５が操作されることによりソレノイド５４が駆動制御され、遊技球が発射される。
【００４２】
内枠１３の前面側全体を覆うようにして前扉枠１４が設けられている。前扉枠１４には、図１に示すように、遊技領域のほぼ全域を前方から視認することができるようにした窓部５６が形成されている。窓部５６は、略楕円形状をなし、窓パネル５７が嵌め込まれている。窓パネル５７は、ガラスによって無色透明に形成されているが、これに限定されることはなく合成樹脂によって無色透明に形成されていてもよく、パチンコ機１０前方から窓パネル５７を通じて遊技領域を視認可能であれば有色透明に形成されていてもよい。
【００４３】
窓部５６の周囲には、各種ランプ部等の発光手段が設けられている。各種ランプ部の一部として表示ランプ部５８が窓部５６の上方に設けられている。
【００４４】
前扉枠１４における窓部５６の下方には、手前側へ膨出した上側膨出部６１と下側膨出部６２とが上下に並設されている。上側膨出部６１内側には上方に開口した上皿６１ａが設けられており、下側膨出部６２内側には同じく上方に開口した下皿６２ａが設けられている。上皿６１ａは、後述する払出装置より払い出された遊技球を一旦貯留し、一列に整列させながら遊技球発射機構５１側へ導くための機能を有する。また、下皿６２ａは、上皿６１ａ内にて余剰となった遊技球を貯留する機能を有する。
【００４５】
パチンコ機１０は、そのパチンコ機１０の上部に設けられたスピーカ部９０を有している。スピーカ部９０は、演出音や報知音といった音（音声メッセージを含む可聴音）を出力することが可能となっている。演出音は、遊技中の演出効果を高めることが可能な音であり、演出音としては、演出に応じたメロディや遊技状態に応じた効果音などが挙げられる。報知音としては、遊技者にパチンコ機１０の状態を知らせる案内音や、ホール管理者に不正発生を知らせる不正発生音などが挙げられる。
【００４６】
スピーカ部９０は、前扉枠１４の上側の各隅角寄りの部分に１個ずつ設けられている。各スピーカ部９０は、音信号が入力されることで音を出力する音出力手段としてのスピーカ９１（図２参照）と、スピーカ９１をパチンコ機前面側から覆うスピーカカバー９２とをそれぞれ有している。スピーカカバー９２は、前扉枠１４における前面の一部を形成しており、各スピーカ９１は、スピーカカバー９２の裏面側に配置されている。この場合、右のスピーカ９１と左のスピーカ９１とは一対になっている。
【００４７】
スピーカカバー９２には、厚み方向に貫通する孔（図示略）が複数形成されており、スピーカ９１から出力された音がスピーカカバー９２の孔を通じてパチンコ機１０の前方に伝わるようになっている。なお、スピーカカバー９２は、音を伝えるための孔を有していなくても、音を伝えることが可能な構成とされていればよい。
【００４８】
次に、遊技機本体１２の背面側の構成について説明する。
【００４９】
図３に示すように、内枠１３（具体的には、遊技盤２４）の背面には、遊技の主たる制御を司る主制御装置７１と、音声やランプ表示及び図示しない表示制御装置の制御を司る報知・演出制御装置７２と、が搭載されている。
【００５０】
なお、主制御装置７１の基板ボックス７１ａに対して、その開放の痕跡を残すための痕跡手段を付与する又はその開放の痕跡を残すための痕跡構造を設けてもよい。当該痕跡手段としては、基板ボックス７１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス７１ａを構成する複数のケース体間の境界に対して接着剤を塗布する構成が考えられる。なお、このような痕跡構造を、後述する払出制御装置７８の基板ボックスに設けてもよい。
【００５１】
主制御装置７１や報知・演出制御装置７２を含めて内枠１３の背面側を覆うようにして裏パックユニット１５が設置されている。裏パックユニット１５は、透明性を有する合成樹脂により形成された裏パック７３を備えており、当該裏パック７３に対して、払出機構部７４及び制御装置集合ユニット７５が取り付けられている。
【００５２】
払出機構部７４は、遊技場の島設備から供給される遊技球が逐次補給されるタンク７６と、当該タンク７６に貯留された遊技球を払い出すための払出装置７７と、を備えている。払出装置７７より払い出された遊技球は、当該払出装置７７の下流側に設けられた払出通路を通じて、上皿６１ａ又は下皿６２ａに排出される。なお、払出機構部７４には、例えば交流２４ボルトの主電源が供給されるとともに、電源のＯＮ操作及びＯＦＦ操作を行うための電源スイッチを有する裏パック基板が搭載されている。
【００５３】
制御装置集合ユニット７５は、払出装置７７を制御する機能を有する払出制御装置７８と、各種制御装置等で要する所定の電力が生成されて出力されるとともに遊技者による発射ハンドル５５の操作に伴う遊技球の打ち出しの制御が行われる電源及び発射制御装置７９と、を備えている。これら払出制御装置７８と電源及び発射制御装置７９とは、払出制御装置７８がパチンコ機１０後方となるように前後に重ねて配置されている。
【００５４】
裏パック７３には、払出機構部７４及び制御装置集合ユニット７５以外にも、外部端子板８１が設けられている。外部端子板８１は、パチンコ機１０の背面において裏パックユニット１５の回動基端側であって上側の隅角部分に設置されている。外部端子板８１は、パチンコ機１０の状態を遊技ホールの管理コンピュータに認識させるために、所定の信号出力を行うための基板である。
【００５５】
＜電気的構成＞
次に、パチンコ機１０の電気的構成について、図６のブロック図に基づき説明する。
【００５６】
主制御装置７１は、遊技の主たる制御を司る主制御基板１２１と、電源を監視する停電監視基板（電断監視基板）１２５と、を具備している。主制御基板１２１には、メインＭＰＵ１２２が搭載されている。メインＭＰＵ１２２には、制御部及び演算部を含む中央演算処理装置であるＣＰＵの他に、ＲＯＭ１２３及びＲＷＭ１２４が内蔵されている。
【００５７】
ＲＯＭ１２３は、ＮＯＲ型フラッシュメモリやＮＡＮＤ型フラッシュメモリなどの記憶保持に外部からの電力供給が不要なメモリ（すなわち、不揮発性記憶手段）を、読み出し専用として利用するように構成されている。当該ＲＯＭ１２３は、メインＭＰＵ１２２により実行される各種の制御プログラムや固定値データを記憶している。
【００５８】
ＲＷＭ１２４は、ＳＲＡＭやＤＲＡＭなどの記憶保持に外部からの電力供給が必要なメモリ（すなわち、揮発性記憶手段）を読み書き両用として利用するように構成されており、ランダムアクセスが可能であるとともに、同一のデータ容量で比較した場合にＲＯＭ１２３よりも読み出しに要する時間が早いものとなっている。当該ＲＷＭ１２４は、ＲＯＭ１２３内に記憶されている制御プログラムの実行に際して各種のデータ等を一時的に記憶する。
【００５９】
また、メインＭＰＵ１２２又は主制御基板１２１には、割込回路、タイマ回路、データ入出力回路などが設けられている。なお、メインＭＰＵ１２２に対してＲＯＭ１２３及びＲＷＭ１２４が１チップ化されていることは必須の構成ではなく、それぞれが個別にチップ化された構成としてもよい。
【００６０】
メインＭＰＵ１２２には、入力ポート及び出力ポートがそれぞれ設けられている。メインＭＰＵ１２２の入力側には、停電監視基板１２５、払出制御装置７８及び各種入賞検知センサ１２６ａ〜１２６ｈなどが接続されている。停電監視基板１２５には電源及び発射制御装置７９が接続されており、メインＭＰＵ１２２には停電監視基板１２５を介して電力が供給される。
【００６１】
また、各種入賞検知センサ１２６ａ〜１２６ｈには、一般入賞口３１、可変入賞装置３２、上作動口３３、下作動口３４及びスルーゲート３５といった入賞対応入球部に対して１対１で設けられた検知センサが含まれており、各種入賞検知センサ１２６ａ〜１２６ｈの検知結果に基づいて、メインＭＰＵ１２２において各入球部への入賞判定（入球判定）が行われる。また、メインＭＰＵ１２２では、上作動口３３又は下作動口３４への入賞に基づいて大当たり抽選を実行するとともに、スルーゲート３５への入賞に基づいてサポート抽選を実行する。
【００６２】
メインＭＰＵ１２２の出力側には、停電監視基板１２５、払出制御装置７８及び報知・演出制御装置７２が接続されている。払出制御装置７８には、例えば、上記入球部への入賞判定結果に基づいて賞球コマンドが出力される。報知・演出制御装置７２には、変動用コマンド、種別コマンド、最終停止コマンド、オープニングコマンド及びエンディングコマンドなどの各種コマンドが出力される。
【００６３】
また、メインＭＰＵ１２２の出力側には、可変入賞装置３２の開閉扉３２ａを開閉動作させる可変入賞駆動部３２ｂ、下作動口３４の電動役物３４ａを開閉動作させる電動役物駆動部３４ｂ、メイン表示部４３及び役物用表示部４４が接続されている。主制御基板１２１には各種ドライバ回路が設けられており、当該ドライバ回路を通じてメインＭＰＵ１２２は各種駆動部の駆動制御を実行する。また、図示による説明は省略するが、第１保留発光部４５及び第２保留発光部４６の発光制御もメインＭＰＵ１２２により行われる。
【００６４】
停電監視基板１２５は、主制御基板１２１と電源及び発射制御装置７９とを中継し、また電源及び発射制御装置７９から出力される最大電圧である直流安定２４ボルトの電圧を監視する。払出制御装置７８は、主制御装置７１から入力した賞球コマンドに基づいて、払出装置７７により賞球や貸し球の払出制御を行うものである。
【００６５】
電源及び発射制御装置７９は、例えば、遊技ホール等における商用電源（外部電源）に接続されている。そして、その商用電源から供給される外部電力に基づいて主制御基板１２１や払出制御装置７８等に対して各々に必要な動作電力を生成するとともに、その生成した動作電力を所定の電力経路を通じて供給する。また、電源及び発射制御装置７９は、遊技球発射機構５１の発射制御を担うものであり、発射ハンドル５５に対する所定の発射操作を特定したことに基づいて、遊技球発射機構５１を駆動する。
【００６６】
報知・演出制御装置７２には、表示ランプ部５８及び表示制御装置１２８が接続されており、報知・演出制御装置７２は、主制御装置７１から入力された各種コマンドに基づいて、前扉枠１４に設けられた表示ランプ部５８及びスピーカ９１を駆動制御するとともに、表示制御装置１２８を制御するものである。表示制御装置１２８では、報知・演出制御装置７２から入力したコマンドに基づいて、図柄表示装置４１の表示制御を実行する。
【００６７】
＜メインＭＰＵ１２２にて各種抽選を行うための電気的構成＞
次に、メインＭＰＵ１２２にて各種抽選を行うための電気的な構成について、図７を用いて説明する。
【００６８】
メインＭＰＵ１２２は遊技に際し各種カウンタ情報を用いて、大当たり発生抽選、メイン表示部４３の表示の設定、図柄表示装置４１の図柄表示の設定、役物用表示部４４の表示の設定などを行うこととしており、具体的には、図７に示すように、大当たり発生の抽選に使用する大当たり乱数カウンタＣ１と、大当たり種別を判定する際に使用する大当たり種別カウンタＣ２と、図柄表示装置４１が外れ変動する際のリーチ発生抽選に使用するリーチ乱数カウンタＣ３と、大当たり乱数カウンタＣ１の初期値設定に使用する乱数初期値カウンタＣＩＮＩと、メイン表示部４３及び図柄表示装置４１における表示継続時間を決定する変動種別カウンタＣＳと、を用いることとしている。さらに、下作動口３４の電動役物３４ａを電役開放状態とするか否かの抽選に使用する電動役物開放カウンタＣ４を用いることとしている。なお、上記各カウンタＣ１〜Ｃ３，ＣＩＮＩ，ＣＳ，Ｃ４は、ＲＷＭ１２４の抽選用カウンタエリア１３７ａに設けられている。
【００６９】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新される。大当たり乱数カウンタＣ１、大当たり種別カウンタＣ２及びリーチ乱数カウンタＣ３に対応した情報は、上作動口３３又は下作動口３４への入賞が発生した場合に、取得情報記憶手段としての保留格納エリア１３７ｂに格納される。
【００７０】
保留格納エリア１３７ｂは、保留用エリアＲＥと、実行エリアＡＥとを備えている。保留用エリアＲＥは、第１保留エリアＲＥ１、第２保留エリアＲＥ２、第３保留エリアＲＥ３及び第４保留エリアＲＥ４を備えており、上作動口３３又は下作動口３４への入賞履歴に合わせて、大当たり乱数カウンタＣ１、大当たり種別カウンタＣ２及びリーチ乱数カウンタＣ３の各数値情報が保留情報として、いずれかの保留エリアＲＥ１〜ＲＥ４に格納される。
【００７１】
この場合、第１保留エリアＲＥ１〜第４保留エリアＲＥ４には、上作動口３３又は下作動口３４への入賞が複数回連続して発生した場合に、第１保留エリアＲＥ１→第２保留エリアＲＥ２→第３保留エリアＲＥ３→第４保留エリアＲＥ４の順に各数値情報が時系列的に格納されていく。このように４つの保留エリアＲＥ１〜ＲＥ４が設けられていることにより、上作動口３３又は下作動口３４への遊技球の入賞履歴が最大４個まで保留記憶されるようになっている。
【００７２】
なお、保留記憶可能な数は、４個に限定されることはなく任意であり、２個、３個又は５個以上といったように他の複数であってもよく、単数であってもよい。
【００７３】
実行エリアＡＥは、メイン表示部４３の変動表示を開始する際に、保留用エリアＲＥの第１保留エリアＲＥ１に格納された各値を移動させるためのエリアであり、１遊技回の開始に際しては実行エリアＡＥに記憶されている各種数値情報に基づいて、当否判定などが行われる。
【００７４】
上記各カウンタについて詳細に説明する。
【００７５】
大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口３３又は下作動口３４に入賞したタイミングで保留格納エリア１３７ｂに格納される。
【００７６】
大当たり当選となる乱数の値は、ＲＯＭ１２３における当否情報群記憶手段としての当否テーブル記憶エリアに当否テーブル（当否情報群）として記憶されている。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。
【００７７】
上記抽選に際して低確率モード用の当否テーブルが参照されることとなる遊技状態下では、大当たり当選となる乱数の数は２個である。一方、上記抽選に際して高確率モード用の当否テーブルが参照されることとなる遊技状態下では、大当たり当選となる乱数の数は２０個である。なお、低確率モードよりも高確率モードの方の当選確率が高くなるのであれば、上記当選となる乱数の数は任意である。
【００７８】
大当たり種別カウンタＣ２は、０〜２９の範囲内で順に１ずつ加算され、最大値に達した後０に戻る構成となっている。大当たり種別カウンタＣ２は定期的に更新され、遊技球が上作動口３３又は下作動口３４に入賞したタイミングで保留格納エリア１３７ｂに格納される。
【００７９】
本パチンコ機１０では、複数の大当たり結果が設定されている。これら複数の大当たり結果は、（１）開閉実行モードにおける可変入賞装置３２の開閉制御の態様、（２）開閉実行モード終了後の当否抽選手段における抽選モード、（３）開閉実行モード終了後の下作動口３４の電動役物３４ａにおけるサポートモード、という３つの条件に差異を設けることにより、複数の大当たり結果が設定されている。
【００８０】
開閉実行モードにおける可変入賞装置３２の開閉制御の態様としては、開閉実行モードが開始されてから終了するまでの間における可変入賞装置３２への入賞の発生頻度が相対的に高低となるように高頻度入賞モードと低頻度入賞モードとが設定されている。具体的には、高頻度入賞モード及び低頻度入賞モードのいずれであっても、予め定められた回数のラウンド遊技を上限として実行される。
【００８１】
ここで、ラウンド遊技とは、予め定められた上限継続時間（上限継続期間）が経過すること、及び予め定められた上限個数の遊技球が可変入賞装置３２の大入賞口に入賞することのいずれか一方の条件が満たされるまで継続する遊技のことである。また、大当たり結果が契機となった開閉実行モードにおけるラウンド遊技の回数は、その移行の契機となった大当たり結果の種類がいずれであっても固定ラウンド回数で同一となっている。具体的には、いずれの大当たり結果となった場合であっても、ラウンド遊技の上限回数は１５ラウンド（１５Ｒ）に設定されている。
【００８２】
また、本パチンコ機１０では、可変入賞装置３２の１回の開放態様が、大入賞口が開放されてから閉鎖されるまでの開放継続時間（開放継続期間）を相違させて、複数種類設定されている。詳細には、開放継続時間が長時間である２９ｓｅｃに設定された長時間態様（長期間態様）と、開放継続時間が上記長時間よりも短い短時間である０．０６ｓｅｃに設定された短時間態様（短期間態様）と、が設定されている。
【００８３】
本パチンコ機１０では、発射ハンドル５５が遊技者により操作されている状況では、０．６ｓｅｃに１個の遊技球が遊技領域に向けて発射されるように遊技球発射機構５１が駆動制御される。また、ラウンド遊技は終了条件の上限個数が９個に設定されている。そうすると、上記開放態様のうち長時間態様では、遊技球の発射周期と１回のラウンド遊技との積よりも長い時間の開放継続時間が設定されていることとなる。一方、短時間態様では、遊技球の発射周期と１回のラウンド遊技との積よりも短い時間、より詳細には、遊技球の発射周期よりも短い時間の開放継続時間が設定されている。したがって、長時間態様で可変入賞装置３２の１回の開放が行われた場合には、大入賞口に対して、１回のラウンド遊技における上限個数分の入賞が発生することが期待され、短時間態様で可変入賞装置３２の１回の開放が行われた場合には、大入賞口への入賞が発生しないこと又は入賞が発生するとしても１個程度となることが期待される。
【００８４】
高頻度入賞モードでは、各ラウンド遊技において長時間態様による大入賞口の開放が１回行われる。一方、低頻度入賞モードでは、各ラウンド遊技において短時間態様による大入賞口の開放が１回行われる。
【００８５】
なお、高頻度入賞モード及び低頻度入賞モードにおける大入賞口の開閉回数、ラウンド遊技の回数、１回の開放に対する開放継続時間及び１回のラウンド遊技における上限個数は、高頻度入賞モードの方が低頻度入賞モードよりも、開閉実行モードが開始されてから終了するまでの間における可変入賞装置３２への入賞の発生頻度が高くなるのであれば、上記の値に限定されることはなく任意である。
【００８６】
下作動口３４の電動役物３４ａにおけるサポートモードとしては、遊技領域に対して同様の態様で遊技球の発射が継続されている状況で比較した場合に、下作動口３４の電動役物３４ａが単位時間当たりに開放状態となる頻度が相対的に高低となるように、高頻度サポートモード（高頻度サポート状態又は高頻度ガイド状態）と低頻度サポートモード（低頻度サポート状態又は低頻度ガイド状態）とが設定されている。
【００８７】
具体的には、低頻度サポートモードと高頻度サポートモードとでは、電動役物開放カウンタＣ４を用いた電動役物開放抽選における電役開放状態当選となる確率は同一（例えば、共に４／５）となっているが、高頻度サポートモードでは低頻度サポートモードよりも、電役開放状態当選となった際に電動役物３４ａが開放状態となる回数が多く設定されており、さらに１回の開放時間が長く設定されている。この場合、高頻度サポートモードにおいて電役開放状態当選となり電動役物３４ａの開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間として短い時間が選択されるように設定されている。
【００８８】
上記のように高頻度サポートモードでは、低頻度サポートモードよりも下作動口３４への入賞が発生する確率が高くなる。換言すれば、低頻度サポートモードでは、下作動口３４よりも上作動口３３への入賞が発生する確率が高くなるが、高頻度サポートモードでは、上作動口３３よりも下作動口３４への入賞が発生する確率が高くなる。そして、下作動口３４への入賞が発生した場合には、所定個数の遊技球の払出が実行されるため、高頻度サポートモードでは、遊技者は持ち球をあまり減らさないようにしながら遊技を行うことができる。
【００８９】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。また、１回の電動役物開放抽選が行われてから次の電動役物開放抽選が行われる上で確保される確保時間（例えば、スルーゲート３５への入賞に基づき役物用表示部４４にて実行される変動表示の時間）が複数種類用意されている構成においては、高頻度サポートモードでは低頻度サポートモードよりも、短い確保時間が選択され易い又は平均の確保時間が短くなるように設定されていてもよい。さらには、開放回数を多くする、開放時間を長くする、１回の電動役物開放抽選が行われてから次の電動役物開放抽選が行われる上で確保される確保時間を短くする（すなわち、役物用表示部４４における１回の変動表示時間を短くする）、係る確保時間の平均時間を短くする及び当選確率を高くするのうち、いずれか１条件又は任意の組み合わせの条件を適用することで、低頻度サポートモードに対する高頻度サポートモードの有利性を高めてもよい。
【００９０】
大当たり種別カウンタＣ２に対する遊技結果の振分先は、ＲＯＭ１２３における振分情報群記憶手段としての振分テーブル記憶エリアに振分テーブル（振分情報群）として記憶されている。そして、かかる振分先として、低確大当たり結果（低確率対応特別遊技結果）と、低入賞高確大当たり結果（明示高確率対応遊技結果又は突然確変状態となる結果）と、最有利大当たり結果（高確率対応特別遊技結果）とが設定されている。
【００９１】
低確大当たり結果は、開閉実行モードが高頻度入賞モードとなり、さらに開閉実行モードの終了後には、当否抽選モードが低確率モードとなるとともに、サポートモードが高頻度サポートモードとなる大当たり結果である。但し、この高頻度サポートモードは、移行後において遊技回数が終了基準回数（具体的には、１００回）に達した場合に低頻度サポートモードに移行する。
【００９２】
低入賞高確大当たり結果は、開閉実行モードが低頻度入賞モードとなり、さらに開閉実行モードの終了後には、当否抽選モードが高確率モードとなるとともに、サポートモードが高頻度サポートモードとなる大当たり結果である。これら高確率モード及び高頻度サポートモードは、当否抽選における抽選結果が大当たり状態当選となり、それによる大当たり状態に移行するまで継続する。
【００９３】
最有利大当たり結果は、開閉実行モードが高頻度入賞モードとなり、さらに開閉実行モードの終了後には、当否抽選モードが高確率モードとなるとともに、サポートモードが高頻度サポートモードとなる大当たり結果である。これら高確率モード及び高頻度サポートモードは、当否抽選における抽選結果が大当たり状態当選となり、それによる大当たり状態に移行するまで継続する。
【００９４】
なお、上記各遊技状態との関係で通常遊技状態とは、開閉実行モード（特別遊技状態）ではなく、さらに当否抽選モードが低確率モードであり、サポートモードが低頻度サポートモードである状態をいう。また、遊技結果として、低入賞高確大当たり結果が設定されていない構成としてもよい。
【００９５】
振分テーブルでは、「０〜２９」の大当たり種別カウンタＣ２の値のうち、「０〜９」が低確大当たり結果に対応しており、「１０〜１４」が低入賞高確大当たり結果に対応しており、「１５〜２９」が最有利大当たり結果に対応している。
【００９６】
なお、高確大当たり結果の一種として、開閉実行モードが低頻度入賞モードとなり、さらに開閉実行モードの終了後には、当否抽選モードが高確率モードとなるとともに、サポートモードがそれまでのモードに維持されることとなる非明示の低入賞高確大当たり結果（非明示高確率対応遊技結果又は潜伏確変状態となる結果）が含まれていてもよい。この場合、大当たり結果のさらなる多様化が図られる。
【００９７】
さらにまた、当否抽選における外れ結果の一種として、低頻度入賞モードの開閉実行モードに移行するとともに、その終了後において当否抽選モード及びサポートモードの移行が発生しない特別外れ結果が含まれていてもよい。上記のような非明示の低入賞高確大当たり結果と当該特別外れ結果との両方が設定されている構成においては、開閉実行モードが低頻度入賞モードに移行すること、及びサポートモードがそれまでのモードに維持されることで共通しているのに対して、当否抽選モードの移行態様が異なっていることにより、例えば通常遊技状態において非明示の低入賞高確大当たり結果又は特別外れ結果の一方が発生した場合に、それが実際にいずれの結果に対応しているのかを遊技者に予測させることが可能となる。
【００９８】
リーチ乱数カウンタＣ３は、例えば０〜２３８の範囲内で順に１ずつ加算され、最大値に達した後０に戻る構成となっている。リーチ乱数カウンタＣ３は定期的に更新され、遊技球が上作動口３３又は下作動口３４に入賞したタイミングで保留格納エリア１３７ｂに格納される。
【００９９】
ここで、本パチンコ機１０には、図柄表示装置４１における表示演出の一種としてリーチ表示が設定されている。リーチ表示とは、図柄（絵柄）の変動表示（又は可変表示）を行うことが可能な図柄表示装置４１を備え、可変入賞装置３２の開閉実行モードが高頻度入賞モードとなる遊技回では変動表示後の停止表示結果が特別表示結果となる遊技機において、図柄表示装置４１における図柄（絵柄）の変動表示（又は可変表示）が開始されてから停止表示結果が導出表示される前段階で、前記特別表示結果となり易い変動表示状態であると遊技者に思わせるための表示状態をいう。
【０１００】
リーチ表示には、図柄表示装置４１の表示画面に表示される複数の図柄列のうち一部の図柄列について図柄を停止表示させることで、高頻度入賞モードの発生に対応した大当たり図柄の組み合わせが成立する可能性があるリーチ図柄の組み合わせを表示し、その状態で残りの図柄列において図柄の変動表示を行う表示状態が含まれる。また、上記のようにリーチ図柄の組み合わせを表示した状態で、残りの図柄列において図柄の変動表示を行うとともに、その背景画像において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０１０１】
リーチ表示は、高頻度入賞モードとなる開閉実行モードに移行する遊技回では、リーチ乱数カウンタＣ３の値に関係なく実行される。また、開閉実行モードに移行しない遊技回では、ＲＯＭ１２３のリーチ用テーブル記憶エリアに記憶されたリーチ用テーブルを参照して、所定のタイミングで取得したリーチ乱数カウンタＣ３がリーチ表示の発生に対応している場合に実行される。
【０１０２】
変動種別カウンタＣＳは、例えば０〜１９８の範囲内で順に１ずつ加算され、最大値に達した後０に戻る構成となっている。変動種別カウンタＣＳは、メイン表示部４３における変動表示時間（表示継続期間）と、図柄表示装置４１における図柄の変動表示時間（表示継続期間）とをメインＭＰＵ１２２において決定する上で用いられる。変動種別カウンタＣＳは、後述するメイン処理及びタイマ割込み処理のそれぞれにて更新され、メイン表示部４３における変動表示の開始時及び図柄表示装置４１による図柄の変動開始時における変動パターン決定に際して変動種別カウンタＣＳの値が取得される。なお、変動表示時間の決定に際しては、ＲＯＭ１２３の変動表示時間テーブル記憶エリア（変動表示時間情報記憶手段）に予め記憶されている変動表示時間テーブル（変動表示時間情報群）が参照される。
【０１０３】
電動役物開放カウンタＣ４は、例えば、０〜２５０の範囲内で順に１ずつ加算され、最大値に達した後０に戻る構成となっている。電動役物開放カウンタＣ４は定期的に更新され、スルーゲート３５に遊技球が入賞したタイミングでＲＷＭ１２４に設けられた電役保留エリア１３７ｃに格納される。そして、所定のタイミングにおいて、その格納された電動役物開放カウンタＣ４の値によって電動役物３４ａを開放状態に制御するか否かの抽選が行われる。
【０１０４】
＜メインＭＰＵ１２２にて実行される各種処理について＞
次に、メインＭＰＵ１２２にて遊技を進行させるために実行される各処理を説明する。かかるメインＭＰＵ１２２の処理としては大別して、電源投入に伴い起動されるメイン処理と、定期的に起動されるタイマ割込み処理とがある。
【０１０５】
＜メイン処理＞
先ず、図８のフローチャートを参照しながらメイン処理を説明する。
【０１０６】
先ずステップＳ１０１では、電源投入ウェイト処理を実行する。当該電源投入ウェイト処理では、例えばメイン処理が起動されてから１ｓｅｃが経過するまで次の処理に進行することなく待機する。続くステップＳ１０２ではＲＷＭ１２４のアクセスを許可するとともに、ステップＳ１０３にてメインＭＰＵ１２２の内部機能レジスタの設定を行う。
【０１０７】
その後、ステップＳ１０４では、電源及び発射制御装置７９に設けられたＲＷＭ消去スイッチが手動操作されているか否かを判定し、続くステップＳ１０５では、ＲＷＭ１２４の停電フラグに「１」がセットされているか否かを判定する。また、ステップＳ１０６ではチェックサムを算出するチェックサム算出処理を実行し、続くステップＳ１０７ではそのチェックサムが電源遮断時に保存したチェックサムと一致するか否か、すなわち記憶保持されたデータの有効性を判定する。
【０１０８】
本パチンコ機１０では、例えば遊技ホールの営業開始時など、電源投入時にＲＷＭデータを初期化する場合にはＲＷＭ消去スイッチを押しながら電源が投入される。したがって、ＲＷＭ消去スイッチが押されていれば、ステップＳ１０８の処理に移行する。また、電源遮断の発生情報が設定されていない場合や、チェックサムにより記憶保持されたデータの異常が確認された場合も同様にステップＳ１０８の処理に移行する。ステップＳ１０８では、ＲＷＭ１２４の初期化として当該ＲＷＭ１２４をクリアする。その後、ステップＳ１０９に進む。
【０１０９】
一方、ＲＷＭ消去スイッチが押されていない場合には、停電フラグに「１」がセットされていること、及びチェックサムが正常であることを条件に、ステップＳ１０８の処理を実行することなくステップＳ１０９に進む。ステップＳ１０９では、電源投入設定処理を実行する。電源投入設定処理では、停電フラグの初期化といったＲＷＭ１２４の所定のエリアを初期値に設定するとともに、現状の遊技状態を認識させるために現状の遊技状態に対応したコマンドを報知・演出制御装置７２に送信する。また、払出制御装置７８のＲＷＭの初期化を実行すべきことを示す払出初期化コマンドを払出制御装置７８に送信する。さらに、タイマ割込み処理の発生を許可するために割込み許可の設定を行う。
【０１１０】
その後、ステップＳ１１０〜ステップＳ１１３の残余処理に進む。つまり、メインＭＰＵ１２２はタイマ割込み処理を定期的に実行する構成であるが、１のタイマ割込み処理と次のタイマ割込み処理との間に残余時間が生じることとなる。この残余時間は各タイマ割込み処理の処理完了時間に応じて変動することとなるが、かかる不規則な時間を利用してステップＳ１１０〜ステップＳ１１３の残余処理を繰り返し実行する。この点、当該ステップＳ１１０〜ステップＳ１１３の残余処理は非定期的に実行される非定期処理であると言える。
【０１１１】
残余処理では、先ずステップＳ１１０にて、タイマ割込み処理の発生を禁止するために割込み禁止の設定を行う。続くステップＳ１１１では、乱数初期値カウンタＣＩＮＩの更新を行う乱数初期値更新処理を実行するとともに、ステップＳ１１２にて変動種別カウンタの更新を行う変動用カウンタ更新処理を実行する。これらの更新処理では、ＲＷＭ１２４の対応するカウンタから現状の数値情報を読み出し、その読み出した数値情報を１加算する処理を実行した後に、読み出し元のカウンタに上書きする処理を実行する。この場合、カウンタ値が最大値に達した際それぞれ「０」にクリアする。その後、ステップＳ１１３にて、タイマ割込み処理の発生を禁止している状態から許可する状態へ切り換える割込み許可の設定を行う。ステップＳ１１３の処理を実行したら、ステップＳ１１０に戻り、ステップＳ１１０〜ステップＳ１１３の処理を繰り返す。
【０１１２】
＜タイマ割込み処理＞
次に、図９のフローチャートを参照しながらタイマ割込み処理を説明する。
【０１１３】
ここで、メインＭＰＵ１２２にてタイマ割込み処理を定期的に実行するためのハード構成について説明する。主制御基板１２１には所定周期でパルス信号を出力するパルス信号出力手段としてクロック回路が設けられており、さらに当該クロック回路とメインＭＰＵ１２２との間の信号経路の途中位置に存在するように分周回路が設けられている。
【０１１４】
分周回路は、クロック回路からのパルス信号の周期を変更する周波数変更手段として機能し、タイマ割込み処理の起動タイミングをメインＭＰＵ１２２にて特定するためのパルス信号を出力するように構成されている。つまり、分周回路からメインＭＰＵ１２２に対して特定周期である４ｍｓｅｃ周期の間隔でパルス信号が供給されるようになっている。メインＭＰＵ１２２では、かかるパルス信号の立ち上がり又は立下りといった特定の信号形態の発生を確認する処理を実行し、特定の信号形態の発生を確認したことを少なくとも一の条件としてタイマ割込み処理を起動して実行する。
【０１１５】
この場合、タイマ割込み処理の起動が禁止されている状況において上記特定の信号形態の発生を確認した場合には、その割込みが禁止されている状態から割込みが許可された状態となった場合にタイマ割込み処理が起動される。つまり、メインＭＰＵ１２２における処理の実行状況によっては前回のタイマ割込み処理が開始されてから４．１ｍｓｅｃ経過後に次のタイマ割込み処理が開始される場合が生じ、このような事象が発生した場合には次のタイマ割込み処理は直前のタイマ割込み処理が開始されてから３．９ｍｓｅｃ経過後に開始されることとなる。
【０１１６】
但し、上記分周回路からのパルス信号の出力はメインＭＰＵ１２２における処理の経過内容に関係なく４ｍｓｅｃといった特定周期で行われるため、基本的にはタイマ割込み処理は特定周期で起動される。さらにまた、メインＭＰＵ１２２の処理構成は、所定のタイミングにおけるタイマ割込み処理が前回のタイマ割込み処理が起動されてから特定周期を超える期間が経過した後に起動されたとしても、当該所定のタイミングの次のタイミングにおけるタイマ割込み処理にてその特定周期を超えた分が吸収されて、さらに次のタイミングにおけるタイマ割込み処理ではパルス信号の入力を確認したタイミングで起動されるように設定されている。
【０１１７】
さて、タイマ割込み処理では、先ずステップＳ２０１にて停電情報記憶処理を実行する。停電情報記憶処理では、停電監視基板１２５から電源遮断の発生に対応した停電信号を受信しているか否かを監視し、停電の発生を特定した場合には停電時処理を実行する。
【０１１８】
続くステップＳ２０２では抽選用乱数更新処理を実行する。抽選用乱数更新処理では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４から現状の数値情報を順次読み出し、それら読み出した数値情報をそれぞれ１加算する処理を実行した後に、読み出し元のカウンタに上書きする処理を実行する。この場合、カウンタ値が最大値に達した際それぞれ「０」にクリアする。
【０１１９】
その後、ステップＳ２０３ではステップＳ１１１と同様に乱数初期値更新処理を実行するとともに、ステップＳ２０４にてステップＳ１１２と同様に変動用カウンタ更新処理を実行する。続くステップＳ２０５では、遊技停止判定処理を実行する。遊技停止判定処理では、遊技の進行を停止すべき状況であるか否かを監視し、遊技の進行を停止すべき状況であれば遊技を進行させるための処理の実行を停止する。
【０１２０】
その後、ステップＳ２０６では遊技の進行を停止している状態であるか否かを判定し、遊技の進行を停止していない状態であることを条件に、ステップＳ２０７以降の処理を実行する。
【０１２１】
ステップＳ２０７では、ポート出力処理を実行する。ポート出力処理では、前回のタイマ割込み処理において出力情報の設定が行われている場合に、その出力情報に対応した出力を各種駆動部３２ｂ，３４ｂに行うための処理を実行する。例えば、可変入賞装置３２の大入賞口を開放状態に切り換えるべき情報が設定されている場合には可変入賞駆動部３２ｂへの駆動信号の出力を開始させ、閉鎖状態に切り換えるべき情報が設定されている場合には当該駆動信号の出力を停止させる。また、下作動口３４の電動役物３４ａを開放状態に切り換えるべき情報が設定されている場合には電動役物駆動部３４ｂへの駆動信号の出力を開始させ、閉鎖状態に切り換えるべき情報が設定されている場合には当該駆動信号の出力を停止させる。
【０１２２】
続くステップＳ２０８では、読み込み処理を実行する。読み込み処理では、停電信号及び入賞信号以外の信号の読み込みを実行し、その読み込んだ情報を今後の処理にて利用するために記憶する。
【０１２３】
続くステップＳ２０９では入賞検知処理を実行する。当該入賞検知処理では、各入賞検知センサ１２６ａ〜１２６ｈから受信している信号を読み込むとともに、一般入賞口３１、可変入賞装置３２の大入賞口、上作動口３３、下作動口３４及びスルーゲート３５への入賞の有無を特定する処理を実行する。
【０１２４】
続くステップＳ２１０では、ＲＷＭ１２４に設けられている複数種類のタイマカウンタの数値情報をまとめて更新するためのタイマ更新処理を実行する。この場合、記憶されている数値情報が減算されて更新されるタイマカウンタを集約して扱う構成であるが、減算式のタイマカウンタの更新及び加算式のタイマカウンタの更新の両方を集約して行う構成としてもよい。
【０１２５】
続くステップＳ２１１では、不正用の監視対象として設定されている所定の事象が発生しているか否かを監視する不正検知処理を実行する。当該不正検知処理では、複数種類の事象の発生を監視し、所定の事象が発生していることを確認することで、次回のタイマ割込み処理における上記ステップＳ２０５にて遊技停止用の設定を行い、ステップＳ２０６にて肯定判定するようになる。
【０１２６】
続くステップＳ２１２では、遊技球の発射制御を行うための発射制御処理を実行する。発射ハンドル５５に対して発射操作が継続されている状況では、既に説明したとおり、所定の発射周期である０．６ｓｅｃに１個の遊技球が発射される。
【０１２７】
続くステップＳ２１３では、入力状態監視処理として、ステップＳ２０８の読み込み処理にて読み込んだ情報に基づいて、各入賞検知センサ１２６ａ〜１２６ｈの断線確認や、遊技機本体１２や前扉枠１４の開放確認を行う。
【０１２８】
続くステップＳ２１４では、遊技回の実行制御及び開閉実行モードの実行制御を行うための特図特電制御処理を実行する。当該特図特電制御処理では、保留格納エリア１３７ｂに記憶されている保留情報の数が上限数未満である状況で上作動口３３又は下作動口３４への入賞が発生した場合に、その時点における大当たり乱数カウンタＣ１、大当たり種別カウンタＣ２及びリーチ乱数カウンタＣ３の各数値情報を保留情報として、保留格納エリア１３７ｂに時系列的に格納していく処理を実行する。また、特図特電制御処理では、遊技回中及び開閉実行モード中ではなく且つ保留情報が記憶されていることを条件に、その保留情報が大当たり当選に対応しているか否かを判定する当否判定処理、及び大当たり当選に対応している場合にはその保留情報がいずれの大当たり結果に対応しているのかを判定する振分判定処理を実行する。また、特図特電制御処理では、当否判定処理及び振分判定処理だけでなく、その保留情報が大当たり当選に対応していない場合には、その保留情報がリーチ発生に対応しているか否かを判定するリーチ判定処理を実行するとともに、その時点における変動種別カウンタＣＳの数値情報を利用して遊技回の継続時間を選択する継続時間の選択処理を実行する。そして、それら各処理の結果に応じた継続時間の情報を含む変動用コマンドと、遊技結果の情報を含む種別コマンドとを、報知・演出制御装置７２に送信するとともに、メイン表示部４３における絵柄の変動表示を開始させる。これにより、１遊技回が開始された状態となり、メイン表示部４３及び図柄表示装置４１にて遊技回用の演出が開始される。
【０１２９】
また、特図特電制御処理では、１遊技回の実行中にはその遊技回の終了タイミングであるか否かを判定し、終了タイミングである場合には遊技結果に対応した表示を行った状態で、その遊技回を終了させる処理を実行する。この場合、遊技回を終了させるべきことを示す最終停止コマンド（又は確定コマンド）を報知・演出制御装置７２に送信する。また、特図特電制御処理では、遊技回の結果が開閉実行モードへの移行に対応した結果である場合には、当該開閉実行モードを開始させるための処理を実行する。この開始に際しては、開閉実行モードが開始されることを示すオープニングコマンドを報知・演出制御装置７２に送信する。また、特図特電制御処理では、各ラウンド遊技を開始させるための処理及び各ラウンド遊技を終了させるための処理を実行する。これら各処理に際して、ラウンド遊技が開始されること（又は可変入賞装置３２が開放状態となること）を示す開放コマンドを報知・演出制御装置７２に送信するとともに、ラウンド遊技が終了されること（又は可変入賞装置３２が閉鎖状態となること）を示す閉鎖コマンドを報知・演出制御装置７２に送信する。また、特図特電制御処理では、開閉実行モードを終了させる場合にそのことを示すエンディングコマンドを報知・演出制御装置７２に送信するとともに、開閉実行モード後の当否抽選モードやサポートモードを設定するための処理を実行する。
【０１３０】
タイマ割込み処理においてステップＳ２１４の特図特電制御処理を実行した後は、ステップＳ２１５にて普図普電制御処理を実行する。普図普電制御処理では、スルーゲート３５への入賞が発生している場合に普図側の保留情報を取得するための処理を実行するとともに、普図側の保留情報が記憶されている場合にその保留情報について開放判定を行い、さらにその開放判定を契機として普図用の演出を行うための処理を実行する。また、開放判定の結果に基づいて、下作動口３４の電動役物３４ａを開閉させる処理を実行する。
【０１３１】
続くステップＳ２１６では、直前のステップＳ２１４及びステップＳ２１５の処理結果に基づいて、メイン表示部４３に係る保留情報の増減個数を第１保留発光部４５に反映させるための出力情報の設定を行うとともに、役物用表示部４４に係る保留情報の増減個数を第２保留発光部４６に反映させるための出力情報の設定を行う。また、ステップＳ２１６では、直前のステップＳ２１４及びステップＳ２１５の処理結果に基づいて、メイン表示部４３の表示内容を更新させるための出力情報の設定を行うとともに、役物用表示部４４の表示内容を更新させるための出力情報の設定を行う。
【０１３２】
続くステップＳ２１７では、遊技回及び開閉実行モードのいずれもが実行されていない状況において図柄表示装置４１の表示内容を待機表示用のものとするためのデモ表示用処理を実行するとともに、ステップＳ２１８では、払出制御装置７８から受信したコマンド及び信号の内容を確認し、その確認結果に対応した処理を行うための払出状態受信処理を実行する。また、ステップＳ２１９では、賞球コマンドを出力対象として設定するための払出出力処理を実行する。
【０１３３】
続くステップＳ２２０では、今回のタイマ割込み処理にて実行された各種処理の処理結果に応じた外部信号の出力の開始及び終了を制御するための外部情報設定処理を実行する。また、ステップＳ２２１では、試射試験情報を編集するための処理を実行する。
【０１３４】
ステップＳ２０６にて肯定判定をした場合、又はステップＳ２０７〜ステップＳ２２１の処理を実行した後は、ステップＳ２２２に進む。ステップＳ２２２では、割込み終了宣言の設定を実行する。メインＭＰＵ１２２では、一度タイマ割込み処理が起動された場合、次のタイマ割込み処理が起動されるための条件の１つとして割込み終了宣言の設定を行うことが定められており、ステップＳ２２２では、次のタイマ割込み処理の実行を可能とするために割込み終了宣言の設定を行う。また、ステップＳ２２３では、割込み許可の設定を行う。メインＭＰＵ１２２では、タイマ割込み処理が一旦起動されると、割込み禁止の状態に設定されるため、ステップＳ２２３では、次のタイマ割込み処理の実行を可能とするために割込み許可の設定を行う。その後、本タイマ割込み処理を終了する。
【０１３５】
＜演出の実行制御に係る電気的構成＞
次に、演出の実行制御に係る電気的構成について、図１０のブロック図を参照しながら説明する。
【０１３６】
既に説明したとおり、主制御装置７１からの指示に基づき演出の実行を制御するための制御装置として、報知・演出制御装置７２及び表示制御装置１２８を備えている。報知・演出制御装置７２は、図２４に示すように、サブＭＰＵ１４２が搭載された報知・演出制御基板１４１を備えている。サブＭＰＵ１４２には、制御部及び演算部を含む中央演算処理装置であるＣＰＵ１４３の他に、直接用ＲＯＭ１４４及びＲＷＭ１４５が内蔵されている。これらＣＰＵ１４３、直接用ＲＯＭ１４４及びＲＷＭ１４５はバスを介して相互に接続されている。
【０１３７】
直接用ＲＯＭ１４４は、ＮＯＲ型フラッシュメモリやＮＡＮＤ型フラッシュメモリなどの記憶保持に外部からの電力供給が不要なメモリ（すなわち、不揮発性記憶手段）を、読み出し専用として利用するように構成されている。当該直接用ＲＯＭ１４４は、各種の制御プログラムやそのプログラムに応じた処理の実行に際して利用される固定値データを記憶しており、ＣＰＵ１４３は、直接用ＲＯＭ１４４に記憶されている制御プログラムに従って処理を実行することで、主制御装置７１からの指示に基づく演出の実行を制御する。直接用ＲＯＭ１４４は、サブＭＰＵ１４２内の内部バスを介してＣＰＵ１４３と接続されていることに起因して、そのデータ容量を増大化することが比較的困難になっている。
【０１３８】
ＲＷＭ１４５は、ＳＲＡＭやＤＲＡＭなどの記憶保持に外部からの電力供給が必要なメモリ（すなわち、揮発性記憶手段）を読み書き両用として利用するように構成されており、ランダムアクセスが可能であるとともに、同一のデータ容量で比較した場合に直接用ＲＯＭ１４４よりも読み出しに要する時間が早いものとなっている。当該ＲＷＭ１４５は、直接用ＲＯＭ１４４内に記憶されている制御プログラムの実行に際して各種のデータ等を一時的に記憶するものであり、各種フラグ格納エリアや各種カウンタ格納エリアを有している。なお、サブＭＰＵ１４２に対して直接用ＲＯＭ１４４及びＲＷＭ１４５が１チップ化されていることは必須の構成ではなく、それぞれが個別にチップ化された構成としてもよい。
【０１３９】
サブＭＰＵ１４２では、主制御装置７１からの指示に基づき、所定期間における演出の内容を決定し、その決定した演出の内容に応じたコマンドを表示制御装置１２８に送信する。かかるコマンドは、サブＭＰＵ１４２と表示ＭＰＵ１６２とを接続するように設けられた信号経路が利用される。
【０１４０】
表示制御装置１２８は、表示ＭＰＵ１６２、描画ＬＳＩとして設けられたＶＤＰ１６３及び画像用ＲＯＭ１６４が搭載された表示制御基板１６１を備えており、表示ＭＰＵ１６２ではサブＭＰＵ１４２から受信したコマンドに応じて所定期間における表示演出の内容を決定し、その決定した表示演出の内容に応じた内部コマンドをＶＤＰ１６３に対して定期的に送信する。
【０１４１】
ＶＤＰ１６３では、表示ＭＰＵ１６２から受信した内部コマンドに応じて画像用ＲＯＭ１６４から画像データを読み出し、その読み出した画像データを利用して各画像の更新タイミングにおける描画データを作成する。そして、その作成した描画データに応じた描画信号を図柄表示装置４１に出力することで、各更新タイミングに対応した画像を図柄表示装置４１の表示面Ｇにて表示させる。
【０１４２】
報知・演出制御装置７２の説明に戻り、サブＭＰＵ１４２は、所定期間における演出の内容を決定した場合、表示制御装置１２８だけでなく表示ランプ部５８の発光制御を実行する。この場合、図２４では、サブＭＰＵ１４２と表示ランプ部５８とが直接接続されているように記載されているが、これに限定されることはなく、サブＭＰＵ１４２と表示ランプ部５８との間に駆動回路が介在していてもよく、中継基板が介在していてもよい。
【０１４３】
サブＭＰＵ１４２は、所定期間における演出の内容を決定した場合、スピーカ９１の駆動制御を実行する。かかるスピーカ９１の駆動制御に際しては、音出力ＬＳＩ１４６及び共通用ＲＯＭ１４７が利用される。
【０１４４】
共通用ＲＯＭ１４７は、ＮＯＲ型フラッシュメモリやＮＡＮＤ型フラッシュメモリなどの記憶保持に外部からの電力供給が不要なメモリ（すなわち、不揮発性記憶手段）を、読み出し専用として利用するように構成されており、報知・演出制御基板１４１に搭載されている。当該共通用ＲＯＭ１４７は、ＣＰＵ１４３に直接接続されているのではなく、音出力ＬＳＩ１４６に対して外付けされていることに起因して、そのデータ容量を増大化することは直接用ＲＯＭ１４４に比べて容易であり、そのデータ容量は任意に設定されている。
【０１４５】
音出力ＬＳＩ１４６は、Ｉ／Ｆ１５１と、レジスタ１５２と、音データ処理部１５３と、ＤＡＣ１５４と、データ転送部１５５と、を備えており、サブＭＰＵ１４２から送信されるデータに従ってスピーカ９１から音を出力するための制御を実行する。
【０１４６】
Ｉ／Ｆ１５１は、双方向通信用の信号経路群として設けられたバスＢ１を介してサブＭＰＵ１４２との間で音出力ＬＳＩ１４６が通信を行うためのインターフェースである。このＩ／Ｆ１５１に接続されたバスＢ１は８本の信号経路Ｊ１〜Ｊ８から構成されており、各信号経路Ｊ１〜Ｊ８を介して、サブＭＰＵ１４２と音出力ＬＳＩ１４６との間でデータの送受信が行われる。
【０１４７】
レジスタ１５２は、音出力ＬＳＩ１４６にて利用される各種データを一時的に記憶するための記憶手段としての機能を有しており、記憶保持に外部からの電力供給が必要なメモリを読み書き両用として利用するように構成されている。また、ランダムアクセスが可能であるとともに、同一のデータ容量で比較した場合に、直接用ＲＯＭ１４４及び共通用ＲＯＭ１４７よりも読み出しに要する時間が早いものとなっている。
【０１４８】
当該レジスタ１５２は、複数のデータを同時に記憶保持可能なように、多数バイトのデータ容量を有している。
【０１４９】
レジスタ１５２には、複数のパラメータ用のエリア及びシーケンスデータ用のエリアが設けられている。パラメータ用のエリアには、メロディや効果音の出力を行う上で必要なパラメータデータが格納されるとともに、音声の出力を行う上で必要なパラメータデータが格納される。パラメータ用のエリアが複数設けられていることにより、複数の音をスピーカ９１から同時に出力することが可能となっている。シーケンスデータ用のエリアには、シーケンスデータが格納される。
【０１５０】
音データ処理部１５３は、サブＭＰＵ１４２から送信されレジスタ１５２に記憶されているシーケンスデータ及びパラメータデータを音の出力を行う上で利用可能なように変換するとともに、その変換結果の内容と共通用ＲＯＭ１４７から読み出された音データとを利用してデジタル楽音データを作成する機能を有する。ちなみに、シーケンスデータには、一連の音の出力開始タイミングや出力順序を示す時間データが含まれており、パラメータデータには、所定のタイミングにおける音の音高、音量及び音色などを定めるデータが含まれている。
【０１５１】
また、音データ処理部１５３は、同時に複数の異なる音を出力可能とするように複数の発音チャンネルの機能を有しており、発音チャンネル毎に作成したデジタル楽音データを合成してデジタル合成楽音データを作成する機能を有する。なお、複数の発音チャンネルとして、１６チャンネル分の機能を有しているが、このチャンネル数は任意である。また、仮想トラックを利用することにより、実際の発音チャンネル数よりも多い数のトラック（例えば６４トラック）を利用可能となっているが、かかる仮想トラックを利用しない構成としてもよい。
【０１５２】
ＤＡＣ１５４は、デジタル／アナログコンバータである。ＤＡＣ１５４では、音データ処理部１５３にて作成されたデジタル楽音データ又はデジタル合成楽音データをアナログ信号に変換した音信号をアナログ音声信号としてスピーカ９１に出力する機能を有している。つまり、音データから音信号を生成する機能を有している。
【０１５３】
データ転送部１５５は、双方向通信用の信号経路群として設けられたバスＢ２を介して共通用ＲＯＭ１４７と接続されており、当該共通用ＲＯＭ１４７から読み出したデータをレジスタ１５２に転送する機能を有している。このデータ転送部１５５と共通用ＲＯＭ１４７との間に設けられたバスＢ２は１６本の信号経路から構成されており、その信号経路の数はサブＭＰＵ１４２とＩ／Ｆ１５１との間のバスＢ１よりも多い数となっている。そして、データ転送部１５５と共通用ＲＯＭ１４７との間のデータの通信速度は、サブＭＰＵ１４２とＩ／Ｆ１５１との間のデータの通信速度よりも速いものとなっている。データ転送部１５５では、音データ処理部１５３においてシーケンスデータ及びパラメータデータから変換されたデータに基づき、音の出力に必要な音データを共通用ＲＯＭ１４７から読み出し、レジスタ１５２に記憶させる。
【０１５４】
ここで、データ転送部１５５は、音データ処理部１５３において必要な音データをレジスタ１５２に転送する機能だけでなく、サブＭＰＵ１４２において必要なデータを共通用ＲＯＭ１４７から読み出してレジスタ１５２に記憶させるとともに、そのレジスタ１５２に記憶させたデータをサブＭＰＵ１４２に転送する機能を有している。かかるデータ転送に係る構成について以下に説明する。
【０１５５】
＜直接用ＲＯＭ１４４及び共通用ＲＯＭ１４７のデータ構成＞
先ず、直接用ＲＯＭ１４４及び共通用ＲＯＭ１４７のデータ構成について、図１１を参照しながら説明する。図１１（ａ）は直接用ＲＯＭ１４４のデータ構成を説明するための説明図であり、図１１（ｂ）は共通用ＲＯＭ１４７のデータ構成を説明するための説明図である。
【０１５６】
図１１（ａ）に示すように、直接用ＲＯＭ１４４には、サブＭＰＵ１４２のＣＰＵ１４３にて演出制御用の処理及び報知制御用の処理を実行するためのプログラム及び処理用データ（１），プログラム及び処理用データ（２），・・・，プログラム及び処理用データ（Ｐ）が予め記憶されている。これらプログラム及び処理用データには、各演出や報知を実行するために利用されるデータテーブルや、音出力ＬＳＩ１４６に提供するためのシーケンスデータ及びパラメータデータを含む。当該ＣＰＵ１４３にて演出制御用の処理及び報知制御用の処理を実行するために必要なプログラム及び処理用データは、直接用ＲＯＭ１４４に全て記憶されている。
【０１５７】
直接用ＲＯＭ１４４には、プログラム及び処理用データ（１），プログラム及び処理用データ（２），・・・，プログラム及び処理用データ（Ｐ）だけでなく、表示ランプ部５８の発光制御を行うために利用される発光データ（１），発光データ（２），・・・，発光データ（Ｑ）が予め記憶されている。これら各発光データには、所定の演出の期間において、表示ランプ部５８のうち点灯対象となる発光部の種類、点灯期間、及び点灯順序の情報が設定されており、これらの発光パターンの内容が各発光データの種類に応じて異なっている。直接用ＲＯＭ１４４に記憶されている各発光データは、対象となる発光制御の期間が相違しているとともに、発光パターンの内容が異なっている。
【０１５８】
一方、図１１（ｂ）に示すように、共通用ＲＯＭ１４７には、スピーカ９１から所定の音を出力するために利用される音データ（１），音データ（２），・・・，音データ（Ｓ）が予め記憶されている。これら各音データは、各種の音色に対応する楽器によって実際に発音させたメロディや音をサンプリングして得られた波形データを含むとともに、歌詞付きのメロディについては、各種の音色に対応する楽器によって発音させたメロディ及び音声をサンプリングして得られた波形データを含む。また、これら音データにより演出音や報知音が形成され、これら音データは、全て共通用ＲＯＭ１４７に記憶されている。
【０１５９】
共通用ＲＯＭ１４７には、音データ（１），音データ（２），・・・音データ（Ｓ）だけでなく、発光データ（Ｑ＋１），発光データ（Ｑ＋２），・・・，発光データ（Ｒ）が予め記憶されている。これら各発光データは、対象となる発光制御の期間が相違しているとともに、発光パターンの内容が異なっている。
【０１６０】
上記のようにサブＭＰＵ１４２にて利用される発光データは、当該サブＭＰＵ１４２のＣＰＵ１４３に対してバスを介して直接接続された直接用ＲＯＭ１４４だけではなく、音出力ＬＳＩ１４６に接続された共通用ＲＯＭ１４７にも記憶されている。換言すれば、発光データは、直接用ＲＯＭ１４４と、共通用ＲＯＭ１４７とに分配して記憶されている。
【０１６１】
＜共通用ＲＯＭ１４７＞
報知・演出制御基板１４１は、所定の配線パターンが付与されたプリント基板等の回路基板１６８を有しており、共通用ＲＯＭ１４７は、回路基板１６８に表面実装されていることで報知・演出制御基板１４１に搭載されている。ここでは、共通用ＲＯＭ１４７の構成について、図１２、図１３を参照しつつ説明する。図１２は共通用ＲＯＭ１４７周辺の斜視図、図１３は共通用ＲＯＭ１４７及びソケット１７４を示す図である。なお、図１２においては、（ａ）に共通用ＲＯＭ１４７がソケット１７４に装着された状態を示し、（ｂ）に共通用ＲＯＭ１４７がソケット１７４に装着されていない状態を示す。また、図１３においては、（ａ）に共通用ＲＯＭ１４７の表面を示し、（ｂ）にソケット１７４の平面図を示す。
【０１６２】
図１２（ｂ）、図１３（ａ）に示すように、共通用ＲＯＭ１４７は、集積回路（ＩＣ）が形成されたＩＣチップを複数収納しているパッケージ１７１と、その集積回路に接続されたパッケージ端子１７２とを有しており、電子部品に相当するものである。共通用ＲＯＭ１４７においては、各チップに各種データが記憶されている。
【０１６３】
パッケージ１７１は、全体として長方形板状に形成されており、パッケージ端子１７２は、パッケージ１７１の裏面に沿って複数列でマトリックス状に複数（例えば８８個）設けられている。例えば、パッケージ１７１の長辺に沿ってｍ列（例えば４列）並べられ、各列においてパッケージ１７１の短辺に沿ってｎ個ずつ（例えば２２個ずつ）並べられている。パッケージ１７１においては、その長辺方向に並ぶパッケージ端子１７２の間隔が、その短辺方向に並ぶパッケージ端子１７２の間隔よりも大きくされている。
【０１６４】
パッケージ端子１７２は、長方形板状の電極パッドであり、その平坦面がパッケージ１７１の裏面側に露出した状態で設けられている。パッケージ端子１７２においては、その長辺がパッケージ１７１の長辺と平行に延びており、その短辺がパッケージ１７１の短辺と平行に延びている。
【０１６５】
図１２（ａ），（ｂ）、図１３（ｂ）に示すように、回路基板１６８には、共通用ＲＯＭ１４７が装着されたソケット１７４が設けられている。ソケット１７４は、回路基板１６８に取り付けられたソケット本体１７５と、回路基板１６８の配線パターンに接続されたソケット端子１７６とを有している。ソケット本体１７５は、回路基板１６８側に向けて凹んだ凹部１７７を有しており、この凹部１７７内に共通用ＲＯＭ１４７が入り込んだ状態になっている。
【０１６６】
ソケット端子１７６は、凹部１７７の底部に設けられ、凹部１７７の開放側（共通用ＲＯＭ１４７側）に向けて延びており、その先端部がパッケージ端子１７２の板面に接触していることでそのパッケージ端子１７２に導通している。ソケット端子１７６は、各パッケージ端子１７２に１対１で対応するように複数設けられており、ソケット１７４に対して共通用ＲＯＭ１４７が適正に装着された状態では、各パッケージ端子１７２が対応するソケット端子１７６のそれぞれに通電可能に接触している。なお、各ソケット端子１７６は、パッケージ端子１７２の配置に合わせて、凹部１７７の底面（回路基板１６８）に沿って所定間隔で並べられている。この場合、パッケージ端子１７２とソケット端子１７６とが複数組設けられていることになる。
【０１６７】
ソケット端子１７６は、凹部１７７内に対して出没可能になっている。例えば、ソケット端子１７６は、弾性変形可能な導電性材料により形成されており、ソケット１７４に共通用ＲＯＭ１４７が装着されていない状態では凹部１７７内に突出している一方で、共通用ＲＯＭ１４７が装着された状態ではその共通用ＲＯＭ１４７により押圧されることで回路基板１６８側に押し込まれた状態になっている。これにより、パッケージ端子１７２がソケット端子１７６に対して確実に接触するようになっている。
【０１６８】
パッケージ端子１７２に対するソケット端子１７６の接触部分（先端部）は、そのソケット端子１７６の出没に伴って、ソケット１７４の厚み方向に対して斜めに移動するようになっている。例えば、ソケット端子１７６がソケット１７４の厚み方向に対して斜めに延びている。この場合、ソケット端子１７６の先端部がパッケージ端子１７２の板面に接触しながらその板面に沿って移動することで、ソケット端子１７６及びパッケージ端子１７２のそれぞれの接触部分がクリーニングされることになる。このため、ソケット端子１７６とパッケージ端子１７２とが接触しているにもかかわらず通電しないという事態を回避できる。
【０１６９】
ソケット１７４には、ソケット端子１７６の弾性力に抗して共通用ＲＯＭ１４７を凹部１７７内に押し込んでいる押さえ部材１７９が取り付けられている。共通用ＲＯＭ１４７は、押さえ部材１７９とソケット１７４との間に挟み込まれた状態になっており、それによって、パッケージ端子１７２とソケット端子１７６とが接触した状態が保持されている。押さえ部材１７９は、ソケット１７４に引っ掛けられた引っ掛け部を有しており、ソケット１７４に対する押さえ部材１７９の取り付け状態がその引っ掛け部により保持されている。
【０１７０】
＜検出回路１８１，１８２＞
ここで、ソケット１７４に対する押さえ部材１７９の引っ掛かり状態が適正でない場合や、ソケット１７４の凹部１７７内への共通用ＲＯＭ１４７の入り込みが浅い場合などは、ソケット１７４に対する共通用ＲＯＭ１４７の装着状態が適正になっていないことが懸念される。これに対して、報知・演出制御装置７２には、ソケット１７４に対する共通用ＲＯＭ１４７の装着状態が適正になっていないことを検出する検出回路１８１，１８２が設けられている。検出回路１８１，１８２は、ソケット１７４に装着された共通用ＲＯＭ１４７が適正な位置からずれていることを検出する位置ずれ検出回路と称することもできる。
【０１７１】
検出回路１８１，１８２について、図１３〜図１８を参照しつつ説明する。図１４は検出回路１８１，１８２を示す図、図１５は検出回路１８１，１８２について共通用ＲＯＭ１４７及び回路基板１６８の各回路を示す図、図１６は共通用ＲＯＭ１４７が適正位置Ｎ０にある場合の図である。なお、図１５においては、（ａ）に共通用ＲＯＭ１４７の回路を示し、（ｂ）に回路基板１６８の回路を示す。図１６においては、（ａ）に共通用ＲＯＭ１４７の位置を示し、（ｂ）に第１検出回路１８１の状態を示し、（ｃ）に第２検出回路１８２の状態を示す。
【０１７２】
図１４に示すように、共通用ＲＯＭ１４７は、アドレスが入力されるＡ１，Ａ２…等のＡ端子と、データを入出力可能にするＤ１，Ｄ２…等のＤ端子と、データの入出力を行うチップを選択するＣＥ端子と、データを出力可能にするＯＥ端子と、データを入力可能にするＷＥ端子と、所定電圧（＋Ｖ）が印加されることで共通用ＲＯＭ１４７の動作電力が供給されるＶＣＣ端子と、基準電位とされるＶＳＳ端子とを有しており、これらの端子がパッケージ端子１７２のいずれかに割り当てられている。
【０１７３】
ＶＳＳ端子は、接地ラインに接続されていることで接地されており、それによって、基準電圧が０Ｖとされている。ＶＣＣ端子は、バイパスコンデンサＣを介して接地ラインに接続されており、それによって、ＶＣＣ端子に印加される電圧が安定化されるとともに、ノイズの発生が抑制される。また、ＶＣＣ端子は、電源ラインに接続されていることで所定電圧（＋Ｖ）として電源電圧が印加されている。
【０１７４】
なお、ＶＣＣ端子及びＶＳＳ端子は複数ずつ設定されており、それによって、共通用ＲＯＭ１４７に大きな電力を供給することが可能になっている。また、共通用ＲＯＭ１４７がチップを複数有していることに起因して、ＣＥ端子も複数設けられている。
【０１７５】
共通用ＲＯＭ１４７は、上記のＡ端子等に加えて、データの入出力には用いられないテスト端子としてＴ１端子〜Ｔ８端子を有している。これらＴ１端子〜Ｔ８端子は、Ａ端子等とは異なるパッケージ端子１７２に割り当てられており、検出回路１８１，１８２に含まれている。検出回路１８１，１８２のうち、第１検出回路１８１は、ソケット１７４に対する共通用ＲＯＭ１４７の比較的小さい位置ずれを検出することが可能になっており、Ｔ１端子〜Ｔ４端子を含んで構成された回路になっている。一方、第２検出回路１８２は、比較的大きい位置ずれを検出することが可能になっており、Ｔ５端子〜Ｔ８端子を含んで構成された回路になっている。
【０１７６】
第１検出回路１８１は、Ｔ１端子〜Ｔ４端子が直列に接続されることで形成された直列経路１８１ａを有している。直列経路１８１ａにおいては、Ｔ１端子が最も上流側に配置され、Ｔ２端子が最も下流側に配置され、Ｔ３端子及びＴ４端子がＴ１端子とＴ２端子との間に配置されており、上流側からＴ１端子、Ｔ３端子、Ｔ４端子、Ｔ２端子の順で並んでいる。直列経路１８１ａは、Ｔ２端子が接地ラインに接続されていることで接地されている。
【０１７７】
同様に、第２検出回路１８２は、Ｔ５端子〜Ｔ８端子が直列に接続されることで形成された直列経路１８２ａを有している。直列経路１８２ａにおいては、Ｔ５端子が最も上流側に配置され、Ｔ６端子が最も下流側に配置され、Ｔ７端子及びＴ８端子がＴ５端子とＴ６端子との間に配置されており、上流側からＴ５端子、Ｔ７端子、Ｔ８端子、Ｔ６端子の順で並んでいる。直列経路１８２ａは、Ｔ６端子が接地ラインに接続されていることで接地されている。
【０１７８】
なお、直列経路１８１ａ，１８２ａにおいて、Ｔ１端子とＴ３端子とを接続する経路、Ｔ３端子とＴ４端子とを接続する経路、Ｔ５端子とＴ７端子とを接続する経路、Ｔ７端子とＴ８端子とを接続する経路は、共通用ＲＯＭ１４７の内部に設けられており、図１４では図示を省略しているが、これら経路についての詳細は後述する。
【０１７９】
サブＭＰＵ１４２は、検出回路１８１，１８２からの検出信号が入力される検出端子としてＴＥＳＴ１端子及びＴＥＳＴ２端子とを有しており、ＴＥＳＴ１端子には第１検出回路１８１が接続され、ＴＥＳＴ２端子には第２検出回路１８２が接続されている。検出回路１８１，１８２は、サブＭＰＵ１４２に向けて検出信号を出力する出力経路１８１ｂ，１８２ｂを有している。第１検出回路１８１においては、出力経路１８１ｂがＴ１端子に接続されていることで、その出力経路１８１ｂを介して直列経路１８１ａとＴＥＳＴ１端子とが接続されている。第２検出回路１８２においては、出力経路１８２ｂがＴ５端子に接続されていることで、その出力経路１８２ｂを介して直列経路１８２ａとＴＥＳＴ２端子とが接続されている。
【０１８０】
なお、検出回路１８１，１８２は、直列経路１８１ａ，１８２ａと接地ラインとを接続する接地経路１８１ｃ，１８２ｃを有している。共通用ＲＯＭ１４７においては、Ｔ２端子に第１検出回路１８１の接地経路１８１ｃが接続されており、Ｔ６端子に第２検出回路１８２の接地経路１８２ｃが接続されている。
【０１８１】
出力経路１８１ｂ，１８２ｂは、それぞれプルアップ抵抗Ｒを介して、所定電圧（例えば３．３Ｖ）が印加された電圧端子Ｖｔに接続されている。このため、検出回路１８１，１８２においては、直列経路１８１ａ，１８２ａが通電状態にある場合には、ＴＥＳＴ１端子やＴＥＳＴ２端子に電圧端子Ｖｔの所定電圧が印加されず、直列経路１８１ａ，１８２ａから通電信号として０Ｖ（ＬＯＷレベル）が入力される。その一方で、直列経路１８１ａ，１８２ａが遮断状態にある場合には、ＴＥＳＴ１端子やＴＥＳＴ２端子に電圧端子Ｖｔの所定電圧が印加され、直列経路１８１ａ，１８２ａから遮断信号として所定電圧（ＨＩレベル）が入力される。
【０１８２】
次に、共通用ＲＯＭ１４７におけるＴ１端子〜Ｔ８端子の配置や、接続構成について説明する。
【０１８３】
共通用ＲＯＭ１４７においては、Ｔ１端子〜Ｔ８端子が、あらかじめ定められた所定のパッケージ端子１７２に割り当てられている一方、Ａ端子やＣＥ端子などその他の端子は、Ｔ１端子〜Ｔ８端子とは異なる端子に任意に割り当てられている。
【０１８４】
図１３（ａ）に示すように、複数のパッケージ端子１７２には、マトリックス状の配列の隅角位置に配置されたパッケージ端子１７２ａ〜１７２ｄが含まれており、これらパッケージ端子１７２ａ〜１７２ｄにＴ１端子〜Ｔ４端子が割り当てられている。この場合、パッケージ端子１７２ａ〜１７２ｄは、４列のうち外側の２列のそれぞれの各端部に配置されていることで、パッケージ１７１の四隅のそれぞれに最も近い位置に配置されている。これらパッケージ端子１７２ａ〜１７２ｄは、パッケージ１７１の長手方向及び短手方向の２方向に沿って２列に２つずつ配置されている。
【０１８５】
また、複数のパッケージ端子１７２には、４列のうち内側の２列のそれぞれの各端部に配置されたパッケージ端子１７２ｅ〜１７２ｈが含まれており、これらパッケージ端子１７２ｅ〜１７２ｈにＴ５端子〜Ｔ８端子が割り当てられている。パッケージ端子１７２ｅ〜１７２ｈも、パッケージ端子１７２ａ〜１７２ｄと同様に、パッケージ１７１の長手方向及び短手方向の２方向に沿って２列に２つずつ配置されている。
【０１８６】
なお、Ｄ端子やＯＥ端子などのうち報知音を出力するために必要な端子は、複数のパッケージ端子１７２のうち内側の２列において中央寄りの位置に配置されたパッケージ端子１７２に割り当てられている。この場合、共通用ＲＯＭ１４７がソケット１７４に対して位置ずれしたとしても、報知音を出力するために必要なパッケージ端子１７２とソケット端子１７６との導通状態が保持されやすくなっている。
【０１８７】
ソケット１７４においては、図１３（ｂ）に示すように、複数のソケット端子１７６のうち、パッケージ１７１のパッケージ端子１７２ａ〜１７２ｄに対応するものがソケット端子１７６ａ〜１７６ｄとされ、パッケージ端子１７２ｅ〜１７２ｈに対応するものがソケット端子１７６ｅ〜１７６ｈとされている。
【０１８８】
検出回路１８１，１８２においては、互いに対応するパッケージ端子１７２及びソケット端子１７６により、ソケット１７４に対する共通用ＲＯＭ１４７の着脱に伴って経路を開閉する開閉部が形成されている。図１６（ｂ），（ｃ）に示すように、第１検出回路１８１においては、パッケージ端子１７２ａ〜１７２ｄ及びソケット端子１７６ａ〜１７６ｄにより隅角開閉部１８５ａ〜１８５ｄが形成されており、これら隅角開閉部１８５ａ〜１８５ｄが直列に接続されている。これにより、Ｔ１端子〜Ｔ４端子が直列に接続され、直列経路１８１ａが形成されている。
【０１８９】
また、第１検出回路１８１の直列経路１８１ａにおいては、隅角開閉部１８５ａ〜１８５ｄのうち最も上流側に配置された上流開閉部１８５ａと、最も下流側に配置された下流開閉部１８５ｂとの間に、中間開閉部１８５ｃ，１８５ｄが配置されている。中間開閉部１８５ｃ，１８５ｄのうち、第１中間開閉部１８５ｃが上流開閉部１８５ａ側に配置され、第２中間開閉部１８５ｄが下流開閉部１８５ｂ側に配置されている。
【０１９０】
第２検出回路１８２においては、パッケージ端子１７２ｅ〜１７２ｈ及びソケット端子１７６ｅ〜１７６ｈにより内側開閉部１８６ａ〜１８６ｄが形成されており、これら内側開閉部１８６ａ〜１８６ｄが直列に接続されている。これにより、Ｔ５端子〜Ｔ８端子が直列に接続され、直列経路１８２ａが形成されている。
【０１９１】
また、第２検出回路１８２の直列経路１８２ａにおいては、内側開閉部１８６ａ〜１８６ｄのうち最も上流側に配置された上流開閉部１８６ａと、最も下流側に配置された下流開閉部１８６ｂとの間に、中間開閉部１８６ｃ，１８６ｄが配置されている。中間開閉部１８６ｃ，１８６ｄのうち、第１中間開閉部１８６ｃが上流開閉部１８６ａ側に配置され、第２中間開閉部１８６ｄが下流開閉部１８６ｂ側に配置されている。
【０１９２】
図１６（ａ）に示すように、ソケット１７４に対する共通用ＲＯＭ１４７の装着状態が適正である場合には、共通用ＲＯＭ１４７が適正位置Ｎ０にあり、各パッケージ端子１７２がそれぞれ対応するソケット端子１７６に接触している。この場合、パッケージ端子１７２ａ〜１７２ｄ及びパッケージ端子１７２ｅ〜１７２ｈがそれぞれソケット端子１７６ａ〜１７６ｈに接触しており、直列経路１８１ａ，１８２ａがいずれも通電状態になっている。
【０１９３】
図１５（ａ），（ｂ）、図１６（ｂ）に示すように、第１検出回路１８１の直列経路１８１ａは、共通用ＲＯＭ１４７に設けられた第１接続路１９１及び第２接続路１９２と、回路基板１６８側に設けられた第３接続路１９３とを有している。
【０１９４】
第１接続路１９１は、上流開閉部１８５ａのパッケージ端子１７２ａと第１中間開閉部１８５ｃのパッケージ端子１７２ｃとを接続しており、第２接続路１９２は、下流開閉部１８５ｂのパッケージ端子１７２ｂと第２中間開閉部１８５ｄのパッケージ端子１７２ｄとを接続している。これら第１接続路１９１及び第２接続路１９２は、いずれもパッケージ１７１の長辺に沿って延びている。第３接続路１９３は、第１中間開閉部１８５ｃのソケット端子１７６ｃと第２中間開閉部１８５ｄのソケット端子１７６ｄとを接続している。なお、第１接続路１９１及び第２接続路１９２がパッケージ１７１側に設けられたパッケージ側接続路に相当し、第３接続路１９３が回路基板１６８側に設けられた基板側接続路に相当する。
【０１９５】
また、第１検出回路１８１においては、出力経路１８１ｂが上流開閉部１８５ａのソケット端子１７６ａに接続され、接地経路１８１ｃが下流開閉部１８５ｂのソケット端子１７６ｂに接続されており、これら出力経路１８１ｂ及び接地経路１８１ｃは、いずれも回路基板１６８側に設けられている。
【０１９６】
つまり、第１検出回路１８１においては、出力経路１８１ｂ、第１接続路１９１、第３接続路１９３、第２接続路１９２、接地経路１８１ｃの順で上流側から並べられているとともに、上流側から回路基板１６８側と共通用ＲＯＭ１４７側とに交互に配置されている。これにより、これら経路の接続部分（隅角開閉部１８５ａ〜１８５ｄ）が１つでも遮断されたることで、サブＭＰＵ１４２のＴＥＳＴ１端子に遮断信号が入力されることになる。
【０１９７】
第１検出回路１８１と同様に、図１５（ａ），（ｂ）、図１６（ｃ）に示すように、第２検出回路１８２の直列経路１８２ａは、共通用ＲＯＭ１４７に設けられた第１接続路１９５及び第２接続路１９６と、回路基板１６８側に設けられた第３接続路１９７とを有している。
【０１９８】
第１接続路１９５は、上流開閉部１８６ａのパッケージ端子１７２ｅと第１中間開閉部１８６ｃのパッケージ端子１７２ｇとを接続しており、第２接続路１９６は、下流開閉部１８６ｂのパッケージ端子１７２ｆと第２中間開閉部１８６ｄのパッケージ端子１７２ｈとを接続している。これら第１接続路１９５及び第２接続路１９６はパッケージ１７１の長辺に沿って延びている。第３接続路１９７は、第１中間開閉部１８６ｃのソケット端子１７６ｆと第２中間開閉部１８６ｄのソケット端子１７６ｇとを接続している。なお、第１接続路１９５及び第２接続路１９６がパッケージ１７１側に設けられたパッケージ側接続路に相当し、第３接続路１９７が回路基板１６８側に設けられた基板側接続路に相当する。
【０１９９】
また、第２検出回路１８２においては、出力経路１８２ｂが上流開閉部１８６ａのソケット端子１７６ｅに接続され、接地経路１８２ｃが下流開閉部１８６ｂのソケット端子１７６ｈに接続されており、これら出力経路１８２ｂ及び接地経路１８２ｃは、いずれも回路基板１６８側に設けられている。
【０２００】
つまり、第２検出回路１８２においては、出力経路１８２ｂ、第１接続路１９５、第３接続路１９７、第２接続路１９６、接地経路１８２ｃの順で上流側から並べられているとともに、上流側から回路基板１６８側と共通用ＲＯＭ１４７側とに交互に配置されている。これにより、これら経路の接続部分（内側開閉部１８６ａ〜１８６ｄ）が１つでも遮断されることで、サブＭＰＵ１４２のＴＥＳＴ２端子に遮断信号が入力されることになる。
【０２０１】
＜共通用ＲＯＭ１４７の装着状態＞
次に、ソケット１７４に対する共通用ＲＯＭ１４７の装着状態について、図１６〜図１８を参照しつつ説明する。図１７は共通用ＲＯＭ１４７が第１離脱位置Ｎ１にある場合の図、図１８は共通用ＲＯＭ１４７が第２離脱位置Ｎ２にある場合の図である。なお、図１７、図１８においては、（ａ）に共通用ＲＯＭ１４７の位置を示し、（ｂ）に第１検出回路１８１の状態を示し、（ｃ）に第２検出回路１８２の状態を示す。
【０２０２】
図１６（ａ）に示すように、共通用ＲＯＭ１４７がソケット１７４に適正に装着されている場合、その共通用ＲＯＭ１４７は適正位置Ｎ０にあり、パッケージ端子１７２ａ〜１７２ｈとソケット端子１７６ａ〜１７６ｈとが接触しているため、図１６（ｂ），（ｃ）に示すように、検出回路１８１，１８２の開閉部１８５ａ〜１８５ｄ，１８６ａ〜１８６ｄの全てが閉状態にあり、サブＭＰＵ１４２のＴＥＳＴ１端子及びＴＥＳＴ２端子のそれぞれに通電信号としてＬＯＷレベルが入力される。
【０２０３】
ここで、隅角開閉部１８５ａ〜１８５ｄのパッケージ端子１７２ａ〜１７２ｄが隅角位置に配置された構成では、これらパッケージ端子１７２ａ〜１７２ｄとソケット端子１７６ａ〜１７６ｄとが接触している場合に、全てのパッケージ端子１７２がソケット端子１７６に接触していることになる。このため、第１検出回路１８１の隅角開閉部１８５ａが閉状態にあることでＴＥＳＴ１端子に通電信号が入力された場合には、ソケット１７４に対する共通用ＲＯＭ１４７の装着状態が適正であると判断してよいことになる。
【０２０４】
これに対して、図１７（ａ）に示すように、共通用ＲＯＭ１４７がソケット１７４に対して位置ずれすることで、適正位置Ｎ０から離脱した第１離脱位置Ｎ１にある場合、パッケージ端子１７２ｃ〜１７２ｈとソケット端子１７６ｃ〜１７６ｈとが接触しているものの、パッケージ端子１７２ａ，１７２ｂとソケット端子１７６ａ，１７６ｂとが接触しない状態になっている。なお、図には、パッケージ端子１７２ｅ，１７２ｆの一部だけがソケット端子１７６ｅ，１７６ｆに重なっている状態を図示しているが、この状態でもパッケージ端子１７２ｅ，１７２ｆとソケット端子１７６ｅ，１７６ｆとが互いに接触して導通しているものとする。
【０２０５】
この場合、図１７（ｂ）に示すように、第１検出回路１８１においては、中間開閉部１８５ｃ，１８５ｄが閉状態になっているものの、上流開閉部１８５ａ及び下流開閉部１８５ｂは開状態になっているため、直列経路１８１ａが遮断され、ＴＥＳＴ１端子がＨＩレベルになって遮断信号が入力される。このため、共通用ＲＯＭ１４７がソケット１７４に対して適正に装着されていないと判断してよいことになる。
【０２０６】
その一方で、図１７（ｃ）に示すように、第２検出回路１８２においては、内側開閉部１８６ａ〜１８６ｄが全て閉状態になっているため、直列経路１８２ａが遮断されず、ＴＥＳＴ２端子がＬＯＷレベルで維持されて通電信号が入力される。この場合、共通用ＲＯＭ１４７の全てのパッケージ端子１７２がソケット端子１７６に導通していないわけではなく、一部のパッケージ端子１７２はソケット端子１７６に導通していると判断してよいことになる。
【０２０７】
図１８（ａ）に示すように、共通用ＲＯＭ１４７が第１離脱位置Ｎ１よりも大きく離脱して第２離脱位置Ｎ２にある場合、パッケージ端子１７２ａ，１７２ｂ，１７２ｅ，１７２ｆとソケット端子１７６ａ，１７６ｂ，１７６ｅ，１７６ｆとが接触しているものの、パッケージ端子１７２ｃ，１７２ｄ，１７２ｇ，１７２ｈとソケット端子１７６ｃ，１７６ｄ，１７６ｇ，１７６ｈとが接触しない状態になっている。
【０２０８】
この場合、図１８（ｂ）に示すように、第１検出回路１８１においては、上流開閉部１８５ａ及び下流開閉部１８５ｂが閉状態になっているものの、中間開閉部１８５ｃ，１８５ｄが開状態になっている。この場合、共通用ＲＯＭ１４７が第１離脱位置Ｎ１にある場合と同様に、直列経路１８１ａが遮断され、ＴＥＳＴ１端子がＨＩレベルになって遮断信号が入力されるため、共通用ＲＯＭ１４７がソケット１７４に対して適正に装着されていないと判断してよいことになる。
【０２０９】
また、図１８（ｃ）に示すように、第２検出回路１８２においても、上流開閉部１８６ａ及び下流開閉部１８６ｂが閉状態になっているものの、中間開閉部１８６ｃ，１８６ｄが開状態になっているため、共通用ＲＯＭ１４７が第１離脱位置Ｎ１にある場合とは異なり、直列経路１８２ａが遮断され、ＴＥＳＴ２端子もＨＩレベルになって遮断信号が入力される。この場合、共通用ＲＯＭ１４７が第１離脱位置Ｎ１にある場合に比べて、共通用ＲＯＭ１４７の位置ずれが大きいことで、共通用ＲＯＭ１４７においてソケット端子１７６に導通していないパッケージ端子１７２の数が多く、導通しているパッケージ端子１７２の数が少ないと判断してよいことになる。
【０２１０】
＜サブＭＰＵ１４２にて実行される各種処理について＞
次に、サブＭＰＵ１４２にてプログラムに基づき実行される処理を説明する。
【０２１１】
サブＭＰＵ１４２では、図１９のフローチャートに示す演出制御処理を、所定の周期（例えば２ｍｓｅｃ）で繰り返し実行する。ちなみに、演出制御処理を実行する前段階において、当該演出及び演出制御処理を実行するためのプログラムが直接用ＲＯＭ１４４から読み出されている。
【０２１２】
演出制御処理では、先ずステップＳ３０１にて、主制御装置７１から報知系コマンド又は演出系コマンドを受信しているか否かを判定する。報知系コマンドとしては、既に説明した、磁石検知コマンド、不正入賞コマンド、電波検知コマンド、タンク球無しコマンド及び下皿満杯コマンドが挙げられ、演出系のコマンドとしては、既に説明した、変動用コマンドと種別コマンドとの組合せ、最終停止コマンド、オープニングコマンド、開放コマンド、閉鎖コマンド、エンディングコマンドが挙げられる。報知系コマンド又は演出系コマンドを受信している場合には、ステップＳ３０２に進む。
【０２１３】
ステップＳ３０２では、データテーブルの読み出し処理を実行する。当該読み出し処理では、今回受信した報知系コマンド又は演出系コマンドに対応したデータテーブルを直接用ＲＯＭ１４４から読み出す。当該データテーブルは、図２５（ａ）についての説明において既に述べたように、直接用ＲＯＭ１４４においてプログラム及び処理用データとして記憶されており、報知又は演出の種類に応じて複数種類設定されている。そして、サブＭＰＵ１４２では、このデータテーブルを参照しながら、それに定められている処理を実行することで、報知系コマンド又は演出系コマンドの種別に応じた発光制御及び音出力制御を実行する。
【０２１４】
具体的には、データテーブルには、対応する報知系コマンド又は演出系コマンドの概要が時間の経過に即して定められており、サブＭＰＵ１４２ではデータテーブルを参照することで、読み出すべき発光データの種類の情報、実行すべき発光データの種類や内容の情報、出力指示すべきシーケンスデータやパラメータデータの種類の情報を把握する。ちなみに、サブＭＰＵ１４２では、データテーブルのポインタの更新を利用して、各処理タイミングにおいてデータテーブルの参照すべき情報を特定する。
【０２１５】
続くステップＳ３０３では、表示系コマンドの出力処理を実行する。当該出力処理では、ステップＳ３０２にて読み出したデータテーブルに対して１対１で対応する表示系コマンドを直接用ＲＯＭ１４４から読み出し、その読み出した表示系コマンドを表示制御装置１２８に出力する。これにより、表示制御装置１２８において今回の実行指示に係る報知に対応した画像を図柄表示装置４１に表示させることが可能となる。なお、表示系コマンドは、直接用ＲＯＭ１４４においてプログラム及び処理用データとして記憶されている。
【０２１６】
ステップＳ３０１にて否定判定をした場合、又はステップＳ３０３の処理を実行した場合には、ステップＳ３０４に進む。ステップＳ３０４では、データテーブルの情報に基づいて、音出力制御の実行タイミングであるか否かを判定する。音出力制御の実行タイミングである場合には、ステップＳ３０５にて、今回の音出力制御対象のシーケンスデータ及びパラメータデータを直接用ＲＯＭ１４４のプログラム及び処理用データから読み出し、続くステップＳ３０６にて、その読み出したシーケンスデータ及びパラメータデータをバスＢ１を介して音出力ＬＳＩ１４６に送信する。この場合、音出力ＬＳＩ１４６に送信されたパラメータデータ及びシーケンスデータは、音出力ＬＳＩ１４６のレジスタ１５２に保存される。
【０２１７】
ステップＳ３０４にて否定判定をした場合、又はステップＳ３０６の処理を実行した場合には、ステップＳ３０７に進み、ソケット１７４に対する共通用ＲＯＭ１４７の装着状態が適正であるか否かを判定する。ここでは、第１検出回路１８１からＴＥＳＴ１端子に通電信号が入力されているか否かを判定し、通電信号が入力されている場合に共通用ＲＯＭ１４７の装着状態が適正であるとする。これに対して、ＴＥＳＴ１端子に通電信号が入力されていない場合、つまり、遮断信号が入力されている場合には、共通用ＲＯＭ１４７の装着状態が適正でなく、共通用ＲＯＭ１４７が適正位置Ｎ０から位置ずれしていることになる。
【０２１８】
ここで、共通用ＲＯＭ１４７において、隅角開閉部１８５ａ〜１８５ｄのパッケージ端子１７２ａ〜１７２ｄが内側開閉部１８６ａ〜１８６ｄのパッケージ端子１７２ｅ〜１７２ｈよりも外側（パッケージ１７１の角部に近い位置）に配置されていることに起因して、隅角開閉部１８５ａ〜１８５ｄが閉状態であるにもかかわらず内側開閉部１８６ａ〜１８６ｄが開状態になっているという状況は、共通用ＲＯＭ１４７が適正位置Ｎ０から位置ずれしただけでは発生しない。このため、共通用ＲＯＭ１４７が適正位置Ｎ０から位置ずれしたか否かの判定に第２検出回路１８２の検出信号が用いられなくても、それを理由に判定精度が低下するということは生じない。ちなみに、この判定に第２検出回路１８２の検出信号が用いられてもよい。
【０２１９】
共通用ＲＯＭ１４７の装着状態が適正である場合は、そのまま本演出制御処理を終了し、共通用ＲＯＭ１４７の装着状態が適正でない場合は、共通用ＲＯＭ１４７が適正位置Ｎ０から位置ずれしているとして、ステップＳ３０８に進み、ＲＯＭ位置ずれ対応処理を行う。
【０２２０】
＜音出力ＬＳＩ１４６の音データ処理部１５３における動作＞
次に、音出力ＬＳＩ１４６の音データ処理部１５３における動作について図２０のフローチャートを参照しながら説明する。
【０２２１】
音データ処理部１５３は、サブＭＰＵ１４２及びデータ転送部１５５とは独立して動作する専用回路として設けられており、サブＭＰＵ１４２から送信されたシーケンスデータ及びパラメータデータに基づいてデジタル楽音データを作成し、その作成したデジタル楽音データをＤＡＣ１５４に供給することで、スピーカ９１から報知音や演出音を出力するものである。デジタル楽音データには、案内音としてのメッセージや、不正発生音としての警報音（ベル音、ブザー音、サイレン音など）といった報知音を出力するためのデータと、歌詞無しのメロディや歌詞付きのメロディ、効果音、音声といった演出音を出力するためのデータとが含まれている。
【０２２２】
その動作を詳細に説明すると、先ず処理対象のシーケンスデータ及びパラメータデータがレジスタ１５２における各パラメータ用のエリア及びシーケンスデータ用のエリアに格納されているか否かを判定する（ステップＳ４０１）。この判定に際しては、例えば、シーケンスデータ用のエリア及びパラメータ用のエリアには、サブＭＰＵ１４２からの信号出力により新たにシーケンスデータ及びパラメータデータが設定された場合に「１」がセットされるとともに、音データ処理部１５３において処理した際に「０」がセットされるエリアが設けられており、音データ処理部１５３ではそのエリアのデータに基づいて、処理対象のシーケンスデータ及びパラメータデータが存在しているか否かを判定する。
【０２２３】
処理対象のシーケンスデータ及びパラメータデータが存在している場合（ステップＳ４０１：ＹＥＳ）には、処理対象のシーケンスデータに含まれる時間データに従って、各パラメータデータを、レジスタ１５２に設けられた各発音チャンネル用のエリアのうち、シーケンスデータにより定められた対応するエリアに書き込む（ステップＳ４０２）。ちなみに、音データ処理部１５３は、各パラメータ用のエリア及びシーケンスデータ用のエリアにアクセス可能となっている。
【０２２４】
１回に設定されるシーケンスデータ及び各パラメータデータは、複数の発音チャンネルについて連続する複数サンプル分のデジタル楽音データを作成可能なデータとして設定されている。そして、シーケンスデータに含まれる時間データに従うことで、各発音チャンネル用のエリアに対して、対応する複数サンプル分のパラメータデータが１サンプル分ずつ時系列で書き込まれる。
【０２２５】
また、ここで書き込みが行われるパラメータデータには、対応する発音チャンネル及び対応する出力タイミングにおいて必要となる音データのアドレスが設定されている。データ転送部１５５は、各発音チャンネル用のエリアにアクセス可能であり、直近のサンプル分のパラメータデータに設定されているアドレスの音データを共通用ＲＯＭ１４７から読み出してレジスタ１５２に書き込む。
【０２２６】
なお、上記複数サンプルは、一連の音（例えばメロディについてその開始から終了まで）の全部であっても一部であってもよいが、一度に転送するデータ量を抑える上では一部であることが好ましい。また、音データ処理部１５３では、既に受け取っているシーケンスデータ及びパラメータデータに従って一連の音の出力を行っている途中であっても、サブＭＰＵ１４２からの指示に基づき中止し、新たな一連の音の出力を開始可能な構成としてもよい。
【０２２７】
音データ処理部１５３では、音出力ＬＳＩ１４６に設けられた図示しないクロック回路からの信号入力に基づきデジタル楽音データの作成タイミングであるか否かを判定する（ステップＳ４０３）。このクロック回路からの信号出力周期はサンプリング周期に対応している。
【０２２８】
作成タイミングである場合（ステップＳ４０３：ＹＥＳ）には、各発音チャンネルについて、該当するサンプルのパラメータデータと、データ転送部１５５により既にレジスタ１５２に転送されている音データとに基づき、デジタル楽音データを作成する（ステップＳ４０４）。また、それら各発音チャンネルに対して作成した各デジタル楽音データを合成してデジタル合成楽音データを作成する（ステップＳ４０５）。ちなみに、各発音チャンネル用のエリアに書き込まれているパラメータデータのうちデジタル楽音データの作成が完了したものは消去され、直近のサンプル分のパラメータデータが更新される。
【０２２９】
音データ処理部１５３では、音出力ＬＳＩ１４６に設けられた図示しないクロック回路であってステップＳ４０３の場合とは異なるタイミングで信号出力を行うクロック回路からの信号入力に基づき、デジタル合成楽音データの出力タイミングであるか否かを判定する（ステップＳ４０６）。このクロック回路からの信号出力周期はサンプリング周期に対応している。なお、報知音を出力するためのデジタル合成楽音データの出力タイミングである場合、演出音を出力するためのデジタル楽音データの出力は行わない。これにより、スピーカ９１から報知音が出力されている場合には演出音が出力されないようになっている。
【０２３０】
出力タイミングである場合（ステップＳ４０６：ＹＥＳ）には、今回の出力に対応した作成済みのデジタル合成楽音データをＤＡＣ１５４に供給する（ステップＳ４０７）。ＤＡＣ１５４では、音データ処理部１５３から供給されてくるデジタル合成楽音データをアナログ信号に変換してアナログ楽音信号としてそれをスピーカ９１に出力する。これにより、当該スピーカ９１から所定の音が出力される。なお、複数種類の音が同時に出力されない場合もあり、この場合にはデジタル合成楽音データの作成は行われず、単一のデジタル楽音データがＤＡＣ１５４に供給されて、それに対応する単一の音がスピーカ９１から出力される。
【０２３１】
音データ処理部１５３では、データ転送部１５５からレジスタ１５２への音データの転送が必要に応じて行われているか否か、及びＤＡＣ１５４からスピーカ９１へのアナログ楽音信号の出力が行われているか否かといった監視を行うことを通じて音の出力中であるか否かを判定する（ステップＳ４０８）。そして、音の出力中である場合（ステップＳ４０８：ＹＥＳ）に、サブＭＰＵ１４２と音出力ＬＳＩ１４６とを接続するバスＢ１を介して音出力中信号を出力する（ステップＳ４０９）。この場合、バスＢ１において利用する信号経路は、サブＭＰＵ１４２からセレクタ用エリアにアクセスする場合に利用される第８信号経路Ｊ８であり、サブＭＰＵ１４２において当該第８信号経路Ｊ８を介した信号出力を行わないタイミングで、音出力中信号の出力が行われる。
【０２３２】
＜ＲＯＭ位置ずれ対応処理＞
次に、演出制御処理（図１９）のステップＳ３０８にて実行されるＲＯＭ位置ずれ対応処理について、図２１のフローチャートを参照しつつ説明する。
【０２３３】
ＲＯＭ位置ずれ対応処理において、ステップＳ５０１では、検出回路１８１，１８２の検出信号に基づいて、位置ずれのレベルを特定する。ここでは、第１検出回路１８１に加えて、第２検出回路１８２からも遮断信号が入力されているか否かを判定し、第２検出回路１８２から遮断信号が入力されていない場合には、共通用ＲＯＭ１４７が第１離脱位置Ｎ１にあるとして、位置ずれのレベルをＬｖ１に設定する。第２検出回路１８２から遮断信号が入力されている場合には、共通用ＲＯＭ１４７が第２離脱位置Ｎ２にあるとして、位置ずれのレベルをＬｖ２に設定する。
【０２３４】
ステップＳ５０２では、音出力中信号を受信しているか否かを判定する。音出力中信号は、音出力ＬＳＩ１４６においてサブＭＰＵ１４２からの出力指示に係る音の出力を実行できている状況で定期的に音出力ＬＳＩ１４６からバスＢ１を介して出力される信号であり、サブＭＰＵ１４２では当該報知及び演出制御処理とは別の処理にてその音出力中信号を定期的に監視している。そして、本来なら受信しているはずの状況で音出力中信号を受信していない場合に、ステップＳ５０２にて音出力中信号を受信していないと判定する。
【０２３５】
音出力中信号を受信していない場合には、音出力中信号を受信していない原因が共通用ＲＯＭ１４７の位置ずれにあるとして、ステップＳ５０３に進み、共通用ＲＯＭ１４７の位置ずれレベルをＬｖ３に設定する。なお、この場合は、共通用ＲＯＭ１４７が離脱位置Ｎ１，Ｎ２のいずれにあるかに関係なく位置ずれレベルをＬｖ３に設定することになる。
【０２３６】
ちなみに、音出力中信号を受信していない場合としては、報知音を出力するために必要なパッケージ端子１７２と、そのパッケージ端子１７２に対応したソケット端子１７６とが非導通状態になっている場合が想定される。このため、位置ずれレベルをＬ３に設定した場合には、報知音を出力することができない状態になっている。その一方で、位置ずれレベルをＬｖ１やＬｖ２に設定した場合には、共通用ＲＯＭ１４７の位置ずれが発生してはいるものの、報知音を出力することは可能な状態になっている。
【０２３７】
ステップＳ５０４では、位置ずれレベルがＬｖ３にあること、つまり、音の出力が良好に実行できない状況であることを報知する処理を実行する。ここでは、表示ランプ部５８を所定の態様で発光させる発光処理や、共通用ＲＯＭ１４７の位置ずれが原因で音が適正に出力されていない旨を図柄表示装置４１に表示させる表示処理を実行する。なお、この表示処理においては、表示制御装置１２８に対してエラーコマンドを出力する。また、この報知処理は、現在の遊技状態に関係なく実行することになる。
【０２３８】
ステップＳ５０５では、位置ずれレベルがＬｖ３の場合の外部出力処理を実行する。ここでは、主制御装置７１のメインＭＰＵ１２２にエラーコマンドを出力することで、異常用の外部出力処理をメインＭＰＵ１２２に実施させる。メインＭＰＵ１２２に対して出力するエラーコマンドは、共通用ＲＯＭ１４７の位置ずれが原因で音が適正に出力されていない旨をメインＭＰＵ１２２及び遊技ホールの管理コンピュータ等に認識させるためのコマンドになっている。共通用ＲＯＭ１４７の位置ずれが管理コンピュータ等に認識されることで、そのことをホール管理者が知ることになるため、そのホール管理者は共通用ＲＯＭ１４７の位置ずれに対して対応作業を行うことが可能となる。
【０２３９】
音出力中信号を受信している場合（ステップＳ５０２がＹＥＳ判定の場合）は、ステップＳ５０６にて、現在の遊技状態が通常遊技状態であるか否かを判定し、ステップＳ５０７にて、位置ずれレベルがＬｖ２であるか否かを判定する。これらの判定処理は、共通用ＲＯＭ１４７の位置ずれ対応処理を、現在の遊技状態や位置ずれレベルの高さに応じて異なる内容に設定するための処理である。
【０２４０】
現在の遊技状態が通常遊技状態であり且つ位置ずれレベルがＬｖ２である場合、ステップＳ５０８に進み、位置ずれレベルがＬｖ２にあること、つまり、共通用ＲＯＭ１４７の位置ずれが比較的大きいことを報知する処理を実行する。ここでは、表示ランプ部５８を位置ずれレベルがＬｖ３の場合とは異なる態様で発光させる発光処理や、共通用ＲＯＭ１４７の位置ずれが生じている旨を図柄表示装置４１に表示させる表示処理、その旨をスピーカ９１から音声で出力させる音声処理を実行する。
【０２４１】
共通用ＲＯＭ１４７が離脱位置Ｎ１，Ｎ２にある場合でも、複数のパッケージ端子１７２のうちＡ端子やＤ端子などデータの入出力に必要な端子がソケット端子１７６に接触していることで、スピーカ９１から音が良好に出力されている状況が生じことが想定される。音出力中信号を受信している場合（ステップＳ５０２がＹＥＳ判定の場合）は、この状況に該当しているため、位置ずれの報知をスピーカ９１からの音声により実行することが可能になっていると考えられる。
【０２４２】
ステップＳ５０９では、位置ずれレベルがＬｖ２の場合の外部出力処理を実行する。ここでは、メインＭＰＵ１２２に対して出力するエラーコマンドが、位置ずれレベルがＬｖ３にある場合の報知処理とは異なり、音は良好に出力されているが共通用ＲＯＭ１４７が大きく位置ずれしている旨を管理コンピュータ等に認識させるためのコマンドになっている。
【０２４３】
現在の遊技状態が通常遊技状態でない場合（ステップＳ５０６がＮＯ判定の場合）、又は位置ずれレベルがＬｖ２でない場合（ステップＳ５０７がＮＯ判定の場合）は、ステップＳ５１０に進み、デモ表示中であるか否かを判定する。ここで、デモ表示とは、予め定められた開始待ち期間が経過している場合に、図柄表示装置４１の表示面Ｇにて表示される開始待ち演出のことをいう。デモ表示では、メーカ名、機種名若しくは所定のキャラクタによる動画が表示されるが、これに限定されることはなく任意に変更できる。但し、デモ表示では、表示面Ｇからの光の強度が予め定められた所定値よりも低い強度で表示を行うように設定されており、そのため、デモ表示を行うことにより開始待ち時の電力消費量の抑制が図られている。
【０２４４】
デモ表示中である場合、ステップＳ５１１に進み、位置ずれレベルがＬ１にあること、つまり、共通用ＲＯＭ１４７の位置ずれが比較的小さいことを報知する処理を実行する。ここでは、表示ランプ部５８を位置ずれレベルがＬｖ２やＬｖ３の場合とは異なる態様で発光させる発光処理や、共通用ＲＯＭ１４７の位置ずれが生じている旨をデモ表示中の図柄表示装置４１に表示させる表示処理、その旨をスピーカ９１から音声で出力させる音声処理を実行する。
【０２４５】
ステップＳ５１２では、位置ずれレベルがＬｖ１の場合の外部出力処理を実行する。ここでは、メインＭＰＵ１２２に対して出力するエラーコマンドが、位置ずれレベルがＬｖ２及びＬｖ３にある場合の報知処理とは異なり、音は良好に出力されているが共通用ＲＯＭ１４７が小さく位置ずれしている旨を管理コンピュータ等に認識させるためのコマンドになっている。
【０２４６】
デモ表示中でない場合（ステップＳ５１０がＮＯ判定の場合）、ステップＳ５０４，Ｓ５０８，Ｓ５１１のような報知処理を行わずにそのままステップＳ５１３に進み、報知処理を行わない場合の外部出力処理を実行する。ここでは、メインＭＰＵ１２２に対して出力するエラーコマンドが、音は良好に出力されているが共通用ＲＯＭ１４７が位置ずれしている旨、及び遊技者に対する報知処理は実行していない旨を管理コンピュータ等に認識させるためのコマンドになっている。
【０２４７】
共通用ＲＯＭ１４７の位置ずれが管理コンピュータ等に認識されることで、そのことをホール管理者が知ることになるため、そのホール管理者は、異常報知がパチンコ機１０において実行されていなくても、共通用ＲＯＭ１４７の位置ずれに対して対応作業を行うことが可能となる。
【０２４８】
ここで、デモ表示中でない場合には、通常遊技状態でない場合（ステップＳ５０６がＮＯ判定の場合）が含まれており、通常遊技状態でない場合としては、開閉実行モード（特別遊技状態）や高頻度入賞モードにある場合などが挙げられる。これらの場合に報知処理を行わないことで、開閉実行モードや高頻度入賞モードにあるタイミングで報知処理をきっかけとして遊技者が遊技を中断してしまうということを抑制できる。つまり、報知処理を実行することで遊技者の利益を阻害してしまうということを抑制できる。これは、音が良好に出力されている状況であれば、共通用ＲＯＭ１４７の位置ずれが生じていても、その位置ずれを改善することよりも遊技者の利益を優先することになる。
【０２４９】
また、デモ表示中でない場合には、通常遊技状態であっても位置ずれレベルがＬｖ１である場合（ステップＳ５０７がＮＯ判定の場合）が含まれている。通常遊技状態中においては、遊技者が些細なきっかけで遊技を終了してしまうことが想定され、報知処理がその些細なきっかけになり得ると考えられる。このため、共通用ＲＯＭ１４７の位置ずれが小さなもの（Ｌｖ１）であり且つ音が良好に出力されている状況であれば、報知処理を行わないことで、共通用ＲＯＭ１４７の小さな位置ずれを改善することよりも、遊技者に遊技を継続してもらうことを優先することができる。これにより、遊技者の利益を阻害してしまうことや、本パチンコ機１０の稼働率が低下することなどを抑制できる。
【０２５０】
以上詳述した第１の実施形態によれば、以下の優れた効果を奏する。
【０２５１】
第１検出回路１８１の直列経路１８１ａは、隅角開閉部１８５ａ〜１８５ｄのうち１つでも開状態になることで遮断状態になるため、共通用ＲＯＭ１４７の位置ずれを精度良く検出することができる。特に、第１検出回路１８１のパッケージ端子１７２ａ〜１７２ｄは、パッケージ１７１の四隅のそれぞれに近い位置に配置されているため、パッケージ１７１の全てのパッケージ端子１７２の中で、対応するソケット端子１７６ａ〜１７６ｄから最も離間しやすくなっている。このため、第１検出回路１８１は、第２検出回路１８２では検出できないような共通用ＲＯＭ１４７の小さな位置ずれ（第１離脱位置Ｎ１にある状態）を検出することができる。
【０２５２】
第２検出回路１８２の直列経路１８２ａは、第１検出回路１８１の直列経路１８１ａと同様に、内側開閉部１８６ａのうち１つでも開状態になることで遮断状態になるため、共通用ＲＯＭ１４７の位置ずれを精度良く検出することができる。しかも、第２検出回路１８２のパッケージ端子１７２ｅ〜１７２ｈは、第１検出回路１８１のパッケージ端子１７２ａ〜１７２ｄよりもパッケージ内側に配置されているため、第１検出回路１８１よりも共通用ＲＯＭ１４７の大きな位置ずれ（第２離脱位置Ｎ２にある状態）を検出することができる。
【０２５３】
検出回路１８１，１８２の直列経路１８１ａ，１８２ａにおいては、第１接続路１９１，１９５及び第２接続路１９２，１９６が共通用ＲＯＭ１４７に設けられているため、回路基板１６８側からの給電に伴ってこれら接続路１９１，１９２，１９５，１９６に通電がなされることで、隅角開閉部１８５ａ〜１８５ｄ及び内側開閉部１８６ａ〜１８６ｄが閉状態になっていることが検出される。したがって、直列経路１８１ａ，１８２ａに電圧を印加するという容易な構成により共通用ＲＯＭ１４７の装着状態を検出できる。
【０２５４】
ここで、共通用ＲＯＭ１４７が不正ＲＯＭに取り替えられてしまった場合、不正行為者が不正に利益を得てしまうことが懸念される。例えば、共通用ＲＯＭ１４７が不正ＲＯＭに取り替えられていることで異常報知音が出力されない状態になっている場合、遊技球の払い出しが不正に行われていても、そのことにホール管理者が気付かないことが考えられる。これに対して、共通用ＲＯＭ１４７にはパッケージ側接続路として接続路１９１，１９２，１９５，１９６が設けられているため、共通用ＲＯＭ１４７が不正ＲＯＭに取り替えられた場合には、接続路１９１，１９２，１９５，１９６が存在しなくなることで直列経路１８１ａ，１８２ａが遮断状態になり、検出回路１８１，１８２により共通用ＲＯＭ１４７の位置ずれが検出される。このように、共通用ＲＯＭ１４７に対する不正行為が行われた場合でも、その行為を検出回路１８１，１８２により検出できる。
【０２５５】
第１検出回路１８１のパッケージ端子１７２ａ〜１７２ｄ、及び第２検出回路１８２のパッケージ端子１７２ｅ〜１７２ｈは、それぞれ２列で２つずつ配置されているため、適正位置Ｎ０に対する共通用ＲＯＭ１４７の位置ずれを１方向だけでなく２方向について検出することができる。しかも、これら検出回路１８１，１８２においては、第１接続路１９１，１９５と第２接続路１９２，１９６とが平行に延びているため、共通用ＲＯＭ１４７におけるこれら接続路１９１，１９２，１９５，１９６に配置領域を極力小さくすることができる。これにより、共通用ＲＯＭ１４７において他の配線パターンの配置が接続路１９１，１９２，１９５，１９６によって制限されるということを抑制できる。
【０２５６】
パッケージ１７１の全てのパッケージ端子１７２のうち、どの端子を検出回路１８１，１８２に含まれるパッケージ端子１７２ａ〜１７２ｈに割り当てるのかによって、検出回路１８１，１８２による共通用ＲＯＭ１４７の位置ずれの検出精度を高過ぎず低過ぎず適度に設定することができる。このため、位置ずれの検出精度が高過ぎて遊技者の遊技を過剰に中断させてしまうことや、位置ずれの検出精度が低過ぎて共通用ＲＯＭ１４７の位置ずれが検出されていないにもかかわらずスピーカ９１からの音の出力が停止してしまうことなどを抑制できる。
【０２５７】
検出回路１８１，１８２においては、出力経路１８１ｂ，１８２ｂがプルアップ抵抗Ｒを介して電圧端子Ｖｔに接続されていることで、共通用ＲＯＭ１４７が適正位置Ｎ０にある場合にＴＥＳＴ１端子及びＴＥＳＴ２端子にＬＯＷレベルが入力されるため、停電など他の原因で出力経路１８１ｂ，１８２ｂからの出力がＬＯＷレベルになったとしても、その場合と共通用ＲＯＭ１４７の装着状態の不適とを判別することができる。
【０２５８】
共通用ＲＯＭ１４７においては、検出回路１８１，１８２に含まれたパッケージ端子１７２ａ〜１７２ｈ（Ｔ１端子〜Ｔ８端子）がテスト端子とされているため、検出回路１８１，１８２の動作に関係なく、共通用ＲＯＭ１４７からのデータの入出力が行われる。したがって、検出回路１８１，１８２の検出精度が低下することや、共通用ＲＯＭ１４７の動作の信頼度が低下することを回避できる。
【０２５９】
＜第２の実施形態＞
上記第１の実施形態では、検出回路１８１，１８２の接続路１９１，１９２，１９５，１９６が共通用ＲＯＭ１４７に設けられていたが、本第２の実施形態では、これら接続路が共通用ＲＯＭ１４７に設けられていない。第２の実施形態では、主に検出回路の構成について、第１の実施形態との相違点を中心に説明する。
【０２６０】
本実施形態では、報知・演出制御装置７２が第３検出回路２０１及び第４検出回路２０２を有しており、これら検出回路２０１，２０２の構成について、図２２〜図２５を参照しつつ説明する。
【０２６１】
図２２は共通用ＲＯＭ１４７及びソケット１７４を示す図であり、（ａ）に共通用ＲＯＭ１４７の表面を示し、（ｂ）にソケット１７４の平面図を示す。図２３は検出回路２０１，２０２を示す図、図２４は検出回路２０１，２０２について共通用ＲＯＭ１４７及び回路基板１６８の回路を示す図、図２５は共通用ＲＯＭ１４７が適正位置Ｎ０にある場合の図である。なお、図２４においては、（ａ）に共通用ＲＯＭ１４７のパッケージ端子１７２ｉ，１７２ｊを示し、（ｂ）に回路基板１６８の回路を示す。図２５においては、（ａ）に共通用ＲＯＭ１４７の位置を示し、（ｂ）に第３検出回路２０１の状態を示し、（ｃ）に第４検出回路２０２の状態を示す。
【０２６２】
図２２（ａ）、図２３に示すように、共通用ＲＯＭ１４７において、複数のパッケージ端子１７２には、マトリックス状の配列の隅角位置に配置されたパッケージ端子１７２ｉ，１７２ｊが含まれており、これら１７２ｉ，１７２ｊは対角位置に配置されている。また、共通用ＲＯＭ１４７は、テスト端子としてＴ９端子及びＴ１０端子を有しており、Ｔ９端子及びＴ１０端子はパッケージ端子１７２ｉ，１７２ｊにそれぞれ割り当てられている。パッケージ端子１７２ｉ，１７２ｊのうち、第１パッケージ端子１７２ｉ（Ｔ９端子）が第３検出回路２０１に含まれており、第２パッケージ端子１７２ｊ（Ｔ１０端子）が第４検出回路２０２に含まれている。
【０２６３】
第２の実施形態では、検出回路２０１，２０２のそれぞれが共通用ＲＯＭ１４７のテスト端子を１つずつ有しているため、第１の実施形態とは異なり、複数のテスト端子を接続する接続路を共通用ＲＯＭ１４７に設ける必要がない。このため、市販のＲＯＭをそのまま検出回路２０１，２０２に組み込むことが可能になっている。
【０２６４】
図２２（ｂ）に示すように、ソケット１７４のソケット端子１７６は、基本的にパッケージ端子１７２と１対１で接触するように複数列でマトリックス状に配置されているが、検出回路２０１，２０２が有するパッケージ端子１７２ｉ，１７２ｊに対しては、それぞれ複数のソケット端子１７６ｉ〜１７６ｎが接触するように配置されている。この場合、第１パッケージ端子１７２ｉにソケット端子１７６ｉ〜１７６ｋが接触しており、これらソケット端子１７６ｉ〜１７６ｋが第３検出回路２０１に含まれている。また、第２パッケージ端子１７２ｊにソケット端子１７６ｌ〜ｎが接触しており、これらソケット端子１７６ｌ〜１７６ｎが第４検出回路２０２に含まれている。
【０２６５】
ソケット１７４において複数のソケット端子１７６には、マトリックス状に配置された複数の標準ソケット端子と、その標準ソケット端子に付属して設けられた付属ソケット端子とが含まれている。この場合、ソケット端子１７６ｉ，１７６ｌは標準ソケット端子として設けられており、ソケット端子１７６ｊ，１７６ｋ，１７６ｍ，１７６ｎは付属ソケット端子として設けられている。
【０２６６】
図２３の説明に戻り、サブＭＰＵ１４２は、検出回路２０１，２０２からの検出信号が入力される検出端子としてＴＥＳＴ３ａ端子、ＴＥＳＴ３ｂ端子、ＴＥＳＴ４ａ端子、ＴＥＳＴ４ｂ端子を有している。ＴＥＳＴ３ａ，３ｂ端子には第３検出回路２０１が接続され、ＴＥＳＴ４ａ，４ｂ端子には第４検出回路２０２が接続されている。
【０２６７】
図２３、図２４（ａ），（ｂ）に示すように、検出回路２０１，２０２は、出力経路を２つずつ有している。第３検出回路２０１は、ＴＥＳＴ３ａ端子に接続された第１出力経路２０１ａと、ＴＥＳＴ３ｂ端子に接続された第２出力経路２０１ｂとを有しており、第４検出回路２０２は、ＴＥＳＴ４ａ端子に接続された第１出力経路２０２ａと、ＴＥＳＴ４ｂ端子に接続された第２出力経路２０２ｂとを有している。第１出力経路２０１ａ，２０２ａは、第１プルアップ抵抗Ｒ１ａ，Ｒ２ａを介して電圧端子Ｖｔに接続されており、第２出力経路２０１ｂ，２０２ｂは、第２プルアップ抵抗Ｒ１ｂ，Ｒ２ｂを介して電圧端子Ｖｔに接続されている。
【０２６８】
検出回路２０１，２０２は、接地ラインに接続された接地経路２０１ｃ，２０２ｃをそれぞれ有している。検出回路２０１，２０２においては、第１出力経路２０１ａ，２０２ａ及び第２出力経路２０１ｂ，２０２ｂがパッケージ端子１７２ｉ，１７２ｊを介して接地経路２０１ｃ，２０２ｃに接続されている。
【０２６９】
第３検出回路２０１においては、接地経路２０１ｃがソケット端子１７６ｉに接続され、第１出力経路２０１ａがソケット端子１７６ｊに接続され、第２出力経路２０１ｂがソケット端子１７６ｋに接続されている。このため、これらソケット端子１７６ｉ〜１７６ｋの全てが第１パッケージ端子１７２ｉが接触している場合に、出力経路２０１ａ，２０１ｂの両方が通電され、ＴＥＳＴ３ａ端子及びＴＥＳＴ３ｂ端子のそれぞれにＬＯＷレベルが入力される。
【０２７０】
第４検出回路２０２においては、接地経路２０２ｃがソケット端子１７６ｌに接続され、第１出力経路２０２ａがソケット端子１７６ｍに接続され、第２出力経路２０２ｂがソケット端子１７６ｎに接続されている。このため、これらソケット端子１７６ｌ〜１７６ｎの全てが第２パッケージ端子１７２ｊに接触している場合に、出力経路２０２ａ，２０２ｂの両方が通電され、ＴＥＳＴ４ａ端子及びＴＥＳＴ４ｂ端子のそれぞれにＬＯＷレベルが入力される。
【０２７１】
ここで、検出回路２０１，２０２において、ソケット端子１７６ｉ，１７６ｌを、接地経路２０１ｃ，２０２ｃに接続された接地ソケット端子１７６ｉ，１７６ｌと称し、ソケット端子１７６ｊ，１７６ｍを、第１出力経路２０１ａ，２０２ａに接続された第１ソケット端子１７６ｊ，１７６ｍと称し、ソケット端子１７６ｋ，１７６ｎを、第２出力経路２０１ｂ，２０２ｂに接続された第２ソケット端子１７６ｋ，１７６ｎと称する。
【０２７２】
なお、第１パッケージ端子１７２ｉ及び第２パッケージ端子１７２ｊは、出力経路２０１ａ，２０２ａ，２０１ｂ，２０２ｂを接地経路２０１ｃ，２０２ｃに接続する接続パッケージ端子に相当する。また、第１出力経路２０１ａ，２０２ａが第１上流経路に相当し、第２出力経路２０１ｂ，２０２ｂが第２上流経路に相当し、接地経路２０１ｃ，２０２ｃが下流経路に相当する。さらに、接地ソケット端子１７６ｉ，１７６ｌが下流ソケット端子に相当し、第１ソケット端子１７６ｊ，１７６ｍ及び第２ソケット端子１７６ｋ，１７６ｎが上流ソケット端子に相当する。
【０２７３】
図２２、図２４（ｂ）に示すように、接地ソケット端子１７６ｉ，１７６ｌは、ソケット端子１７６（標準ソケット端子）の列が並んでいる方向（ソケット１７４の長手方向）において、第１ソケット端子１７６ｊ，１７６ｍと第２ソケット端子１７６ｋ，１７６ｎとの間に配置されている。この場合、接地ソケット端子１７６ｉ，１７６ｌ、第１ソケット端子１７６ｊ，１７６ｍ及び第２ソケット端子１７６ｋ，１７６ｎは、ソケット１７４の長手方向に直線上に並べられており、接地ソケット端子１７６ｉ，１７６ｌは第１ソケット端子１７６ｊ，１７６ｍと第２ソケット端子１７６ｋ，１７６ｎとの中央位置に配置されている。
【０２７４】
接地ソケット端子１７６ｉ，１７６ｌ、第１ソケット端子１７６ｊ，１７６ｍ、第２ソケット端子１７６ｋ，１７６ｎの並び順は、第３検出回路２０１と第４検出回路２０２とで同じにされている。この場合、図２４（ｂ）において、接地ソケット端子１７６ｉ，１７６ｌに対して右側に第１ソケット端子１７６ｊ，１７６ｍが配置され、左側に第２ソケット端子１７６ｋ，１７６ｎが配置されている。
【０２７５】
なお、第３検出回路２０１の接地ソケット端子１７６ｉが右上の隅角位置に配置され、第４検出回路２０２の接地ソケット端子１７６ｌが左下の隅角位置に配置されている。この場合、第３検出回路２０１においては、第１ソケット端子１７６ｊがソケット１７４の外周側に配置され、第２ソケット端子１７６ｋがソケット１７４の内側に配置されていることになる。一方、第４検出回路２０２においては、第１ソケット端子１７６ｍがソケット１７４の外周側に配置され、第２ソケット端子１７６ｎがソケット１７４の内側に配置されていることになる。
【０２７６】
＜共通用ＲＯＭ１４７の装着状態＞
次に、ソケット１７４に対する共通用ＲＯＭ１４７の装着状態について、図２５〜図２９を参照しつつ説明する。図２６は、共通用ＲＯＭ１４７が許容位置Ｐにある場合の図、図２７は、共通用ＲＯＭ１４７が非許容位置Ｑにある場合の図、図２８は、不正ＲＯＭ１がソケット１７４に無理やり装着された場合の図、図２９は、不正ＲＯＭ２がソケット１７４に無理やり装着された場合の図である。なお、図２６〜図２９においては、（ａ）に共通用ＲＯＭ１４７や不正ＲＯＭ１、不正ＲＯＭ２の位置を示し、（ｂ）に第３検出回路２０１の状態を示し、（ｃ）に第４検出回路２０２の状態を示す。
【０２７７】
図２５（ａ）に示すように、共通用ＲＯＭ１４７が適正位置Ｎ０にある場合、第１パッケージ端子１７２ｉに、接地ソケット端子１７６ｉ、第１ソケット端子１７６ｊ及び第２ソケット端子１７６ｋがそれぞれ接触しているとともに、第２パッケージ端子１７２ｊに、接地ソケット端子１７６ｌ、第１ソケット端子１７６ｍ及び第２ソケット端子１７６ｎがそれぞれ接触している。この場合、図２５（ｂ），（ｃ）に示すように、第３検出回路２０１及び第４検出回路２０２のいずれにおいても、第１出力経路２０１ａ，２０２ａ及び第２出力経路２０１ｂ，２０２ｂがパッケージ端子１７２ｉ，１７２ｊを介して接地経路２０１ｃ，２０２ｃに接続されていることで、これら第１出力経路２０１ａ，２０２ａ及び第２出力経路２０１ｂ，２０２ｂからは通電信号が出力される。つまり、ＴＥＳＴ３ａ端子、ＴＥＳＴ３ｂ端子、ＴＥＳＴ４ａ端子及びＴＥＳＴ４ｂ端子のそれぞれがＬＯＷレベルとなる。
【０２７８】
ここで、共通用ＲＯＭ１４７において第１パッケージ端子１７２ｉと第２パッケージ端子１７２ｊとが隅角の対角位置に配置されているため、パッケージ端子１７２ｉ，１７２ｊのそれぞれに接地ソケット端子１７６ｉ，１７６ｌが接触している状態であれば、各標準ソケット端子がパッケージ端子１７２に接触していることになり、共通用ＲＯＭ１４７が正常に動作すると想定される。この場合、共通用ＲＯＭ１４７の位置ずれが許容範囲内にあるとして、この場合の共通用ＲＯＭ１４７の位置を許容位置と称する。
【０２７９】
また、パッケージ端子１７２ｉ，１７２ｊの少なくとも一方に接地ソケット端子１７６ｉ，１７６ｌが接触していない状態であれば、一部又は全ての標準ソケット端子がパッケージ端子１７２に接触していないことになり、共通用ＲＯＭ１４７が正常に動作しない可能性が生じる。この場合、共通用ＲＯＭ１４７の位置ずれが許容範囲内にはないとして、この場合の共通用ＲＯＭ１４７の位置を非許容位置と称する。
【０２８０】
なお、適正位置Ｎ０が、許容位置や非許容位置に対する基準となる基準位置に相当する。この場合、許容位置及び非許容位置はいずれも、基準位置ではない非基準位置に含まれていることになる。
【０２８１】
図２６（ａ）に示すように、共通用ＲＯＭ１４７が右側に位置ずれしたことで許容位置Ｐにある場合、パッケージ端子１７２ｉ，１７２ｊには、接地ソケット端子１７６ｉ，１７６ｌ及び第１ソケット端子１７６ｊ，１７６ｍがそれぞれ接触している一方で、第２ソケット端子１７６ｋ，１７６ｎは接触していない。
【０２８２】
この場合、図２６（ｂ），（ｃ）に示すように、第３検出回路２０１及び第４検出回路２０２のいずれにおいても、第１出力経路２０１ａ，２０２ａが通電されている一方で、第２出力経路２０１ｂ，２０２ｂの通電が停止されている。このため、ＴＥＳＴ３ａ端子及びＴＥＳＴ４ａ端子には、通電信号（ＬＯＷレベル）が入力される一方で、ＴＥＳＴ３ｂ端子及びＴＥＳＴ４ｂ端子には、遮断信号（ＨＩレベル）が入力される。このように、検出回路２０１，２０２のいずれにおいても、第１出力経路及び第２出力経路の少なくとも一方が通電されている場合には、共通用ＲＯＭ１４７が許容位置にあることになる。
【０２８３】
図２７（ａ）に示すように、共通用ＲＯＭ１４７が回動したことで非許容位置Ｑにある場合、第１パッケージ端子１７２ｉには、第２ソケット端子１７６ｋが接触している一方で、接地ソケット端子１７６ｉ及び第１ソケット端子１７６ｊは接触していない。また、第２パッケージ端子１７２ｊには、接地ソケット端子１７６ｌ及び第２ソケット端子１７６ｎが接触している一方で、第１ソケット端子１７６ｍは接触していない。なお、非許容位置Ｑは、第１の実施形態における離脱位置に相当する位置である。
【０２８４】
この場合、図２７（ｂ）に示すように、第３検出回路２０１においては、第１出力経路２０１ａ及び第２出力経路２０１ｂのいずれも通電が停止されている。このため、ＴＥＳＴ３ａ端子及びＴＥＳＴ３ｂ端子のそれぞれに遮断信号が入力される。第３検出回路２０１においては、第１出力経路２０２ａの通電が停止されている一方で、第２出力経路２０２ｂが通電されている。このため、ＴＥＳＴ４ａ端子には遮断信号が入力される一方で、ＴＥＳＴ４ｂ端子には通電信号が入力される。このように、第３検出回路２０１及び第４検出回路２０２の少なくとも一方において、第１出力経路及び第２出力経路の両方の通電が遮断されている場合には、共通用ＲＯＭ１４７が非許容位置にあることになる。
【０２８５】
ここで、検出回路２０１，２０２のソケット端子１７６ｉ〜１７６ｎは、共通用ＲＯＭ１４７がその板面に沿って回動する向きで位置ずれしたとしても、接地ソケット端子１７６ｉ，１７６ｌの外側に配置されたソケット端子１７６ｊ，１７６ｎがパッケージ端子１７２ｉ，１７２ｊに接触する一方で、内側に配置されたソケット端子１７６ｋ，１７６ｍが接触しない、という状況が生じないように配置されている。この場合、接地ソケット端子１７６ｉ，１７６ｌの外側に配置されたソケット端子１７６ｊ，１７６ｎがパッケージ端子１７２ｉ，１７２ｊに接触していない一方で、内側に配置されたソケット端子１７６ｋ，１７６ｍが接触している、という状況が生じないようにもなっている。
【０２８６】
ソケット１７４に共通用ＲＯＭ１４７ではない不正ＲＯＭが装着された場合、その不正行為者に不正に利益を得られてしまうことが懸念される。例えば、異常発生を報知するための音データが共通用ＲＯＭ１４７に記憶されている場合に、その音データを記憶していない不正ＲＯＭに取り替えられることで、報知音がスピーカ９１から出力されない状態でパチンコ機１０から遊技球を不正に払い出させるという不正行為が考えられる。
【０２８７】
不正ＲＯＭがソケット１７４に装着された状態では、その不正ＲＯＭがソケット１７４に適合していないことなどに起因して、不正ＲＯＭの各パッケージ端子がそれぞれソケット端子１７６に接触はしているものの、それらパッケージ端子に対するソケット端子１７６の接触位置が、正規の共通用ＲＯＭ１４７がソケット１７４に装着された場合とは異なると考えられる。つまり、正規の共通用ＲＯＭ１４７がソケット１７４に装着されている場合には生じ得ない検出結果が検出回路２０１，２０２により得られた場合には、不正ＲＯＭがソケット１７４に無理やり装着されていることが可能性があると考えられる。
【０２８８】
図２８（ａ）に示すように、パッケージ端子の列の間隔が大きい不正ＲＯＭ１がソケット１７４に無理やり装着された場合、その不正ＲＯＭ１において、第３検出回路２０１に含まれたパッケージ端子Ｘ１は、接地ソケット端子１７６ｉ及び第２ソケット端子１７６ｋに接触しているものの、第１ソケット端子１７６ｊには接触していない。その一方で、第４検出回路２０２に含まれたパッケージ端子Ｘ２は、接地ソケット端子１７６ｌ及び第１ソケット端子１７６ｍに接触しているものの、第２ソケット端子１７６ｎには接触していない。
【０２８９】
この場合、図２８（ｂ），（ｃ）に示すように、第３検出回路２０１においては、第１出力経路２０１ａからＴＥＳＴ３ａ端子に遮断信号が出力され、第２出力経路２０１ｂからＴＥＳＴ３ｂ端子に通電信号が出力される。一方で、第４検出回路２０２においては、第１出力経路２０２ａからＴＥＳＴ４ａ端子に通電信号が出力され、第２出力経路２０２ｂからＴＥＳＴ４ｂ端子に遮断信号が出力される。
【０２９０】
上述したように、検出回路２０１，２０２において、接地ソケット端子１７６ｉ，１７６ｌの外側に配置されたソケット端子１７６ｊ，１７６ｎの通電が停止され、内側に配置されたソケット端子１７６ｋ，１７６ｍが通電されるという状況は、正規の共通用ＲＯＭ１４７がソケット１７４に装着された場合には生じ得ない状況であるため、ソケット１７４に不正ＲＯＭ１が無理やり装着されたという疑いを持つことができる。
【０２９１】
また、図２９（ａ）に示すように、パッケージ端子の列の間隔が小さい不正ＲＯＭ２がソケット１７４に無理やり装着された場合、その不正ＲＯＭ２において、第３検出回路２０１に含まれたパッケージ端子Ｘ３は、接地ソケット端子１７６ｉ及び第１ソケット端子１７６ｊに接触しているものの、第２ソケット端子１７６ｋには接触していない。その一方で、第４検出回路２０２に含まれたパッケージ端子Ｘ４は、接地ソケット端子１７６ｌ及び第２ソケット端子１７６ｎに接触しているものの、第１ソケット端子１７６ｍには接触していない。
【０２９２】
この場合、図２９（ｂ），（ｃ）に示すように、第３検出回路２０１においては、第１出力経路２０１ａからＴＥＳＴ３ａ端子に通電信号が出力され、第２出力経路２０１ｂからはＴＥＳＴ３ｂ端子に遮断信号が出力される。一方で、第４検出回路２０２においては、第１出力経路２０２ａからはＴＥＳＴ４ａ端子に遮断信号が出力され、第２出力経路２０２ｂからはＴＥＳＴ４ｂ端子に通電信号が出力される。
【０２９３】
上述したように、検出回路２０１，２０２において、接地ソケット端子１７６ｉ，１７６ｌの外側に配置されたソケット端子１７６ｊ，１７６ｎが通電され、内側に配置されたソケット端子１７６ｋ，１７６ｍの通電が停止されるという状況は、正規の共通用ＲＯＭ１４７がソケット１７４に装着された場合には生じ得ない状況であるため、不正ＲＯＭ１が無理やり装着されたという疑いを持つことと同様に、ソケット１７４に不正ＲＯＭ２が無理やり装着されたという疑いを持つことができる。
【０２９４】
第２の実施形態では、演出制御処理のステップＳ３０８にて実行されるＲＯＭ位置ずれ対応処理の内容が、第１の実施形態とは異なっており、ここでは、ＲＯＭ位置ずれ対応処理について、図３０のフローチャートを参照しつつ説明する。
【０２９５】
なお、第１の実施形態とは異なり、演出制御処理のステップＳ３０７では、共通用ＲＯＭ１４７が適正位置Ｎ０にあるか否かを判定する。つまり、サブＭＰＵ１４２のＴＥＳＴ３ａ端子、ＴＥＳＴ３ｂ端子、ＴＥＳＴ４ａ端子及びＴＥＳＴ４ｂ端子の全てに通電信号が入力されているか否かを判定する。これら端子の全てに通電信号が入力されている場合は、演出制御処理をそのまま終了し、１つでも遮断信号の入力された端子があれば、共通用ＲＯＭ１４７が適正位置Ｎ０にないとして、ステップＳ３０８に進み、ＲＯＭ位置ずれ対応処理を行う。
【０２９６】
ＲＯＭ位置ずれ対応処理において、ステップＳ６０１では、音出力中信号を受信しているか否かを判定する。受信していない場合は、ステップＳ６０２に進み、共通用ＲＯＭ１４７が適正位置Ｎ０にない旨、及びスピーカ９１からの音出力に異常が発生している旨を報知し、ステップＳ６０３では、これらの旨を管理コンピュータ等に通知する外部出力処理を実行する。
【０２９７】
音出力中信号を受信している場合、ステップＳ６０４に進み、検出回路２０１，２０２により検出されたＲＯＭの位置ずれ態様が異常であるか否かを判定する。ここでは、通電信号及び遮断信号のうち、一方の信号がＴＥＳＴ３ａ端子及びＴＥＳＴ４ｂ端子のそれぞれに入力され、且つ他方の信号がＴＥＳＴ３ｂ端子及びＴＥＳＴ４ａ端子のそれぞれに入力されているか否かを判定し、この判定が肯定された場合にＲＯＭの位置ずれ態様が異常であるとする。
【０２９８】
ＲＯＭの位置ずれ態様が異常でない場合、ステップＳ６０５に進み、現在の遊技状態に関係なく、共通用ＲＯＭ１４７が適正位置Ｎ０にない旨、スピーカ９１からの音出力に異常は発生していない旨を報知し、ステップＳ６０６では、これらの旨を管理コンピュータ等に通知する外部出力処理を実行する。なお、共通用ＲＯＭ１４７が許容位置Ｐにある場合には、位置ずれを示す報知処理を実行しなくてもよいが、共通用ＲＯＭ１４７が適正位置Ｎ０から許容位置Ｐに位置ずれした段階で報知することにより、共通用ＲＯＭ１４７の位置ずれに伴って出力音に異常が発生することを未然に防ぐことができる。
【０２９９】
ＲＯＭの位置ずれ態様が異常である場合、ステップＳ６０７に進み、正規の共通用ＲＯＭ１４７が不正ＲＯＭに取り替えられている可能性を報知し、ステップＳ６０８では、その旨を管理コンピュータ等に通知する外部出力処理を実行する。なお、実際に不正ＲＯＭがソケット１７４に不正に装着されている場合には、その不正行為者が遊技者として本パチンコ機１０で遊技を行っている可能性があるため、不正ＲＯＭの装着可能性を示す報知は本パチンコ機１０では行わず、管理コンピュータ等にだけ通知してもよい。
【０３００】
以上詳述した第２の実施形態によれば、以下の優れた効果を奏する。
【０３０１】
検出回路２０１，２０２のそれぞれにおいては、１つのパッケージ端子１７２ｉ，１７２ｊに対する複数のソケット端子１７６ｉ〜１７６ｎの接触が検出されるため、共通用ＲＯＭ１４７に専用配線を付与しなくても、適正位置Ｎ０に対する共通用ＲＯＭ１４７の位置ずれの有無を判定することができる。
【０３０２】
しかも、パッケージ端子１７２ｉ，１７２ｊに対して、接地ソケット端子１７６ｉ，１７６ｌが接触していれば、第１ソケット端子１７６ｊ，１７６ｍや第２ソケット端子１７６ｋ，１７６ｎが接触していなくても、共通用ＲＯＭ１４７が許容位置Ｐに存在するため、共通用ＲＯＭ１４７の装着状態が不適から遠い状態（適正位置Ｎ０にある状態）にあるのか、不適から近い状態（許容位置Ｐにある状態）にあるのかを判定することが可能となる。したがって、共通用ＲＯＭ１４７の装着状態について、検出回路２０１，２０２による検出精度を高めることができる。
【０３０３】
第３検出回路２０１についての効果を述べると、第３検出回路２０１のソケット端子１７６ｉ〜１７６ｋが、ソケット１７４においてソケット１７４の列の並び方向に延びているため、ソケット端子１７６ｉ〜１７６ｋの間隔を適度に確保することができる。例えば、これらソケット端子１７６ｉ〜１７６ｋがソケット端子１７６の列の延びる方向に沿って並べられた構成では、第１ソケット端子１７６ｊや第２ソケット端子１７６ｋを接地ソケット端子１７６ｉとその隣の標準ソケット端子との間に配置する必要が生じるため、ソケット端子１７６ｉ〜１７６ｋが互いに接近し過ぎてしまう。
【０３０４】
ソケット端子１７６ｉ〜１７６ｋが適度に離間しているため、共通用ＲＯＭ１４７が適正位置Ｎ０から僅かに位置ずれしただけで許容位置Ｐに移動したと検出されるということを回避できる。したがって、検出回路２０１，２０２の検出精度が高くなり過ぎて共通用ＲＯＭ１４７の装着状態が適正であるにもかかわらずその装着状態について異常検出がなされる、ということを抑制できる。
【０３０５】
第３検出回路２０１は、第１出力経路２０１ａ及び第２出力経路２０１ｂという２つの出力経路を有しているため、これら出力経路２０１ａ，２０１ｂの出力結果により共通用ＲＯＭ１４７の４つの位置を検出することが可能となる。
【０３０６】
また、接地ソケット端子１７６ｉが第１ソケット端子１７６ｊと第２ソケット端子１７６ｋとの間に配置されているため、共通用ＲＯＭ１４７が位置ずれした場合でも、第１出力経路２０１ａと第２出力経路２０１ｂとが接地経路２０１ｃを介さずに短絡されにくくなっている。これにより、共通用ＲＯＭ１４７の第１ソケット端子１７６ｊや第２ソケット端子１７６ｋ、サブＭＰＵ１４２のＴＥＳＴ３ａ端子やＴＥＳＴ３ｂ端子に不安定な電圧が印加されるということを抑制できる。
【０３０７】
電圧端子Ｖｔからの第１出力経路２０１ａ及び第２出力経路２０１ｂへの印加電圧が同じ値とされているため、第１パッケージ端子１７２ｉに対するソケット端子１７６ｉ〜１７６ｋの接触状態によって出力経路２０１ａ，２０１ｂからの出力電圧が不安定に変動するということを抑制できる。
【０３０８】
第３検出回路２０１についてのこれらの効果は、第４検出回路２０２においても同様に奏することができる。
【０３０９】
第３検出回路２０１の接地ソケット端子１７６ｉと第４検出回路２０２の接地ソケット端子１７６ｌとが、ソケット１７４の列の延びる方向において離間した位置に配置されているため、これら検出回路２０１，２０２により、共通用ＲＯＭ１４７がソケット１７４の複数列の並び方向に移動したことを適正に検出することができる。
【０３１０】
また、これら接地ソケット端子１７６ｉ，１７６ｌがソケット１７４の複数列の並び方向に離間しているため、その並び方向において、共通用ＲＯＭ１４７が位置ずれした方向を特定できる。しかも、検出回路２０１，２０２においては、通電信号及び遮断信号のうち一方が、接地ソケット端子１７６ｉ，１７６ｌよりもソケット外周側に配置されたソケット端子１７６ｊ，１７６ｎから出力され、且つ、他方が、内側に配置されたソケット端子１７６ｋ，１７６ｍから出力されることは、共通用ＲＯＭ１４７がソケット１７４に装着されている状態では生じ得ないため、不正ＲＯＭの存在を検出できる。
【０３１１】
＜第３の実施形態＞
上記第１の実施形態では、共通用ＲＯＭ１４７が適正位置Ｎ０にある場合に検出回路１８１，１８２が通電状態になっていたが、本第３の実施形態では、共通用ＲＯＭ１４７が適正位置Ｎ０にある場合に検出回路が遮断状態になる。第３の実施形態では、主に検出回路の構成について、第１の実施形態との相違点を中心に説明する。
【０３１２】
本実施形態では、報知・演出制御装置７２が第５検出回路２１１を有しており、この第５検出回路２１１の構成について、図３１〜図３４を参照しつつ説明する。
【０３１３】
図３１は共通用ＲＯＭ１４７及びソケット１７４を示す図であり、（ａ）に共通用ＲＯＭ１４７の表面を示し、（ｂ）にソケット１７４の平面図を示す。図３２は第５検出回路２１１について共通用ＲＯＭ１４７及び回路基板１６８の回路を示す図、図３３は共通用ＲＯＭ１４７が適正位置Ｎ０にある場合の図、図３４は共通用ＲＯＭ１４７が第３離脱位置Ｎ３にある場合の図である。なお、図３２においては、（ａ）に共通用ＲＯＭ１４７の回路を示し、（ｂ）に回路基板１６８の回路を示す。図３３、図３４においては、（ａ）に共通用ＲＯＭ１４７の位置を示し、（ｂ）に第５検出回路２１１の状態を示す。
【０３１４】
図３１（ａ），（ｂ）に示すように、共通用ＲＯＭ１４７にはパッケージ端子１７２ａ〜１７２ｄが配置され、ソケット１７４にはソケット端子１７６ａ〜１７６ｄが配置されている。ソケット１７４には、ソケット端子１７６ａ〜１７６ｄ等の標準ソケット端子に加えて、共通用ＲＯＭ１４７が適正位置Ｎ０にある場合にはパッケージ端子１７２のいずれにも接触しないソケット端子１７６ｏ〜１７６ｑが設けられており、これらソケット端子１７６ｏ〜１７６ｑは第５検出回路２１１に含まれている。ここで、ソケット１７４においては、パッケージ端子１７２に対して１対１で設けられたソケット端子１７６が標準ソケット端子であり、ソケット端子１７６ｏ〜１７６ｑは、これら標準ソケット端子とは別に設けられた外れ端子に相当する。
【０３１５】
図３３（ｂ）に示すように、第５検出回路２１１は、パッケージ端子１７２ａ，１７２ｃを接続した第１接続路１９１と、外側のソケット端子１７６ｏをＴＥＳＴ５ａ端子に接続した第１出力経路２１１ａと、内側のソケット端子１７６ｐをＴＥＳＴ５ｂ端子に接続した第２出力経路２１１ｂと、接地ラインに接続された接地経路２１１ｃとを有している。なお、ソケット端子１７６ｏを第１ソケット端子１７６ｏと称し、ソケット端子１７６ｐを第２ソケット端子１７６ｐと称し、ソケット端子１７６ｑを接地ソケット端子１７６ｑと称する。
【０３１６】
図３１（ａ），（ｂ）の説明に戻り、第１ソケット端子１７６ｏ及び第２ソケット端子１７６ｐは、共通用ＲＯＭ１４７が適正位置Ｎ０にある状態でパッケージ端子１７２ａに接触しない範囲でソケット端子１７６ａに近接して横並びに配置されている。ソケット端子１７６ｏ，１７６ｐは、ソケット１７４の長手方向に並べられており、これらソケット端子１７６ｏ，１７６ｐの中間位置にソケット端子１７６ａが配置されている。この場合、第１ソケット端子１７６ｏがソケット端子１７６ａの外側に配置され、第２ソケット端子１７６ｐがソケット端子１７６ａの内側に配置されている。ソケット端子１７６ｏ，１７６ｐとソケット端子１７６ａとの離間距離は、パッケージ１７１の長手方向においてパッケージ端子１７２ａの長さ寸法よりも若干大きくされている。
【０３１７】
接地ソケット端子１７６ｑは、共通用ＲＯＭ１４７が適正位置Ｎ０にある状態でパッケージ端子１７２ｃに接触しない範囲でソケット端子１７６ｃに近接して横並びに配置されている。接地ソケット端子１７６ｑは、ソケット１７４の短手方向においてソケット端子１７６ｃの外側に配置されており、これらソケット端子１７６ｑ，１７６ｃの離間距離は、パッケージ１７１の短手方向においてパッケージ端子１７２ｃの長さ寸法よりも若干大きくされている。
【０３１８】
図３２（ａ），（ｂ）に示すように、第１接続路１９１は共通用ＲＯＭ１４７に設けられており、出力経路２１１ａ，２１１ｂ及び接地経路２１１ｃは回路基板１６８に設けられている。出力経路２１１ａ，２１１ｂは、いずれもプルアップ抵抗Ｒを介して電圧端子Ｖｔに接続されている。なお、ＴＥＳＴ５ａ端子及びＴＥＳＴ５ｂ端子は、サブＭＰＵ１４２に設けられている。
【０３１９】
図３３（ａ）に示すように、共通用ＲＯＭ１４７が適正位置Ｎ０にある場合、第１ソケット端子１７６ｏ及び第２ソケット端子１７６ｐがいずれもパッケージ端子１７２ａに接触しておらず、接地ソケット端子１７６ｑもパッケージ端子１７２ｃに接触していない。この場合、図３３（ｂ）に示すように、第５検出回路２１１においては、第１出力経路２１１ａ及び第２出力経路２１１ｂのいずれも第１接続路１９１（接地経路２１１ｃ）に接続されておらず、ＴＥＳＴ５ａ端子及びＴＥＳＴ５ｂ端子のいずれにもＨＩレベルが入力される。第２の実施形態においては、ＴＥＳＴ５ａ端子やＴＥＳＴ５ｂ端子に入力されるＨＩレベルが、共通用ＲＯＭ１４７が適正位置Ｎ０にあることを示す適正信号であり、ＬＯＷレベルが、共通用ＲＯＭ１４７が適正位置Ｎ０から離脱したことを示す離脱信号である。なお、離脱信号は、ソケット１７４に対する共通用ＲＯＭ１４７の装着状態に異常が発生したことを示す異常信号に相当する。
【０３２０】
図３４（ａ）に示すように、共通用ＲＯＭ１４７が回動したことで第３離脱位置Ｎ３にある場合、パッケージ端子１７２ａが第２ソケット端子１７６ｐに接触し、且つパッケージ端子１７２ｃが接地ソケット端子１７６ｑに接触している。この場合、第２出力経路２１１ｂが第１接続路１９１を介して接地経路２１１ｃに接続され、第２出力経路２１１ｂが通電状態になることでＴＥＳＴ５ｂ端子にＬＯＷレベルが入力される。つまり、共通用ＲＯＭ１４７が第３離脱位置Ｎ３にあることを示す離脱信号がＴＥＳＴ５ｂ端子に入力されることになる。
【０３２１】
その一方で、パッケージ端子１７２ａは第１ソケット端子１７６ｏに接触しておらず、第１出力経路２１１ａは通電状態にはならない。この場合、ＴＥＳＴ５ａ端子にはＨＩレベルが継続して入力されている。このため、サブＭＰＵ１４２は、ＴＥＳＴ５ａ端子及びＴＥＳＴ５ｂ端子に異なる信号が入力されることで、適正位置Ｎ０に対する共通用ＲＯＭ１４７の位置ずれ態様（回動方向）を特定することが可能になる。
【０３２２】
以上詳述した第３の実施形態によれば、以下の優れた効果を奏する。
【０３２３】
第５検出回路２１１において、外れ端子であるソケット端子１７６ｏ〜１７６ｑは、共通用ＲＯＭ１４７が適正位置Ｎ０にある場合にパッケージ端子１７２ａ，１７２ｃに接触しない位置に配置されているため、例えば第２の実施形態のように、パッケージ端子１７２ａ，１７２ｃに接触する位置に配置された構成に比べて、パッケージ端子１７２ａ，１７２ｃに対するソケット端子１７６ｏ〜１７６ｑの相対位置に関する自由度を高めることができる。
【０３２４】
また、ソケット端子１７６ａに対する第１ソケット端子１７６ｏ及び第２ソケット端子１７６ｐの離間距離を、パッケージ端子１７２ａの長手寸法より大きくすることや、ソケット端子１７６ｃに対する接地ソケット端子１７６ｑの離間距離を、パッケージ端子１７２ｃの長手寸法より大きくすることが可能となる。さらに、共通用ＲＯＭ１４７の設計に際して、ソケット端子１７６ａ等の標準ソケット端子の設置位置が外れ端子であるソケット端子１７６ｏ〜１７６ｑの存在により制限されるということを抑制できる。
【０３２５】
パッケージ端子１７２ａが第１ソケット端子１７６ｏや第２ソケット端子１７６ｐに接触した場合には、そのパッケージ端子１７２ａがソケット端子１７６ａに接触しないようになっており、且つパッケージ端子１７２ｃが接地ソケット端子１７６ｑに接触した場合には、そのパッケージ端子１７２ｃがソケット端子１７６ｃに接触しないようになっているため、共通用ＲＯＭ１４７が適正位置Ｎ０から許容範囲外の位置に離脱したことを第５検出回路２１１により確実に検出できる。したがって、共通用ＲＯＭ１４７の装着状態が適正であるにも関わらず不適であるとして検出されることを抑制できる。
【０３２６】
＜第４の実施形態＞
上記第２の実施形態では、共通用ＲＯＭ１４７が適正位置Ｎ０にある場合に検出回路２０１，２０２が通電状態になっていたが、本第４の実施形態では、共通用ＲＯＭ１４７が適正位置Ｎ０にある場合に検出回路が遮断状態になる。第４の実施形態では、主に検出回路の構成について、第２の実施形態との相違点を中心に説明する。
【０３２７】
本実施形態では、報知・演出制御装置７２が第６検出回路２１５を有しており、この第３検出回路２０１の構成について、図３５〜図３９を参照しつつ説明する。なお、第６検出回路２１５は、第２の実施形態の第３検出回路２０１に相当するものであり、第３検出回路２０１とはソケット端子１７６ｊ，１７６ｋの配置が異なるだけのものである。
【０３２８】
図３５は共通用ＲＯＭ１４７及びソケット１７４を示す図であり、（ａ）に共通用ＲＯＭ１４７の表面を示し、（ｂ）にソケット１７４の平面図を示す。図３６は第６検出回路２１５について共通用ＲＯＭ１４７及び回路基板１６８の回路を示す図、図３７は共通用ＲＯＭ１４７が適正位置Ｎ０にある場合の図、図３８は共通用ＲＯＭ１４７が許容位置Ｐ１にある場合の図、図３９は不正ＲＯＭ３がソケット１７４に無理やり装着された場合の図である。なお、図３６においては、（ａ）に共通用ＲＯＭ１４７のパッケージ端子１７２ｉを示し、（ｂ）に回路基板１６８の回路を示す。図３７〜図３９においては、（ａ）に共通用ＲＯＭ１４７の位置を示し、（ｂ）に第６検出回路２１５の状態を示す。
【０３２９】
図３５（ａ），（ｂ）に示すように、共通用ＲＯＭ１４７には第１パッケージ端子１７２ｉが配置されており、ソケット１７４には、第１パッケージ端子１７２ｉに合わせてソケット端子１７６ｉ〜１７６ｋが配置されている。第４の実施形態では、第２の実施形態とは異なり、第１ソケット端子１７６ｊ及び第２ソケット端子１７６ｋは、共通用ＲＯＭ１４７が適正位置Ｎ０にある状態で第１パッケージ端子１７２ｉに接触しない位置に配置されている（図３７（ａ）参照）。この場合、第１ソケット端子１７６ｊ及び第２ソケット端子１７６ｋは、標準ソケット端子に含まれない外れ端子に相当する。
【０３３０】
接地ソケット端子１７６ｉに対するソケット端子１７６ｊ，１７６ｋの相対位置は、第３の実施形態において接地ソケット端子１７６ｑに対するソケット端子１７６ｏ，１７６ｐの相対配置と同じになっている。ただし、ソケット１７４の長手方向において、接地ソケット端子１７６ｉとソケット端子１７６ｊ，１７６ｋとの離間距離は、第１パッケージ端子１７２ｉの長さ寸法より小さくされており、第１パッケージ端子１７２ｉが第１ソケット端子１７６ｊ及び第２ソケット端子１７６ｋのうち一方と接地ソケット端子１７６ｉとの両方に同時に接触することが可能になっている。
【０３３１】
また、第１ソケット端子１７６ｊと第２ソケット端子１７６ｋとの離間距離は、第１パッケージ端子１７２ｉの長さ寸法より大きくされており、第１パッケージ端子１７２ｉが第１ソケット端子１７６ｊ及び第２ソケット端子１７６ｋの両方に同時には接触しないようになっている。
【０３３２】
図３６（ａ），（ｂ）、図３７（ｂ）に示すように、第６検出回路２１５は、第１出力経路２１５ａ、第２出力経路２１５ｂ及び接地経路２１５ｃを有しており、これら経路２１５ａ〜２１５ｃはいずれも回路基板１６８に設けられている。
【０３３３】
図３７（ａ）に示すように、共通用ＲＯＭ１４７が適正位置Ｎ０にある場合、第１パッケージ端子１７２ｉには、接地ソケット端子１７６ｉが接触している一方で、第１ソケット端子１７６ｊ及び第２ソケット端子１７６ｋがいずれも接触していない。この場合、図３７（ｂ）に示すように、第６検出回路２１５においては、第１出力経路２１５ａ及び第２出力経路２１５ｂのいずれも接地経路２１５ｃに接続されておらず、ＴＥＳＴ３ａ端子及びＴＥＳＴ３ｂ端子のいずれにもＨＩレベルが入力される。
【０３３４】
第４の実施形態においては、第２の実施形態と同様に、ＴＥＳＴ３ａ端子やＴＥＳＴ３ｂ端子に入力されるＨＩレベルが適正信号であり、ＬＯＷレベルが離脱信号（異常信号）である。ただし、第６検出回路２１５は、共通用ＲＯＭ１４７の位置ずれが許容範囲内にあることも検出可能であるため、離脱信号を位置ずれ信号と称することもできる。
【０３３５】
図３８（ａ）に示すように、共通用ＲＯＭ１４７が右側に位置ずれしたことで許容位置Ｐ１にある場合、第１パッケージ端子１７２ｉには、接地ソケット端子１７６ｉに加えて第１ソケット端子１７６ｊが接触している一方で、第２ソケット端子１７６ｋは接触していない。この場合、第１出力経路２１５ａが第１パッケージ端子１７２ｉを介して接地経路２１５ｃに接続され、第１出力経路２１５ａが通電状態になることでＴＥＳＴ３ａ端子にＬＯＷレベルが入力される。また、第２出力経路２１５ｂは接地経路２１５ｃに接触しておらず、第２出力経路２１５ｂは通電状態にならないことでＴＥＳＴ３ｂ端子にＨＩレベルが入力される。
【０３３６】
このように、第６検出回路２１５によりＴＥＳＴ３ａ端子に位置ずれ信号が入力され、ＴＥＳＴ３ｂ端子に適正信号が入力された場合、サブＭＰＵ１４２は、共通用ＲＯＭ１４７が適正位置Ｎ０から右側に位置ずれした許容位置Ｐ１にあると特定する。
【０３３７】
上述したように、共通用ＲＯＭ１４７がどのように位置ずれした場合でも、第１ソケット端子１７６ｊ及び第２ソケット端子１７６ｋの両方が第１パッケージ端子１７２ｉに同時に接触しないようになっているため、ＴＥＳＴ３ａ端子及びＴＥＳＴ３ｂ端子の両方に位置ずれ信号が同時に入力される、という状況が生じないようになっている。
【０３３８】
ところが、不正ＲＯＭがソケット１７４に無理やり装着された場合には、不正ＲＯＭのパッケージ端子が第１パッケージ端子１７２ｉよりも大きいことなどに起因して、ＴＥＳＴ３ａ端子及びＴＥＳＴ３ｂ端子の両方に位置ずれ信号が同時に入力されることが想定される。
【０３３９】
図３９（ａ）に示すように、パッケージ端子の長さ寸法が大きい不正ＲＯＭ３がソケット１７４に無理やり装着された場合、その不正ＲＯＭ３において、第６検出回路２１５に含まれたパッケージ端子Ｘ５は、第１ソケット端子１７６ｊ及び第２ソケット端子１７６ｋの両方に接触している。これにより、図３９（ｂ）に示すように、第６検出回路２１５においては、第１出力経路２１５ａ及び第２出力経路２１５ｂの両方から通電信号が出力され、ＴＥＳＴ３ａ端子及びＴＥＳＴ３ｂ端子の両方に位置ずれ信号（ＬＯＷレベル）が同時に入力される。
【０３４０】
この場合、サブＭＰＵ１４２は、第６検出回路２１５からＴＥＳＴ３ａ端子及びＴＥＳＴ３ｂ端子のそれぞれに入力された検出信号に基づいて、共通用ＲＯＭ１４７の位置ずれが生じたのではなく、不正ＲＯＭがソケット１７４に無理やり装着された、という判定を行う。
【０３４１】
以上詳述した第４の実施形態によれば、以下の優れた効果を奏する。
【０３４２】
第６検出回路２１５において、外れ端子である第１ソケット端子１７６ｊ及び第２ソケット端子１７６ｋは、共通用ＲＯＭ１４７が適正位置Ｎ０にある場合に第１パッケージ端子１７２ｉに接触しない位置に配置されているため、例えば、第２の実施形態のように、第１パッケージ端子１７２ｉに接触する位置に配置された構成に比べて、第１パッケージ端子１７２ｉに対する第１ソケット端子１７６ｊ及び第２ソケット端子１７６ｋの相対位置に関する自由度を高めることができる。
【０３４３】
第１パッケージ端子１７２ｉが、第１ソケット端子１７６ｊ及び第２ソケット端子１７６ｋのうち一方と接地ソケット端子１７６ｉとに架け渡された状態で同時に接触することが可能になっているため、ソケット１７４に対する共通用ＲＯＭ１４７の装着状態が適正範囲に含まれている場合でも、適正位置Ｎ０に対する共通用ＲＯＭ１４７の位置ずれを第６検出回路２１５により検出することができる。これにより、共通用ＲＯＭ１４７の装着状態について、第６検出回路２１５による検出精度を高めることができる。
【０３４４】
第６検出回路２１５においては、第１パッケージ端子１７２ｉが、第１ソケット端子１７６ｊ及び第２ソケット端子１７６ｋのうち一方と接地ソケット端子１７６ｉと同時に接触することで、共通用ＲＯＭ１４７の位置ずれが検出されるため、第１の実施形態や第３の実施形態とは異なり、検出回路を構成する専用経路を共通用ＲＯＭ１４７に設ける必要がない。この場合、汎用品のＩＣチップを共通用ＲＯＭ１４７として使用することが可能となるため、コスト負担を低減できる。また、この場合、不正ＲＯＭがソケット１７４に無理やり装着されたことを検出することができる。
【０３４５】
＜他の実施形態＞
なお、上述した各実施形態の記載内容に限定されず、本発明の趣旨を逸脱しない範囲内で種々の変形改良が可能である。例えば以下のように変更してもよい。ちなみに、以下の別形態の構成を、上記各実施形態の構成に対して、個別に適用してもよく、組み合わせて適用してもよい。
【０３４６】
（ａ１）上記第１の実施形態では、共通用ＲＯＭ１４７において第１接続路１９１，１９５及び第２接続路１９２，１９６が隣り合うパッケージ端子１７２を接続していたが、これら接続路１９１，１９２，１９５，１９６は、パッケージ１７１において対角位置に配置されたパッケージ端子１７２を接続していてもよい。例えば、第１検出回路１８１において、上流開閉部１８５ａのパッケージ端子１７２ａと、第１中間開閉部１８５ｃのパッケージ端子１７２ｃとがパッケージ１７１において対角位置に配置され、これらパッケージ端子１７２ａ，１７２ｃを接続する第１接続路１９１がパッケージ１７１の対角線に沿って延びるように配置された構成とする。
【０３４７】
（ａ２）上記第１の実施形態では、隅角開閉部１８５ａ〜１８５ｄのパッケージ端子１７２ａ〜１７２ｄがパッケージ１７１の四隅に対して設けられていたが、これらパッケージ端子１７２ａ〜１７２ｄは、パッケージ端子１７２の配列の隅角位置より内側に配置されていてもよい。この場合でも、これらパッケージ端子１７２ａ〜１７２ｄが、内側開閉部１８６ａ〜１８６ｄのパッケージ端子１７２ｅ〜１７２ｈよりも外側に配置されていることが好ましい。
【０３４８】
（ａ３）上記第１の実施形態では、パッケージ端子１７２ａ〜１７２ｈは、パッケージ１７１の板面に沿って直交する２方向に並べられていたが、これらパッケージ端子１７２ａ〜１７２ｈの配置はこれに限られない。例えば、パッケージ端子１７２ａ〜１７２ｄが仮想台形の頂点に配置されていてもよく、パッケージ端子１７２ｅ〜１７２ｈが仮想菱形の頂点に配置されていてもよい。
【０３４９】
（ａ４）上記第１の実施形態では、検出回路１８１，１８２がそれぞれ４つの開閉部を有していたが、有する開閉部は複数であれば２つでも３つでもよい。例えば、第１検出回路１８１が上流開閉部１８５ａ及び下流開閉部１８５ｂの２つの開閉部を有している構成とする。この構成では、開閉部１８５ａ、１８５ｄのパッケージ端子１７２ａ，１７２ｄを接続する接続路が共通用ＲＯＭ１４７に設けられている。また、これらパッケージ端子１７２ａ，１７２ｄはパッケージ１７１において対角位置に配置されていることが好ましい。これにより、共通用ＲＯＭ１４７の全てのパッケージ端子１７２のうち一部がソケット端子１７６から離間する程度の共通用ＲＯＭ１４７の位置ずれであっても、その離間する一部のパッケージ端子１７２がパッケージ端子１７２ａ，１７２ｄとなる構成を実現できる。しかも、第１検出回路１８１に含まれるパッケージ端子１７２ａ，１７２ｄの数が２つだけになるため、４つのパッケージ端子が第１検出回路１８１に含まれている構成に比べて、共通用ＲＯＭ１４７に関する回路設計の制約を小さくすることができる。
【０３５０】
また、第１検出回路１８１及び第２検出回路１８２のうち一方の開閉部を４つとし、他方の開閉部を２つにするなど、検出回路ごとに開閉部（パッケージ端子）の数が異なっていてもよい。
【０３５１】
（ａ５）上記第１の実施形態では、共通用ＲＯＭ１４７において、第２検出回路１８２のパッケージ端子１７２ｅ〜１７２ｈが、第１検出回路１８１のパッケージ端子１７２ａ〜１７２ｄの内側に配置されていたが、第２検出回路１８２のパッケージ端子が第１検出回路１８１のパッケージ端子より外側に配置されていてもよい。また、第１検出回路１８１と第２検出回路１８２とでそれぞれのパッケージ端子が横並びに配置されていてもよい。この場合、第１検出回路１８１だけが遮断信号を出力した場合と、第２検出回路１８２だけが遮断信号を出力した場合とで、共通用ＲＯＭ１４７の位置ずれの向きが異なると判定することが可能となる。また、第１検出回路１８１及び第２検出回路１８２の両方が遮断信号を出力した場合には、いずれか一方だけが遮断信号を出力した場合に比べて、共通用ＲＯＭ１４７の位置ずれレベルが高いと判定することが可能となる。
【０３５２】
（ａ６）上記第１の実施形態では、共通用ＲＯＭ１４７の位置ずれが発生した場合に、対策処理として遊技状態に応じた報知処理が行われたが、報知処理は遊技状態に関係なく実行されてもよい。また、対策処理として、遊技を中断させる処理などが行われてもよい。
【０３５３】
（ｂ１）上記第２の実施形態では、接地ソケット端子１７６ｉ，１７６ｌ、第１ソケット端子１７６ｊ，１７６ｍ及び第２ソケット端子１７６ｋ，１７６ｎが直線的に並べられていたが、接地ソケット端子が第１ソケット端子と第２ソケット端子との間に配置されているのであれば、これらソケット端子は直線的に並べられていなくてもよい。
【０３５４】
（ｂ２）上記第２の実施形態では、接地ソケット端子１７６ｉ，１７６ｌが標準ソケット端子として設けられていたが、第１ソケット端子１７６ｊ，１７６ｍ又は第２ソケット端子１７６ｋ，１７６ｎが標準ソケット端子として設けられていてもよい。また、検出回路２０１，２０２に含まれるソケット端子のいずれも標準ソケット端子とは異なる位置に配置されていてもよい。例えば、第３検出回路２０１において、標準ソケット端子が接地されるはずの位置を中心として仮想三角形を想定し、その仮想三角形の各頂点に接地ソケット端子１７６ｉ、第１ソケット端子１７６ｊ及び第２ソケット端子１７６ｋが配置された構成とする。
【０３５５】
（ｂ３）上記第２の実施形態では、検出回路２０１，２０２において、出力経路が複数設けられ、接地経路が１つ設けられていたが、出力経路及び接地経路のそれぞれが１つずつ設けられていてもよく、接地経路だけが複数設けられていてもよい。つまり、上流ソケット端子及び下流ソケット端子のそれぞれが１つずつ設けられていてもよく、下流ソケット端子だけが複数設けられていてもよい。
【０３５６】
なお、出力経路及び接地経路が複数ずつ設けられていてもよいが、この場合は、パッケージ端子１７２ｉ，１７２ｊを通じて通電される出力経路と接地経路との組み合わせによって、出力経路からの出力電圧が不安定に変化することなどが懸念されるため、出力経路及び接地経路のうち一方だけを複数設けることが好ましい。
【０３５７】
（ｂ４）上記第２の実施形態では、第３検出回路２０１の接地ソケット端子１７６ｉと第４検出回路２０２の接地ソケット端子１７６ｌとが、ソケット１７４において対角位置に配置されていたが、これら接地ソケット端子１７６ｉ，１７６ｌは、その並び方向がソケット端子１７６の列の並び方向と平行になるように配置されていてもよく、ソケット端子１７６の列が延びている方向と平行になるように配置されていてもよい。
【０３５８】
（ｃ１）外れ端子としてのソケット端子１７６ｏ〜１７６ｑ，１７６ｊ，１７６ｋは、共通用ＲＯＭ１４７が適正位置Ｎ０にある場合にパッケージ端子１７２のいずれにも接触しない位置に配置されていれば、上記第３及び第４の実施形態における位置に配置されていなくてもよい。
【０３５９】
（ｃ２）上記第３及び第４の実施形態では、検出回路２１１，２１５に、パッケージ端子１７２及びソケット端子１７６のうち少なくとも一方の端子が複数含まれていたが、パッケージ端子１７２及びソケット端子１７６が１つずつ含まれていてもよい。例えば、検出回路において、１つのパッケージ端子が外れ端子としての１つのソケット端子に接触したことが検出される構成とする。この構成としては、外れ端子に接触する可能性の高いパッケージ端子に接触センサが設けられた構成が挙げられる。この場合、検出回路２１１，２１５に含まれるパッケージ端子は、共通用ＲＯＭ１４７が適正位置にある場合には共通用ＲＯＭ１４７の動作に用いられる端子とすることが可能となる。つまり、テスト端子とする必要がない。
【０３６０】
（ｃ３）上記第３及び第４の実施形態では、外れ端子がソケット端子１７６ｏ〜１７６ｑ，１７６ｊ，１７６ｋとしてソケット１７４に設けられていたが、外れ端子はパッケージ端子１７２としてパッケージ１７１に設けられていてもよい。この場合は、外れ端子をソケット１７４に設ける必要がない。
【０３６１】
（ｃ４）上記第３の実施形態では、外れ端子であるソケット端子１７６ｏ〜１７６ｑが、共通用ＲＯＭ１４７が位置ずれした場合でもパッケージ端子１７２ａ，１７２ｃが複数のソケット端子１７６に接触しないように配置されていたが、外れ端子は、共通用ＲＯＭ１４７が位置ずれした場合にパッケージ端子１７２ａ，１７２ｃが複数のソケット端子１７６に接触するように配置されていてもよい。例えば、ソケット１７４の長手方向において、ソケット端子１７６ａに対するソケット端子１７６ｏ，１７６ｐの離間距離が、パッケージ端子１７２ａの長さ寸法より小さくされた構成とする。
【０３６２】
（ｄ１）上記第１及び第２の実施形態では、検出回路１８１，１８２，２０１，２０２から出力されたＬＯＷレベルが通電信号とされ、ＨＩレベルが遮断信号とされていたが、ＬＯＷレベルが遮断信号とされ、ＨＩレベルが通電信号とされていてもよい。例えば、第１の実施形態においては、出力経路１８１ｂにプルアップ抵抗Ｒが接続されておらず、第１検出回路１８１の接地経路１８１ｃにプルダウン抵抗が設けられた構成とする。
【０３６３】
（ｄ２）上記各実施形態では、検出回路の接地経路が出力経路としてサブＭＰＵ１４２に接続されていてもよい。例えば、第１の実施形態において、第１検出回路１８１の出力経路１８１ｂが電圧端子Ｖｔに接続されている一方で、ＴＥＳＴ１端子に接続されておらず、接地経路１８１ｃがＴＥＳＴ１端子に接続された構成とする。この場合でも、ＴＥＳＴ１端子には、共通用ＲＯＭ１４７が適正位置Ｎ０にある場合にＬＯＷレベルが入力され、共通用ＲＯＭ１４７が第１離脱位置Ｎ１などに位置ずれすることでＨＩレベルが入力される。
【０３６４】
（ｄ３）上記第１及び第２の実施形態では、検出回路１８１，１８２，２０１，２０２に含まれたパッケージ端子１７２ａ〜１７２ｊがテスト端子とされていたが、これらパッケージ端子１７２ａ〜１７２ｊがＶＣＣ端子やＯＥ端子、ＣＥ端子とされていてもよい。例えば、第１の実施形態の第１検出回路１８１において、パッケージ端子１７２ａにＶＣＣ端子が割り当てられた構成では、パッケージ端子１７２ａがプルアップ抵抗Ｒを介さずに電圧端子Ｖｔに接続され、出力経路１８１ｂにプルダウン抵抗が設けられた構成とする。この構成によれば、共通用ＲＯＭ１４７が位置ずれして直列経路１８１ａの通電が停止した場合に、ＶＣＣ端子への給電が停止されて共通用ＲＯＭ１４７の動作が停止することが懸念されるが、共通用ＲＯＭ１４７が適正位置Ｎ０にある場合には、パッケージ端子１７２ａ（ＶＣＣ端子）に電圧端子Ｖｔから所定電圧が印加されることで共通用ＲＯＭ１４７を正常に動作させることが可能となる。
【０３６５】
（ｄ４）上記各実施形態では、パッケージ端子１７２及びソケット端子１７６がそれぞれ４列で設けられていたが、２列や３列といった他の複数列で設けられていてもよく、１列で設けられていてもよい。
【０３６６】
（ｄ５）上記各実施形態では、ソケットに装着された電子部品を報知・演出制御装置７２の共通用ＲＯＭ１４７としたが、この電子部品は、報知・演出制御装置７２のＣＰＵ１４３や、表示制御装置１２８の表示ＭＰＵ１６２、主制御装置７１のＲＷＭ１２４としてもよい。いずれの場合でも、ソケットに対する電子部品の装着状態を検出できる。
【０３６７】
（ｄ６）主制御装置７１から出力されるコマンドに基づいて、報知・演出制御装置７２により表示制御装置１２８が制御される構成に代えて、主制御装置７１から出力されるコマンドに基づいて、表示制御装置１２８が報知・演出制御装置７２を制御する構成としてもよい。また、報知・演出制御装置７２と表示制御装置１２８とが別々に設けられた構成に代えて、両制御装置が一の制御装置として設けられた構成としてもよく、それら両制御装置のうち一方の機能が主制御装置７１に集約されていてもよく、それら両制御装置の両機能が主制御装置７１に集約されていてもよい。また、主制御装置７１から報知・演出制御装置７２に出力されるコマンドの構成や、報知・演出制御装置７２から表示制御装置１２８に出力されるコマンドの構成も任意である。
【０３６８】
（ｄ７）遊技回用の演出が実行される装置は、図柄表示装置４１に限定されることはなく、可動式に設けられた装飾部材が動作することで遊技回用の演出が実行される構成としてもよく、所定の発光部を点灯させることで遊技回用の演出が実行される構成としてもよく、上記各態様の全部又は一部の組み合わせによって遊技回用の演出が実行される構成としてもよい。
【０３６９】
（ｄ８）上記各実施形態では、主制御装置７１において当否判定が行われたことに基づいてメイン表示部４３における一の遊技回が開始される構成としたが、これに限定されることはなく、主制御装置７１において当否判定が行われる条件が成立した場合に実際に当否判定が行われるタイミングよりも前のタイミングで上記遊技回が開始され、その後に当否判定が行われたことに基づいてその遊技回におけるその後の表示態様、表示継続時間及び停止結果が決定される構成としてもよい。この場合、主制御装置７１では遊技回の開始タイミングとなった場合に、先ず変動用コマンドを送信し、その後に当否判定、表示継続時間の決定及び種別判定を行った場合に、時間コマンド及び種別コマンドを送信する構成としてもよく、これら時間コマンド及び種別コマンドの送信タイミングもずれている構成としてもよい。
【０３７０】
（ｄ９）上記各実施形態では、メイン表示部４３において各遊技結果に対応した停止結果が表示される構成としたが、これに代えて、メイン表示部４３を不具備としてもよく、いずれの遊技結果であってもメイン表示部４３において共通の停止結果が表示される構成としてもよく、メイン表示部４３において停止結果がランダムに表示されることで、結果的にメイン表示部４３の表示からはいずれの遊技結果であるかを識別できない構成としてもよい。
【０３７１】
（ｄ１０）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３７２】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３７３】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０３７４】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０３７５】
＜特徴Ａ群＞
下記特徴Ａ群の発明は、以下の課題に対して効果的である。
【０３７６】
パチンコ機等の遊技機には、遊技を統括管理する主制御装置や、主制御装置からの信号に基づいて音の出力などを制御する副制御装置などが設けられている。これら制御装置は、所定の配線パターンが付与された回路基板を有しており、この回路基板には、ＣＰＵやＲＯＭ、ＲＡＭといった電子部品が表面実装等により搭載されている。電子部品が回路基板に対して表面実装された構成としては、回路基板に取り付けられたソケットに電子部品が装着された構成がある（例えば特許文献１：特開２００９−２６８５４８号公報参照）。電子部品及びソケットはそれぞれ電極を複数有しており、これら電極が端子として互いに接触することで電子部品が制御装置において動作可能な状態になっている。
【０３７７】
しかしながら、電子部品がソケットに装着された構成では、例えば電子部品の端子が回路基板に対して半田付けされたスルーホール実装とは異なり、電子部品の端子とソケットの端子とが半田付けされていない。このため、ソケットに対する電子部品の装着状態が適正でない場合には、電子部品が正常に動作しないことが懸念される。
【０３７８】
ここで、電子部品の装着状態が適正でない場合としては、電子部品の全ての端子がソケットの端子に接触していない場合はもちろんのこと、電子部品の一部の端子だけがソケットの端子に接触している場合が挙げられ、この場合には端子同士の接触が不安定な状態になっていると想定されるため、仮に電子部品が正常に動作していたとしても、僅かな振動などにより端子間の接触不良が発生して電子部品の正常な動作が停止することになってしまうと考えられる。
【０３７９】
特徴Ａ１．パッケージ（パッケージ１７１）を有する電子部品（共通用ＲＯＭ１４７）が、回路基板（回路基板１６８）に取り付けられたソケット（ソケット１７４）に装着されていることで該回路基板に実装されており、
前記ソケットのソケット端子（ソケット端子１７６）と、該ソケット端子に通電可能に接触している前記パッケージのパッケージ端子（パッケージ端子１７２）とが複数組設けられ、前記パッケージ端子が前記パッケージの板面に沿って複数並べられた遊技機であって、
前記ソケットに対する前記電子部品の装着状態の不適を検出する検出回路（第１検出回路１８１、第２検出回路１８２）を備え、
前記検出回路は、
一組の前記ソケット端子と前記パッケージ端子とを１つの開閉部（隅角開閉部１８５ａ〜１８５ｄ、内側開閉部１８６ａ〜１８６ｄ）として、この開閉部が複数直列に接続されていることで形成され、各開閉部において前記ソケット端子と前記パッケージ端子とが接触している場合に通電され、少なくとも１つの前記開閉部において前記ソケット端子と前記パッケージ端子とが接触していない場合に通電が遮断される直列経路（直列経路１８１ａ，１８２ａ）を有しており、前記直列経路の通電状態を検出することで前記装着状態の不適を検出するものであることを特徴とする遊技機。
【０３８０】
特徴Ａ１によれば、直列経路が通電されていない場合、ソケットに対する電子部品の装着状態が適正でないことに起因して、少なくとも１つの開閉部においてパッケージ端子とソケット端子とが接触していないことになる。つまり、開状態になっていることになる。このため、全ての開閉部が開状態にならなくても、１つでも開状態になれば電子部品の装着状態の不適が検出されるため、その検出精度を高めることができる。この場合、電子部品の装着状態が不適であるにもかかわらずその不適が検出されないことや、装着状態が適正であるにもかかわらず不適であるとして検出されることが抑制されるため、電子部品の装着状態を好適に管理できる。
【０３８１】
特徴Ａ２．前記直列経路は、当該直列経路において隣り合う前記開閉部の各パッケージ端子を接続していることでこれら開閉部を直列に接続しているパッケージ側接続路（第１接続路１９１，１９５、第２接続路１９２，１９６）を有しており、
前記パッケージ側接続路は、前記電子部品に設けられていることを特徴とする特徴Ａ１に記載の遊技機。
【０３８２】
特徴Ａ２によれば、検出回路の直列経路においては、２つの開閉部を接続したパッケージ側接続路が電子部品に設けられているため、直列経路の通電状態を検出することで、少なくとも２つのパッケージ端子についてソケット端子との接触状態をまとめて検出することができる。したがって、例えばパッケージ端子とソケット端子との接触状態を検出するために所定のデータを電子部品から読み出すという構成に比べて、パッケージ端子とソケット端子との接触状態を検出する手順が煩雑になることを抑制できる。
【０３８３】
特徴Ａ３．複数の前記パッケージ端子は、前記パッケージの板面に沿って複数列で設けられており、
前記直列経路は、前記パッケージ側接続路として、２つの前記パッケージ端子を接続している第１接続路（第１接続路１９１，１９５）と、該第１接続路とは異なる２つの前記パッケージ端子を接続している第２接続路（第２接続路１９２，１９６）とが前記電子部品に設けられていることで、前記開閉部を４つ有しており、
４つの前記開閉部の各パッケージ端子は、前記複数列のうち２列に２つずつ配置されていることを特徴とする特徴Ａ２に記載の遊技機。
【０３８４】
特徴Ａ３によれば、直列経路に含まれた４つのパッケージ端子が、パッケージの板面に沿って互いに交差する２方向に沿って並べられているため、適正位置に対する電子部品の位置ずれを１方向だけでなく２方向について検出することができる。
【０３８５】
特徴Ａ４．前記第１接続路により接続された２つの前記パッケージ端子の並び方向と、前記第２接続路により接続された２つの前記パッケージ端子の並び方向とが同じであることを特徴とする特徴Ａ３に記載の遊技機。
【０３８６】
特徴Ａ４によれば、第１接続路及び第２接続路を互いに平行に延びた状態で配置することで、これら接続路がそれぞれ２つのパッケージ端子を接続することができる。このため、例えば第１接続路と第２接続路とが交差した状態で配置された構成に比べて、第１接続路及び第２接続路の長さ寸法や配置領域を小さくできる。このため、電子部品において、第１接続路及び第２接続路の存在によって電子部品の他の配線パターンの配置が制限されるということを抑制できる。
【０３８７】
特徴Ａ５．前記複数列のそれぞれにおいて各パッケージ端子は、矩形状の前記パッケージの一の辺が延びる方向に並べられており、
４つの前記開閉部の各パッケージ端子は、前記複数列で配置された複数の前記パッケージ端子のうち隅角位置に配置されたものであることを特徴とする特徴Ａ３又はＡ４に記載の遊技機。
【０３８８】
電子部品が位置ずれした場合、その位置ずれ方向がパッケージの板面が延びる方向及びパッケージの厚み方向のいずれであっても、パッケージの角部分の変位量がパッケージの中央部分の変位量よりも大きくなる。そこで、特徴Ａ５のように、４つの開閉部の各パッケージ端子がパッケージの四隅のそれぞれに最も近い隅角位置に配置されていることで、電子部品の全てのパッケージ端子のうち一部がソケット端子から離間する程度の電子部品の位置ずれであっても、その離間する一部のパッケージ端子が検出回路に含まれる構成を実現できる。これにより、電子部品の位置ずれの検出精度を高めることができる。
【０３８９】
特徴Ａ６．複数の前記パッケージは、前記パッケージの板面に沿って複数列で設けられており、
前記複数列のそれぞれにおいて各パッケージ端子は、矩形状の前記パッケージの一の辺が延びる方向に並べられており、
前記パッケージ側接続路により接続された２つの前記パッケージ端子は、前記複数列で配置された複数の前記パッケージ端子のうち隅角位置であり且つ対角位置に配置されたものであることを特徴とする特徴Ａ２に記載の遊技機。
【０３９０】
上述したように、電子部品が位置ずれした場合、その位置ずれ方向がパッケージの板面が延びる方向及びパッケージの厚み方向のいずれであっても、パッケージの角部分の変位量がパッケージの中央部分の変位量よりも大きくなる。そこで、特徴Ａ６のように、２つの開閉部の各パッケージ端子がパッケージの四隅のうち一対の対向角のそれぞれに最も近い隅角位置に配置されていることで、電子部品の全てのパッケージ端子のうち一部がソケット端子から離間する程度の電子部品の位置ずれであっても、その離間する一部のパッケージ端子が検出回路に含まれる構成を実現できる。
【０３９１】
しかも、この構成を１つの直列経路及び２つのパッケージ端子により実現できるため、検出回路に含まれるパッケージ端子の数を極力少なくすることができる。これにより、電子部品の位置ずれの検出精度を高めた上で、検出回路のパッケージ端子を確保するために電子部品に関する回路設計の制約が大きくなるということを抑制できる。
【０３９２】
特徴Ａ７．前記検出回路として、
複数の前記パッケージ端子のうち所定のパッケージ端子を有している第１検出回路（第１検出回路１８１）と、
前記第１検出回路とは異なるパッケージ端子を有している第２検出回路（第２検出回路１８２）と、
を備え、
前記第１検出回路及び前記第２検出回路の各検出結果に基づいて、前記装着状態が適正である場合の前記電子部品の適正位置（適正位置Ｎ０）からの離脱態様を位置ずれレベルとして特定する特定手段（ステップＳ５０１の処理を実行する機能）が設けられていることを特徴とする特徴Ａ１乃至Ａ６のいずれか１つに記載の遊技機。
【０３９３】
特徴Ａ７によれば、２つの検出回路により電子部品の位置ずれの大きさなどを位置ずれレベルとして特定することができる。この場合、適正位置からの電子部品の離脱態様が遊技を優先してもよい程度のものであるのか、装着状態を改善した方がよい程のものであるのかを判定することで、電子部品の位置ずれが発生した場合の対応処理を、位置ずれレベルに合わせてきめ細かく設定することができる。
【０３９４】
特徴Ａ８．前記特定手段は、前記第２検出回路により前記装着状態の不適が検出された場合に、前記第１検出回路により前記装着状態の不適が検出された場合に比べて、前記位置ずれレベルが高いものとして特定することを特徴とする特徴Ａ７に記載の遊技機。
【０３９５】
特徴Ａ８によれば、電子部品が位置ずれした場合に、第１検出回路と第２検出回路とで検出可能な位置ずれの態様が異なるように、これら検出回路について各パッケージ端子の配置を設定することで、特定手段が複雑な判定を行うことなく位置ずれレベルを特定することができる。これにより、特定手段が位置ずれレベルを特定するための判定処理を遊技機ごとに個別に設定するという手間を省くことができる。
【０３９６】
特徴Ａ９．前記パッケージにおいて、前記第２検出回路の各パッケージ端子は、前記第１検出回路の各パッケージ端子に比べて、当該パッケージの板面の周縁部からの離間距離が大きい位置に配置されており、
前記特定手段は、前記第２検出回路により前記装着状態の不適が検出された場合に、前記第１検出回路により前記装着状態の不適が検出された場合に比べて、前記位置ずれレベルが高いものとして特定することを特徴とする特徴Ａ７又はＡ８に記載の遊技機。
【０３９７】
上述したように、電子部品が位置ずれした場合、その位置ずれ方向がパッケージの板面が延びる方向及びパッケージの厚み方向のいずれであっても、パッケージの周縁部の変位量がパッケージの中央部分の変位量よりも大きくなる。このため、特徴Ａ９のように、第２検出回路の各パッケージ端子が第１検出回路の各パッケージ端子よりもパッケージの内側に配置された構成では、第２検出回路が第１検出回路よりも電子部品の大きな位置ずれを検出できる。また、この場合、例えば設計者がパッケージの全てのパッケージ端子の配置を視認した上で、いずれのパッケージ端子を検出回路に含めるのかを判断することができるため、各検出回路による位置ずれの検出精度を高過ぎず低過ぎず適度に設定することができる。
【０３９８】
特徴Ａ１０．あらかじめ定められた移行条件が成立した場合に、遊技状態を通常遊技状態とは遊技媒体の獲得期待値が異なる他の遊技状態に移行させる手段（ステップＳ２１４の処理を実行する機能）と、
遊技が行われていないことで遊技機を待機状態に移行させる手段（ステップＳ２１７の処理を実行する機能）と、
前記第１検出回路及び前記第２検出回路のうち前記第１検出回路により前記装着状態の不適が検出され、且つ遊技状態が前記通常遊技状態にある場合に、異常発生を報知する手段（Ｓ５１１の処理を実行する機能）と、
前記第１検出回路及び前記第２検出回路の両方により前記装着状態の不適が検出され、且つ遊技機が前記待機状態にある場合に、異常発生を報知する手段（Ｓ５０８の処理を実行する機能）と、
を備えていることを特徴とする特徴Ａ９に記載の遊技機。
【０３９９】
特徴Ａ１０によれば、第１検出回路だけにより電子部品の装着状態の不適が検出された場合は、遊技機が待機状態にあるタイミングで報知されるため、その報知が遊技者に遊技を終了させるきっかけになることや、遊技者の利益を阻害することを抑制できる。なお、第１検出回路の各パッケージ端子は、電子部品の軽微な位置ずれを検出できる位置に配置されていることが好ましい。
【０４００】
また、第１検出回路及び第２検出回路の両方により電子部品の装着状態の不適が検出された場合は、遊技状態が通常遊技状態にあるタイミングで報知されるため、例えば遊技状態が遊技媒体の獲得期待値が通常遊技状態より高い特別遊技状態にあるタイミングで報知された場合に比べて、遊技者の利益を阻害することを抑制できる。
【０４０１】
特徴Ａ１１．前記検出回路により前記装着状態の不適が検出された場合に、異常発生を報知するか否かの判定を遊技機の状態に基づいて判定する手段（ステップＳ５０６，Ｓ５１０の処理を実行する機能）と、
前記報知を実施しない場合に、異常発生を遊技機外部の管理装置に通知する外部通知手段（ステップＳ５１３の処理を実行する機能）と、
を備えていることを特徴とする特徴Ａ１乃至Ａ１０のいずれか１つに記載の遊技機。
【０４０２】
特徴Ａ１１によれば、検出回路により電子部品の装着状態の不適が検出された場合でも、遊技状態が特別遊技状態にある場合などには異常発生の報知が行われないことで、遊技者の利益を阻害することを抑制できる。その一方で、管理装置には異常発生が通知されるため、ホール管理者等は電子部品の位置ずれ発生に対して対応作業を行うことが可能となる。
【０４０３】
特徴Ａ１２．前記電子部品は、音出力手段（スピーカ９１）から出力される音に関する情報を記憶した記憶手段である遊技機であって、
前記音出力手段からの音の出力が行われているか否かを判定する手段（ステップＳ４０８の処理を実行する機能）と、
前記検出回路により前記装着状態の不適が検出されている一方で、前記音出力手段からの音の出力が行われている場合に、異常発生を報知する手段（ステップＳ５０８，Ｓ５１１の処理を実行する機能）と、
前記検出回路により前記装着状態の不適が検出され、且つ前記音出力手段からの音の出力が行われていない場合に、異常発生を報知する手段（ステップＳ５０５の処理を実行する機能）と、
を備えていることを特徴とする特徴Ａ１乃至Ａ１１のいずれか１つに記載の遊技機。
【０４０４】
電子部品の装着状態が不適になっている場合でも、音データの入出力に用いられるパッケージ端子がソケット端子に導通している状態であれば、電子部品が正常に動作して音出力手段から音が出力すると想定される。これに対して、特徴Ａ１２によれば、電子部品の装着状態が不適になっていても、音出力手段から音が出力している場合と出力していない場合とで異なる態様で報知を実施することが可能となる。このため、音出力手段から音が出力されていることで遊技に支障が生じていないのであれば、報知を行わずに遊技者に遊技を継続してもらうことが可能となる。その一方で、音出力手段から音が出力されていないのであれば、遊技に支障が生じる可能性が高いとして報知を行うことで、音が適正に出力されるように電子部品の装着状態を改善することが可能となる。
【０４０５】
特徴Ａ１３．前記検出回路は、
前記直列経路の上流端に接続され、当該検出回路の検出信号を出力する出力経路（出力経路１８１ｂ，１８２ｂ）を有しており、
前記出力経路には、当該出力経路に所定電圧を印加する電源部がプルアップ抵抗（プルアップ抵抗Ｒ）を介して接続されていることを特徴とする特徴Ａ１乃至Ａ１２のいずれか１つに記載の遊技機。
【０４０６】
特徴Ａ１３によれば、電子部品の装着状態が適正である場合に、直列経路が通電されていることで出力経路からは通電信号として０Ｖ（ＬＯＷレベル）が出力され、装着状態が不適である場合に、直列経路の通電が遮断されることで出力経路からは遮断信号としてＬＯＷレベルよりも高い所定電圧（ＨＩレベル）が出力される。このため、電源電圧の不安定化など他の原因で出力経路からの出力がＬＯＷレベルになったとしても、その場合と電子部品の装着状態の不適とを適正に判別することができる。
【０４０７】
これに対して、例えば通電信号としてＨＩレベルが出力され、遮断信号としてＬＯＷレベルが出力される構成（プルダウン抵抗が設けられた構成）では、出力経路からの出力がＬＯＷレベルになった場合に、その原因が電子部品の装着状態の不適なのか電源電圧の不安定化など他の原因なのかを判別することが困難になってしまう。また、この構成では、出力経路がプルアップ抵抗を介さずに電源部に接続されているため、出力経路が接続された開閉部のソケット端子が他のパッケージ端子に接触してしまうと、そのパッケージ端子に大電流が流れて電子部品に異常が生じることが懸念される。特徴Ａ１３によれば、これら懸念を解消することができる。
【０４０８】
特徴Ａ１４．前記直列経路に含まれる前記パッケージ端子は、前記電子部品が動作する上で機能しないテスト端子であることを特徴とする特徴Ａ１乃至Ａ１３のいずれか１つに記載の遊技機。
【０４０９】
特徴Ａ１４によれば、検出回路においては、電子部品のテスト端子が開閉部に含まれているため、電子部品の装着状態の不適の検出と電子部品の動作とがお互いに独立して行われることになる。したがって、検出回路の検出精度が低下することや、電子部品の動作の信頼度が低下することを回避できる。
【０４１０】
＜特徴Ｂ群＞
下記特徴Ｂ群の発明は、以下の課題に対して効果的である。
【０４１１】
パチンコ機等の遊技機には、遊技を統括管理する主制御装置や、主制御装置からの信号に基づいて音の出力などを制御する副制御装置などが設けられている。これら制御装置は、所定の配線パターンが付与された回路基板を有しており、この回路基板には、ＣＰＵやＲＯＭ、ＲＡＭといった電子部品が表面実装等により搭載されている。電子部品が回路基板に対して表面実装された構成としては、回路基板に取り付けられたソケットに電子部品が装着された構成がある（例えば特許文献１：特開２００９−２６８５４８号公報参照）。電子部品及びソケットはそれぞれ電極を複数有しており、これら電極が端子として互いに接触することで電子部品が制御装置において動作可能な状態になっている。
【０４１２】
しかしながら、電子部品がソケットに装着された構成では、例えば電子部品の端子が回路基板に対して半田付けされたスルーホール実装とは異なり、電子部品の端子とソケットの端子とが半田付けされていない。このため、ソケットに対する電子部品の装着状態が適正でない場合には、電子部品が正常に動作しないことが懸念される。
【０４１３】
ここで、電子部品の装着状態が適正でない場合としては、正規の電子部品が適正位置から位置ずれした場合はもちろんのこと、不正な電子部品がソケットに無理やり装着された場合が挙げられる。この場合は、電子部品の全ての端子がそれぞれソケットの端子に接触していたとしても、正規の電子部品がソケットに装着された場合に比べて、その接触状態が不安定になっていると考えられるが、その状態でも不正な電子部品が動作することで不正行為者に不正に利益を得られてしまうことが懸念される。
【０４１４】
特徴Ｂ１．パッケージ（パッケージ１７１）を有する電子部品（共通用ＲＯＭ１４７）が、回路基板（回路基板１６８）に取り付けられたソケット（ソケット１７４）に装着されていることで該回路基板に実装されており、
前記ソケットのソケット端子（ソケット端子１７６）と、該ソケット端子に通電可能に接触している前記パッケージのパッケージ端子（パッケージ端子１７２）とが複数組設けられ、複数の前記パッケージ端子が前記パッケージの板面に沿って複数並べられた遊技機であって、
前記ソケットに対する前記電子部品の装着状態を検出する検出回路（第３検出回路２０１、第４検出回路２０２）を備え、
前記検出回路は、
所定電圧が印加された上流経路（第１出力経路２０１ａ，２０２ａ、第２出力経路２０１ｂ，２０２ｂ）と、該上流経路よりも下流に設けられた下流経路（接地経路２０１ｃ，２０２ｃ）と、これら上流経路と下流経路とを接続する一の前記パッケージ端子である接続パッケージ端子（第１パッケージ端子１７２ｉ、第２パッケージ端子１７２ｊ）とを有しており、これら上流経路と下流経路とが前記接続パッケージ端子を通じて通電されている場合に通電信号を出力し、これら上流経路と下流経路との通電が遮断された場合に遮断信号を出力するものであり、
複数の前記ソケット端子には、前記上流経路が接続された上流ソケット端子（第１ソケット端子１７６ｊ，１７６ｍ、第２ソケット端子１７６ｋ，１７６７ｎ）と、前記下流経路が接続された下流ソケット端子（接地ソケット端子１７６ｉ，１７６ｌ）とが含まれており、
前記上流経路と前記下流経路とは、前記上流ソケット端子及び前記下流ソケット端子の両方が前記接続パッケージ端子に接触している場合に通電され、前記上流ソケット端子及び前記下流ソケット端子の少なくとも一方が前記接続パッケージ端子に接触していない場合に通電が遮断されることを特徴とする遊技機。
【０４１５】
特徴Ｂ１によれば、検出回路においては、上流ソケット端子及び下流ソケット端子の両方が接続パッケージ端子に接触している場合に通電信号が出力され、これらソケット端子の少なくとも一方が接続パッケージ端子に接触していない場合に遮断信号が出力される。このため、通電信号が出力された場合はもちろんのこと、遮断信号が出力された場合でも、電子部品の装着状態が適正範囲に含まれているものとすれば、電子部品の装着状態の適正レベルを特定することが可能となる。つまり、電子部品の装着状態が適正である場合に、その電子部品が不適から遠い状態（適正レベルが高い状態）にあるのか近い状態（適正レベルが低い状態）にあるのかということまで特定することが可能となる。したがって、電子部品の装着状態について、検出回路による検出精度を高めることができる。
【０４１６】
しかも、１つの接続パッケージ端子に上流ソケット端子及び下流ソケット端子の両方が接触するため、複数のパッケージ端子を接続する専用経路を電子部品に設ける必要がない。このため、市販品が電子部品として用いられた場合でも、その電子部品により検出回路を構築することができる。
【０４１７】
以上により、ソケットに対する電子部品の装着状態を好適に管理することができる。
【０４１８】
なお、電子部品の装着状態が適正範囲に含まれている場合でも、その適正レベルが低い場合には、正規の電子部品ではなく不正な電子部品がソケットに無理やり装着された状態であることが懸念される。これに対して、本特徴によれば、検出回路により電子部品の装着状態について適正レベルが低いこと、つまり、不正な電子部品がソケットに無理やり装着されていることを検出できる。これにより、不正行為者が不正に利益を得ることに対して抑止力を発揮できる。
【０４１９】
特徴Ｂ２．複数の前記パッケージ端子は、前記パッケージの板面に沿って複数列で設けられており、
前記上流ソケット端子と前記下流ソケット端子とは、各列において前記パッケージ端子が並ぶ並び方向とは交差する方向において横並びに設けられていることを特徴とする特徴Ｂ１に記載の遊技機。
【０４２０】
上流ソケット端子及び下流ソケット端子の両方が接続パッケージ端子に接触している場合の電子部品の位置を基準位置と称し、いずれか一方だけが接続パッケージ端子に接触している場合の位置を非基準位置と称すれば、上流ソケット端子と下流ソケット端子との離間距離が小さ過ぎると、基準位置と非基準位置とがほぼ同じ位置になってしまう。この場合、電子部品の位置（装着状態）の僅かな違いが検出回路により検出されるため、検出精度が高くなることにはなるが、電子部品が不適から遠い状態及び近い状態という２つの異なる状態を検出することはできない。
【０４２１】
これに対して、特徴Ｂ２によれば、上流ソケット端子と下流ソケット端子とがパッケージ端子の列が延びる方向とは異なる方向に並べられているため、例えば、これらソケット端子がパッケージ端子の列と同じ向きに並べられた構成に比べて、上流ソケット端子と下流ソケット端子との離間距離を大きく確保できる。この場合、電子部品が不適から遠い状態及び近い状態という２つの異なる状態を検出回路により検出できるため、電子部品の装着状態を改善する必要がない場合にもその装着状態を改善してしまうという余分な作業を回避できる。
【０４２２】
特徴Ｂ３．前記検出回路は、前記上流経路として、第１上流経路（第１出力経路２０１ａ，２０２ａ）と該第１上流経路とは異なる第２上流経路（第２出力経路２０１ｂ，２０２ｂ）とを有しており、
前記上流ソケット端子として、前記第１上流経路に接続された第１ソケット端子（第１ソケット端子１７６ｊ，１７６ｍ）と、前記第１ソケット端子とは異なり且つ前記第２上流経路に接続された第２ソケット端子（第２ソケット端子１７６ｋ，１７６ｎ）とが含まれていることを特徴とする特徴Ｂ１又はＢ２に記載の遊技機。
【０４２３】
特徴Ｂ３によれば、上流ソケット端子が２つ設けられているため、下流ソケット端子を含めた３つの端子の通電状態が検出されることで、電子部品の装着状態を４つの状態で評価することが可能となる。このため、電子部品の位置について、３つの端子の全てが接続パッケージ端子に接触している位置を基準位置と称し、３つの端子のうち２つが接続パッケージ端子に接触している位置を許容位置と称すれば、接続パッケージ端子に接触している２つの端子の組み合わせを特定することで、電子部品が基準位置から位置ずれした向きを判定することが可能となる。また、３つの端子のうち少なくとも２つの端子が接続パッケージ端子から離間している位置を離脱位置と称すれば、電子部品が非基準位置にあるか否かを判定することも可能となる。以上のように、電子部品が４つの位置のいずれにあるのかを特定することが可能となるため、電子部品の位置についての検出精度を高めることができる。
【０４２４】
特徴Ｂ４．複数の前記ソケット端子には、前記回路基板の板面に沿って複数列で並べられた複数の標準ソケット端子（接地ソケット端子１７６ｉ，１７６ｌ）が含まれており、
前記複数の標準ソケット端子には、前記下流ソケット端子が含まれている一方で、前記第１ソケット端子及び前記第２ソケット端子は含まれておらず、
前記第１ソケット端子及び前記第２ソケット端子は、前記複数列の並び方向において前記下流ソケット端子に横並びに設けられており、
前記第１ソケット端子は、前記複数列の並び方向において前記下流ソケット端子を挟んで前記第２ソケット端子とは反対側に配置されていることを特徴とする特徴Ｂ３に記載の遊技機。
【０４２５】
特徴Ｂ４によれば、電子部品の位置ずれの向きを標準ソケット端子の複数列の並び方向（各列における標準ソケット端子の並び方向に交差する方向）について特定することができる。ここで、電子部品が許容位置にある状態において、第１上流経路だけが接続パッケージ端子を介して下流経路に通電されている場合の位置と、第２上流経路だけが接続パッケージ端子を介して下流経路に通電されている場合の位置とは、基準位置に対して互いに反対側にずれた位置ということになる。このため、標準ソケット端子の複数列の並び方向において、電子部品が第１ソケット端子側及び第２ソケット端子側のいずれに位置ずれしているのかを特定することができる。したがって、電子部品の位置についての検出精度を更に高めることができる。
【０４２６】
なお、第１上流経路と第２上流経路とが下流経路に接続されずに接続パッケージ端子を通じて短絡された場合、検出回路から不安定な電圧が出力されることが懸念される。これに対して、本特徴によれば、標準ソケット端子の複数列の並び方向において、第１ソケット端子と第２ソケット端子との間に下流ソケット端子が配置されているため、電子部品が複数列の並び方向に位置ずれした場合に、第１上流経路と第２上流経路とが下流経路に接続されずに接続パッケージ端子を通じて短絡されて検出回路から不安定な電圧が出力されるということを抑制できる。
【０４２７】
特徴Ｂ５．前記検出回路として、
前記接続パッケージ端子として第１パッケージ端子（第１パッケージ端子１７２ｉ）を有している第１検出回路（第３検出回路２０１）と、
前記接続パッケージ端子として前記第１パッケージ端子とは異なる第２パッケージ端子（第２パッケージ端子１７２ｊ）を有している第２検出回路（第４検出回路２０２）と、を備え、
前記第１検出回路の前記下流ソケット端子と前記第２検出回路の前記下流ソケット端子とが、前記標準ソケット端子の列が延びる方向において離間して配置されており、
前記第１検出回路及び前記第２検出回路のそれぞれにおいて、前記第１ソケット端子、前記第２ソケット端子及び前記下流ソケット端子が前記複数列の並び方向において同じ並び順で設けられていることを特徴とする特徴Ｂ４に記載の遊技機。
【０４２８】
特徴Ｂ５によれば、第１検出回路及び第２検出回路により、それぞれの第１ソケット端子だけが接続パッケージ端子に接触していること（第１上流経路の通電だけ）が検出された場合、電子部品が第１ソケット端子側に位置ずれしていることになる。また、それぞれの第２ソケット端子だけが接続パッケージ端子に接触していること（第２上流経路の通電だけ）が検出された場合、電子部品が第２ソケット端子側に位置ずれしていることになる。したがって、第１検出回路及び第２検出回路の検出結果に基づいて電子部品の位置ずれの方向まで特定することが可能となる。
【０４２９】
特徴Ｂ６．前記検出回路として、
前記接続パッケージ端子として第１パッケージ端子（第１パッケージ端子１７２ｉ）を有している第１検出回路（第３検出回路２０１）と、
前記接続パッケージ端子として前記第１パッケージ端子とは異なる第２パッケージ端子（第２パッケージ端子１７２ｊ）を有している第２検出回路（第４検出回路２０２）と、を備え、
前記複数列において、前記第１検出回路の前記下流ソケット端子と前記第２検出回路の前記下流ソケット端子とは異なる列に配置されており、
前記第１検出回路及び前記第２検出回路のそれぞれにおいて、前記第１ソケット端子、前記第２ソケット端子及び前記下流ソケット端子が前記複数列の並び方向において同じ並び順で設けられていることを特徴とする特徴Ｂ４に記載の遊技機。
【０４３０】
特徴Ｂ６によれば、第１検出回路及び第２検出回路において、それぞれの第１ソケット端子及び第２ソケット端子のうち外側に配置された各端子が接続パッケージ端子に接触していない場合、パッケージ端子の列の間の離間距離が正規の電子部品より小さい不正な電子部品がソケットに無理やり装着されている可能性が考えられる。また、それぞれの第１ソケット端子及び第２ソケット端子のうち内側に配置された各端子が接続パッケージ端子に接触していない場合、パッケージ端子の列の間の離間距離が正規の電子部品より大きい不正な電子部品がソケットに無理やり装着されている可能性が考えられる。したがって、仮に不正な電子部品がソケットに無理やり装着されていたとしても、そのことを第１検出回路及び第２検出回路により検出することができる。
【０４３１】
特徴Ｂ７．前記検出回路として、
前記接続パッケージ端子として第１パッケージ端子（第１パッケージ端子１７２ｉ）を有している第１検出回路（第３検出回路２０１）と、
前記接続パッケージ端子として前記第１パッケージ端子とは異なる第２パッケージ端子（第２パッケージ端子１７２ｊ）を有している第２検出回路（第４検出回路２０２）と、を備え、
前記複数列のそれぞれにおいて各パッケージ端子は、矩形状の前記パッケージの一の辺が延びる方向に並べられており、
前記第１検出回路の前記下流ソケット端子と前記第２検出回路の前記下流ソケット端子とは、前記複数列で配置された複数の前記標準ソケット端子のうち隅角位置であり且つ対角位置に配置されており、
前記第１検出回路及び前記第２検出回路のそれぞれにおいて、前記第１ソケット端子、前記第２ソケット端子及び前記下流ソケット端子が前記複数列の並び方向において同じ並び順で設けられていることを特徴とする特徴Ｂ４に記載の遊技機。
【０４３２】
電子部品が位置ずれした場合、その位置ずれ方向がパッケージの板面が延びる方向及びパッケージの厚み方向のいずれであっても、パッケージの角部分の変位量がパッケージの中央部分の変位量よりも大きくなる。そこで、特徴Ｂ７のように、第１検出回路及び第２検出回路の各下流ソケット端子がパッケージの四隅のうち一対の対向角のそれぞれに最も近い隅角位置に配置されていることで、電子部品の小さな位置ずれも第１検出回路や第２検出回路により検出することができる。
【０４３３】
しかも、第１パッケージ端子と第２パッケージ端子とが対角位置に配置されている構成では、これら第１パッケージ端子と第２パッケージ端子とが２方向（列の並び方向、列の延びる方向）のいずれにおいても離間していることになるため、特徴Ｂ５により得られる効果（列の並び方向への電子部品の位置ずれ検出）、及び特徴Ｂ６により得られる効果（不正な電子部品の発見）の両方を奏することができる。
【０４３４】
特徴Ｂ８．前記検出回路は、
前記第１上流経路と前記下流経路とが前記接続パッケージ端子を通じて通電している場合に第１通電信号を出力し、これら第１上流経路と下流経路との通電が遮断された場合に第１遮断信号を出力し、前記第２上流経路と前記下流経路とが前記接続パッケージ端子を通じて通電している場合に第２通電信号を出力し、これら第２上流経路と下流経路との通電が遮断された場合に第２遮断信号を出力するものであることを特徴とする特徴Ｂ３乃至Ｂ７のいずれか１項に記載の遊技機。
【０４３５】
特徴Ｂ８によれば、電子部品の位置に応じた信号が検出回路により出力されるため、電子部品の位置を特定する上での判定処理等が複雑になることを抑制できる。
【０４３６】
特徴Ｂ９．前記第１上流経路及び前記第２上流経路に印加される各電圧は同じ電圧値であることを特徴とする特徴Ｂ３乃至Ｂ８のいずれか１項に記載の遊技機。
【０４３７】
特徴Ｂ９によれば、第１上流経路及び第２上流経路のそれぞれが通電している場合としていない場合とで、検出回路から出力される電圧値を同じにできる。これに対して、例えば第１上流経路及び第２上流経路に印加される各電圧値が異なっている構成では、第１上流経路及び第２上流経路の両方が通電している場合には、各電圧値のうち大きい方の印加電圧が第１上流経路及び第２上流経路のそれぞれについての出力電圧値になる一方で、第１上流経路及び第２上流経路のうち電圧値の小さい方の経路だけが通電している場合には、その経路についての出力電圧値が小さくなる。このため、検出回路からの出力電圧が通電信号及び遮断信号のいずれであるのかの判定精度が低下することが懸念される。この点、本特徴によれば、通電時における検出回路からの出力電圧が一定であるため、前記判定精度が低下することを抑制できる。
【０４３８】
特徴Ｂ１０．前記第１上流経路及び前記第２上流経路は、前記検出回路の検出信号をそれぞれ出力する出力経路であり、
前記第１上流経路及び前記第２上流経路のそれぞれに所定電圧を印加する電源部（電圧端子Ｖｔ）が、前記第１上流経路には第１プルアップ抵抗（第１プルアップ抵抗Ｒ１ａ，Ｒ２ａ）を介して接続されており、前記第２上流経路には第２プルアップ抵抗（第２プルアップ抵抗Ｒ１ｂ，Ｒ１ｂ）を介して接続されていることを特徴とする特徴Ｂ９に記載の遊技機。
【０４３９】
特徴Ｂ１０によれば、電子部品が基準位置にある場合、第１上流経路及び第２上流経路は、それぞれ通電されていることで通電信号として０Ｖ（ＬＯＷレベル）を個別に出力し、電子部品が非基準位置にある場合、第１上流経路及び第２上流経路のうち通電されていない経路は、遮断信号としてＬＯＷレベルよりも高い所定電圧（ＨＩレベル）を出力することになる。このため、電源電圧の不安定化など他の原因で第１上流経路や第２上流経路からの出力がＬＯＷレベルになったとしても、その場合と電子部品が非基準位置にある場合とを適正に判別することができる。
【０４４０】
これに対して、第１上流経路及び第２上流経路について、例えば通電信号としてＨＩレベルが出力され、遮断信号としてＬＯＷレベルが出力される構成（プルダウン抵抗が設けられた構成）では、出力経路からの出力がＬＯＷレベルになった場合に、その原因が電子部品が非基準位置にあることなのか電源電圧の不安定化など他の原因なのかを判別することが困難になることが懸念される。また、この構成では、第１上流経路や第２上流経路がプルアップ抵抗を介さずに電源部に接続されているため、これら上流経路が接続された第１ソケット端子や第２ソケット端子が他のパッケージ端子に接触してしまうと、そのパッケージ端子に大電流が流れて電子部品に異常が生じることが懸念される。特徴Ｂ１０によれば、これら懸念を解消することができる。
【０４４１】
特徴Ｂ１１．前記接続パッケージ端子は、前記電子部品が動作する上で機能しないテスト端子であることを特徴とする特徴Ｂ１乃至Ｂ１０のいずれか１つに記載の遊技機。
【０４４２】
特徴Ｂ１１によれば、検出回路においては、電子部品のテスト端子が接続パッケージ端子とされているため、電子部品の位置検出とその電子部品の動作とがお互いに独立して行われることになる。したがって、検出回路の検出精度が低下することや、電子部品の動作の信頼度が低下することを回避できる。
【０４４３】
＜特徴Ｃ群＞
下記特徴Ｃ群の発明は、以下の課題に対して効果的である。
【０４４４】
パチンコ機等の遊技機には、遊技を統括管理する主制御装置や、主制御装置からの信号に基づいて音の出力などを制御する副制御装置などが設けられている。これら制御装置は、所定の配線パターンが付与された回路基板を有しており、この回路基板には、ＣＰＵやＲＯＭ、ＲＡＭといった電子部品が表面実装等により搭載されている。電子部品が回路基板に対して表面実装された構成としては、回路基板に取り付けられたソケットに電子部品が装着された構成がある（例えば特許文献１：特開２００９−２６８５４８号公報参照）。電子部品及びソケットはそれぞれ電極を複数有しており、これら電極が端子として互いに接触することで電子部品が制御装置において動作可能な状態になっている。
【０４４５】
しかしながら、電子部品がソケットに装着された構成では、例えば電子部品の端子が回路基板に対して半田付けされたスルーホール実装とは異なり、電子部品の端子とソケットの端子とが半田付けされていない。このため、ソケットに対する電子部品の装着状態が適正でない場合には、電子部品が正常に動作しないことが懸念される。
【０４４６】
ここで、電子部品の装着状態が適正でない場合としては、電子部品の全ての端子がソケットの端子に接触していない場合はもちろんのこと、電子部品の一部の端子だけがソケットの端子に接触している場合が挙げられ、この場合には端子同士の接触が不安定な状態になっていると想定されるため、仮に電子部品が正常に動作していたとしても、僅かな振動などにより端子間の接触不良が発生して電子部品の正常な動作が停止することになってしまうと考えられる。
【０４４７】
特徴Ｃ１．パッケージ（パッケージ１７１）を有する電子部品（共通用ＲＯＭ１４７）が、回路基板（回路基板１６８）に取り付けられたソケット（ソケット１７４）に装着されていることで該回路基板に実装されており、
前記ソケットのソケット端子（ソケット端子１７６）と、該ソケット端子に通電可能に接触している前記パッケージのパッケージ端子（パッケージ端子１７２）とが複数組設けられ、複数の前記パッケージ端子が前記パッケージの板面に沿って複数並べられた遊技機であって、
前記ソケットに対する前記電子部品の装着状態を検出する検出回路（第５検出回路２１１、第６検出回路２１５）を備え、
前記複数組に含まれず、前記装着状態が適正である場合には前記パッケージ端子及び前記ソケット端子のいずれにも接触しない外れ端子（ソケット端子１７６ｏ〜１７６ｑ，１７６ｊ，１７６ｋ）が、前記パッケージ又は前記ソケットにおいて前記パッケージ端子又は前記ソケット端子に横並びに設けられており、
前記検出回路は、
前記パッケージ端子及び前記ソケット端子のうち前記外れ端子が横並びに配置されていない方の端子に対する前記外れ端子の接触の有無を検出することで前記電子部品の装着状態を検出するものであることを特徴とする遊技機。
【０４４８】
特徴Ｃ１によれば、外れ端子がパッケージ端子及びソケット端子のいずれにも接触していない場合には、電子部品の装着状態が適正であることを検出し、外れ端子がパッケージ端子又はソケット端子に接触している場合には、電子部品の装着状態が不適であることを検出できる。
【０４４９】
しかも、外れ端子は、電子部品の装着状態が適正である場合にパッケージ端子及びソケット端子のいずれにも接触しない位置に配置されているため、例えばパッケージ端子又はソケット端子に接触する位置に配置された構成に比べて、外れ端子の設置位置に関する自由度を高めることができる。この場合、外れ端子の設置位置を任意に設定することで、電子部品の装着状態が完全に不適であることに加えて、電子部品が位置ずれしてもその装着状態が適正範囲に含まれるものであることも検出可能となる。また、この場合、パッケージ端子及びソケット端子の設置位置が外れ端子の存在により制限されるということも抑制できる。
【０４５０】
以上により、ソケットに対する電子部品の装着状態を好適に管理することができる。
【０４５１】
特徴Ｃ２．前記外れ端子は、前記パッケージ端子及び前記ソケット端子のうち当該外れ端子に対して横並びではない方の端子が横並びである方の端子と当該外れ端子とに跨った状態にはならない位置に配置されていることを特徴とする特徴Ｃ１に記載の遊技機。
【０４５２】
特徴Ｃ２によれば、一組になっているパッケージ端子及びソケット端子のうち一方の端子が外れ端子に接触した場合、その一方の端子は他方の端子には接触していないことになる。このため、電子部品の装着状態が不適になっている場合に限って、外れ端子への他の端子の接触が検出回路により検出されることになる。したがって、電子部品の装着状態が適正であるにも関わらず不適であるとして検出されることを抑制できる。
【０４５３】
特徴Ｃ３．前記外れ端子は、前記パッケージ端子及び前記ソケット端子のうち当該外れ端子に対して横並びではない方の端子が横並びである方の端子と当該外れ端子とに跨った状態になることが可能な位置に配置されていることを特徴とする特徴Ｃ１に記載の遊技機。
【０４５４】
特徴Ｃ３によれば、一組になっているパッケージ端子及びソケット端子のうち一方の端子が外れ端子に接触した場合に、その一方の端子は他方の端子にも接触することが可能になっている。このため、電子部品の装着状態が適正範囲に含まれている場合でも、その電子部品が適正位置に対して位置ずれしたことを検出回路により検出することが可能になっている。したがって、電子部品の装着状態について、検出回路による検出精度を高めることができる。
【０４５５】
特徴Ｃ４．前記外れ端子は、前記パッケージ及び前記ソケットのうち前記ソケットに設けられており、前記ソケット端子が当該外れ端子に対して横並びの端子であり、前記パッケージ端子が当該外れ端子に対して横並びではない方の端子であることを特徴とする特徴Ｃ１乃至Ｃ３のいずれか１つに記載の遊技機。
【０４５６】
特徴Ｃ４によれば、外れ端子がソケットに設けられているため、検出回路を構築するための専用経路を電子部品に設ける必要がない。このため、市販品が電子部品として用いられた場合でも、その電子部品により検出回路を構築することができる。
【０４５７】
しかも、外れ端子に他の端子が接触している場合としては、電子部品が適正位置から位置ずれした場合に加えて、不正な電子部品がソケットに無理やり装着された場合が想定される。この場合、外れ端子を備える検出回路により、不正な電子部品がソケットに無理やり装着されたことを検出できるため、不正行為者が不正に利益を得ることに対して抑止力を発揮できる。
【０４５８】
以下に、以上の各特徴を適用し得る遊技機の基本構成を示す。
【０４５９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０４６０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０４６１】
１０…遊技機としてのパチンコ機、９１…音出力手段としてのスピーカ、１４７…電子部品としての共通用ＲＯＭ、１６８…回路基板、１７１…パッケージ、１７２…パッケージ端子、１７２ｉ…接続パッケージ端子としての第１パッケージ端子、１７２ｊ…接続パッケージ端子としての第２パッケージ端子、１７４…ソケット、１７６…ソケット端子、１７６ｉ…下流ソケット端子及び標準ソケット端子としての接地ソケット端子、１７６ｊ…上流ソケット端子としての第１ソケット端子、１７６ｋ…上流ソケット端子としての第２ソケット端子、１７６ｌ…下流ソケット端子及び標準ソケット端子としての接地ソケット端子、１７６ｍ…上流ソケット端子としての第１ソケット端子、１７６ｎ…上流ソケット端子としての第２ソケット端子、１８１…第１検出回路、１８１ａ…直列経路、１８１ｂ…出力経路、１８２…第２検出回路、１８２ａ…直列経路、１８２ｂ…出力経路、１８５ａ…上流開閉部、１８５ｂ…下流開閉部、１８５ｃ…第１中間開閉部、１８５ｄ…第２中間開閉部、１８６ａ…上流開閉部、１８６ｂ…下流開閉部、１８６ｃ…第１中間開閉部、１８６ｄ…第２中間開閉部、１９１…パッケージ側接続路としての第１接続路、１９２…パッケージ側接続路としての第２接続路、１９５…パッケージ側接続路としての第１接続路、１９６…パッケージ側接続路としての第２接続路、２０１…第１検出回路としての第３検出回路、２０１ａ…第１上流経路としての第１出力経路、２０１ｂ…第２上流経路としての第２出力経路、２０１ｃ…下流経路としての接地経路、２０２…第２検出回路としての第４検出回路、２０２ａ…第１上流経路としての第１出力経路、２０２ｂ…第２上流経路としての第２出力経路、２０２ｃ…下流経路としての接地経路、Ｎ０…適正位置、Ｒ…プルアップ抵抗、Ｒ１ａ…第１プルアップ抵抗、Ｒ１ｂ…第２プルアップ抵抗、Ｒ２ａ…第１プルアップ抵抗、Ｒ２ｂ…第２プルアップ抵抗、Ｖｔ…電源部としての電圧端子Ｖｔ。
【図１】
2020138062.tif 000003
【図２】
2020138062.tif 000004
【図３】
2020138062.tif 000005
【図４】
2020138062.tif 000006
【図５】
2020138062.tif 000007
【図６】
2020138062.tif 000008
【図７】
2020138062.tif 000009
【図８】
2020138062.tif 000010
【図９】
2020138062.tif 000011
【図１０】
2020138062.tif 000012
【図１１】
2020138062.tif 000013
【図１２】
2020138062.tif 000014
【図１３】
2020138062.tif 000015
【図１４】
2020138062.tif 000016
【図１５】
2020138062.tif 000017
【図１６】
2020138062.tif 000018
【図１７】
2020138062.tif 000019
【図１８】
2020138062.tif 000020
【図１９】
2020138062.tif 000021
【図２０】
2020138062.tif 000022
【図２１】
2020138062.tif 000023
【図２２】
2020138062.tif 000024
【図２３】
2020138062.tif 000025
【図２４】
2020138062.tif 000026
【図２５】
2020138062.tif 000027
【図２６】
2020138062.tif 000028
【図２７】
2020138062.tif 000029
【図２８】
2020138062.tif 000030
【図２９】
2020138062.tif 000031
【図３０】
2020138062.tif 000032
【図３１】
2020138062.tif 000033
【図３２】
2020138062.tif 000034
【図３３】
2020138062.tif 000035
【図３４】
2020138062.tif 000036
【図３５】
2020138062.tif 000037
【図３６】
2020138062.tif 000038
【図３７】
2020138062.tif 000039
【図３８】
2020138062.tif 000040
【図３９】
2020138062.tif 000041
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
パッケージを有する電子部品が、回路基板に取り付けられたソケットに装着されていることで該回路基板に実装されており、
前記ソケットのソケット端子と、該ソケット端子に通電可能に接触している前記パッケージのパッケージ端子とが複数組設けられ、前記パッケージ端子が前記パッケージの板面に沿って複数並べられた遊技機であって、
一組の前記ソケット端子と前記パッケージ端子とを１つの構成部として構成されており、前記構成部が複数接続されていることで形成され、各前記構成部において前記ソケット端子と前記パッケージ端子とが接触している場合に通電され、少なくとも１つの前記構成部において前記ソケット端子と前記パッケージ端子とが接触していない場合に通電が遮断される構成であり、
前記ソケット端子と前記パッケージ端子との通電状態に異常があり、音出力手段からの音の出力が可能である場合に、異常報知が実行され、前記ソケット端子と前記パッケージ端子との通電状態に異常があり、前記音出力手段からの音の出力が可能ではない場合に、前記音出力手段からの音の出力が可能である場合とは異なる態様で異常報知が実行されるようにすることが可能となっており、
前記ソケット端子と前記パッケージ端子との通電状態に異常があり、前記音出力手段からの音の出力が可能である状況において所定の場合には、異常報知が実行されないようにすることが可能に構成されていることを特徴とする遊技機。
【手続補正２】
【補正対象書類名】明細書
【補正対象項目名】０００５
【補正方法】変更
【補正の内容】
【０００５】
本発明は、上記例示した事情等に鑑みてなされたものであり、ソケットと電子部品とにおいて通電状態が適切でない場合の処理を好適に行うことができる遊技機を提供することを目的とするものである。
【手続補正３】
【補正対象書類名】明細書
【補正対象項目名】０００６
【補正方法】変更
【補正の内容】
【０００６】
本発明は、
パッケージを有する電子部品が、回路基板に取り付けられたソケットに装着されていることで該回路基板に実装されており、
前記ソケットのソケット端子と、該ソケット端子に通電可能に接触している前記パッケージのパッケージ端子とが複数組設けられ、前記パッケージ端子が前記パッケージの板面に沿って複数並べられた遊技機であって、
一組の前記ソケット端子と前記パッケージ端子とを１つの構成部として構成されており、前記構成部が複数接続されていることで形成され、各前記構成部において前記ソケット端子と前記パッケージ端子とが接触している場合に通電され、少なくとも１つの前記構成部において前記ソケット端子と前記パッケージ端子とが接触していない場合に通電が遮断される構成であり、
前記ソケット端子と前記パッケージ端子との通電状態に異常があり、音出力手段からの音の出力が可能である場合に、異常報知が実行され、前記ソケット端子と前記パッケージ端子との通電状態に異常があり、前記音出力手段からの音の出力が可能ではない場合に、前記音出力手段からの音の出力が可能である場合とは異なる態様で異常報知が実行されるようにすることが可能となっており、
前記ソケット端子と前記パッケージ端子との通電状態に異常があり、前記音出力手段からの音の出力が可能である状況において所定の場合には、異常報知が実行されないようにすることが可能に構成されていることを特徴とする。
【手続補正４】
【補正対象書類名】明細書
【補正対象項目名】０００７
【補正方法】変更
【補正の内容】
【０００７】
本発明によれば、ソケットと電子部品とにおいて通電状態が適切でない場合の処理を好適に行うことができる。